(57)【要約】      （修正有）【課題】１つまたは複数の干渉基地局からの公称の干渉を判断する。【解決手段】方法は、公称の干渉を計算することを含む。方法は、また、１つまたは複数の干渉基地局に公称干渉を送信することも含む。１つまたは複数の干渉基地局の少なくとも１つが、選択されたセルにおいてユーザ機器が情報を受信する同じセットのリソースについて送信する場合に、公称の干渉は、選択されたセルにおけるユーザ機器に対する送信レートにおける損失を計算するために１つまたは複数の干渉基地局に送信されることができる。【選択図】図５Ａ
2013225882.tif 000002
【特許請求の範囲】
【請求項１】
１つまたは複数の干渉基地局を備えたシステムにおける干渉管理を可能にするための方法であって、
公称干渉を計算することと、
１つまたは複数の干渉基地局の少なくとも１つが、選択されたセルのユーザ機器が情報を受信する同じセットのリソースを通して送信する場合に選択されたセルのユーザ機器に対する送信レートにおける損失を計算するために前記１つまたは複数の干渉基地局の前記少なくとも１つについて１つまたは複数の干渉基地局に前記公称干渉を送信することとを含み、
前記計算することおよび前記送信することは、選択されたセルの前記ユーザ機器または前記選択されたセルの前記ユーザ機器についてのサービング基地局によって実行される、方法。
【請求項２】
前記公称の干渉は、前記１つまたは複数の干渉基地局から選択されたセルのユーザ機器までのチャネル利得情報、前記１つまたは複数の干渉基地局の平均トラフィック負荷、前記１つまたは複数の干渉基地局についての瞬時トラフィックトラフィック負荷、１つのセル中のトラフィック負荷又は優先順位、１つまたは複数のセル中のトラフィック負荷または優先順位を示すバッファ状態情報の内の１つ以上を使用して計算される、請求項１の方法。
【請求項３】
前記公称干渉を計算することは、
前記１つまたは複数の干渉基地局からの干渉を決定することと、
前記１つまたは複数の干渉基地局に対する送信レートを計算することであって、前記１つまたは複数の干渉基地局に対する送信レートは、対応する基地局が送信しない場合の送信レートを示す、計算することと、
選択されたセルの前記ユーザ機器に対する前記平均送信レートを最大にするために静かにさせるべき前記１つまたは複数の干渉基地局の前記数に対応する公称干渉を計算することと
を備える、請求項１の方法。
【請求項４】
コンピュータに、公称干渉を計算させるための第１の組のコードと、
前記コンピュータに、１つまたは複数の干渉基地局の少なくとも１つが、選択されたセルのユーザ機器が情報を受信する同じリソースのセットを介して送信する場合に、前記選択されたセルの前記ユーザ機器についての送信レートの損失を計算するために、前記１つまたは複数の干渉基地局の前記少なくとも１つへ前記１つまたは複数の基地局に対する前記公称干渉を送信させる第２の組のコードと
を備え、
選択されたセルの前記ユーザ機器又は前記選択されたセルの前記ユーザ機器に対するサービング基地局は、コンピュータを備える、コンピュータプログラム製品。
【請求項５】
前記公称干渉は、前記１つまたは複数の干渉基地局から選択されたセルのユーザ機器までのチャネル利得情報と、前記１つまたは複数の干渉基地局に対する平均のトラフィック負荷と、前記１つまたは複数の干渉基地局に対する瞬時トラッフィック負荷と、１つまたは複数のセルにおけるトラフィック負荷または優先順位と、１つまたは複数のセルにおけるトラフィック負荷又は優先順位を示すバッファ状態情報との内の１つ以上を使用して計算される、請求項４のコンピュータプログラム製品。
【請求項６】
公称干渉を計算することは、
前記１つまたは複数の干渉基地局からの干渉を決定することと、
前記１つまたは複数の干渉基地局に対する送信レートを計算することであって、前記１つまたは複数の基地局に対する送信レートは、対応する基地局が送信しない時に送信レートを示す、計算することと、
選択されたセルの前記ユーザ機器の平均送信レートを最大にするために、静かにさせるべき前記１つまたは複数の干渉基地局の数を決定することと、
選択された前記ユーザ機器に対する前記平均送信レートを最大にするために静かにさせるべき１つまたは複数の干渉基地局の前記数に相当する公称干渉を計算することと
を備える、請求項４のコンピュータプログラム製品。
【請求項７】
公称干渉を計算するための手段と、
１つまたは複数の干渉基地局の少なくとも１つが、選択されたセルのユーザ機器が情報を受信するのと同じリソースのセットを介して送信する場合に、選択されたセルの前記ユーザ機器にとっての送信レートの損失を計算するために前記１つまたは複数の干渉基地局の少なくとも１つについての前記公称干渉を前記１つまたは複数の干渉基地局に送信するための手段と
を備える装置。
【請求項８】
前記公称干渉は、前記１つまたは複数の干渉基地局から選択されたセルの前記ユーザ機器までのチャネル利得情報と、前記１つまたは複数の干渉基地局に対する平均トラフィック負荷と、前記１つまたは複数の干渉基地局に対する瞬間的なトラフィック負荷と、１つまたは複数のセルのトラフィック負荷および優先順位と、１つまたは複数のセルのトラフィック負荷および優先順位を示すバッファ状態情報との１つ以上を使用して計算される、請求項７の装置。
【請求項９】
公称干渉を計算することは、
前記１つまたは複数の干渉基地局からの干渉を決定することと、
前記１つまたは複数の干渉基地局についての送信レートを計算することであって、前記１つまたは複数の干渉基地局に対する送信レートは、対応する基地局が送信しないときに送信レートを示す、計算することと、
選択された前記ユーザ機器にとっての平均送信レートを最大にするために静かにすべき前記１つまたは複数の干渉基地局の数を決定することと、
選択されたセルにおける前記ユーザ機器に対する平均送信レートを最大にするために静かにすべき前記１つまたは複数の干渉基地局の前記数に対応する公称干渉を計算することと
を備える、請求項７の装置。
【請求項１０】
公称干渉を計算するように、および
１つまたは複数の干渉基地局は装置が情報を受信するのと同じ組のリソースを通して送信する場合に前記装置に対する送信レートにおける損失を計算するために、前記１つまたは複数の干渉基地局の少なくとも１つについての前記公称干渉を前記１つまたは複数の干渉基地局に送信するように
構成される干渉管理コンポーネントを備えた装置。
【請求項１１】
前記公称干渉は、前記１つまたは複数の干渉基地局から選択されたセルのユーザ機器までのチャネル利得情報と、前記１つまたは複数の干渉基地局に対する平均トラフィック負荷と、前記１つまたは複数の干渉基地局に対する瞬時なトラフィック負荷と、１つまたは複数のセルのトラフィック負荷または優先順位と、前記１つまたは複数のセルのトラフィック負荷または優先順位を示すバッファ状態情報との１つを使用して計算される、請求項１０の装置。
【請求項１２】
公称干渉を計算することは、
前記１つまたは複数の干渉基地局からの干渉を決定することと、
前記１つまたは複数の干渉基地局についての送信レートを計算することであって、前記１つまたは複数の干渉基地局についての送信レートは、対応する基地局が送信しない時に送信レートを示す、計算することと、
選択されたセルのユーザ機器の平均送信レートを最大にするために静かにすべき前記１つまたは複数の干渉基地局の数を決定することと、
選択されたセルの前記ユーザ機器の平均送信レートを最大にするために静かにすべき前記１つまたは複数の干渉基地局の前記数に対応する公称干渉を計算することと
を備える請求項１０の装置。
【請求項１３】
１つまたは複数の干渉基地局を備えるシステムの干渉管理を可能にする方法であって、
１つまたは複数のパイロット信号を受信することであって、１つまたは複数のパイロット信号は、ユーザ機器で前記１つまたは複数の干渉基地局から受信される、受信することと、
前記１つまたは複数の干渉基地局についての干渉を計算することであって、前記計算することは、前記ユーザ機器で実行される、計算することと、
測定報告を送信することであって、前記測定報告は、前記１つまたは複数の干渉基準局についての干渉を含み、前記測定報告は、前記ユーザ機器からサービング基地局に送信される、送信することと
を備える方法。
【請求項１４】
アップリンク許可を受信するために前記サービング基地局にスケジューリング要求を送信することと、
前記サービング基地局から前記アップリンク許可を受信することであって、前記スケジューリング要求を送信することおよび前記アップリンク許可を受信することは前記測定報告を送信することに先立って前記ユーザ機器によって実行される、受信することと
を備える請求項１３の方法。
【請求項１５】
前記１つまたは複数の干渉基地局についての干渉を計算することは、前記１つまたは複数のパイロット信号の信号強度を決定することを備える請求項１３の方法。
【請求項１６】
リソース利用メッセージを前記１つまたは複数の干渉基地局に送信することをさらに備え、前記１つまたは複数のパイロット信号を受信することは、前記リソース利用メッセージを送信することに応答し、前記送信することは、前記ユーザ機器によって実行される、請求項１３の方法。
【請求項１７】
コンピュータに、１つまたは複数のパイロット信号を受信させるための第１の組のコードであって、前記１つまたは複数のパイロット信号が、１つまたは複数の干渉基地局から受信される、第１の組のコードと、
前記コンピュータに、１つまたは複数の干渉基地局についての干渉を計算させるための第２の組のコードと、
前記コンピュータに、測定報告を送信させるための第３の組のコードであって、前記測定報告は前記干渉を含み、ユーザ機器は前記コンピュータを備える、第３の組のコードと
を備えるコンピュータ可読媒体を備えるコンピュータプログラム製品。
【請求項１８】
前記コンピュータに、アップリンク許可を受信するためにサービング基地局へスケジューリング要求を送信させるための第５の組のコードと、
前記コンピュータに、前記サービング基地局から前記アップリンク許可を受信させるための第６の組のコードと
をさらに備え、
前記スケジューリング要求を送信することおよび前記アップリンク許可を受信することは、前記測定報告を送信することに先立って実行される、請求項１７のコンピュータプログラム製品。
【請求項１９】
前記１つまたは複数の干渉基地局についての干渉を計算することは、前記１つまたは複数のパイロット信号の信号強度を決定することを備える請求項１７のコンピュータプログラム製品。
【請求項２０】
前記コンピュータに、前記１つまたは複数の干渉基地局へリソース利用メッセージを送信させるための第７の組のコードをさらに備え、前記１つまたは複数のパイロット信号を受信することは、前記リソース利用メッセージを送信することに応答する、請求項１７のコンピュータプログラム製品。
【請求項２１】
１つまたは複数のパイロット信号を受信するための手段であって、１つまたは複数のパイロット信号が、１つまたは複数の干渉基地局から受信され、ユーザ機器が前記１つまたは複数のパイロット信号を受信する、受信するための手段と、
前記１つまたは複数の干渉基地局についての干渉を計算するための手段と、
測定報告を送信するための手段であって、前記測定報告は干渉を含み、前記測定報告は前記ユーザ機器からサービング基地局へ送信される、送信するための手段と
を備える装置。
【請求項２２】
アップリンク許可を受信するために前記サービング基地局へスケジューリング要求を送信するための手段と、
前記サービング基地局からの前記アップリンク許可を受信するための手段と
をさらに備え、
前記スケジューリング要求を送信することおよび前記アップリンク許可を受信することは前記測定報告を送信することに先立って実行される、請求項２１の装置。
【請求項２３】
前記１つまたは複数の干渉基地局に対する干渉を計算するための前記手段は、前記１つまたは複数のパイロット信号の信号強度を決定するための手段
を備える請求項２１の装置。
【請求項２４】
前記１つまたは複数の干渉基地局へリソース利用メッセージを送信するための手段をさらに備え、前記１つまたは複数のパイロット信号を受信するための手段は、前記リソース利用メッセージを送信する前記リソース利用メッセージを送信するための前記手段に応答して、前記１つまたは複数のパイロット信号を受信する、請求項２１の装置。
【請求項２５】
１つまたは複数のパイロット信号を受信するように構成されたトランシーバであって、前記１つまたは複数のパイロット信号は１つまたは複数の干渉基地局から受信され、ユーザ機器は前記１つまたは複数のパイロット信号を受信するトランシーバと、
前記１つまたは複数の干渉基地局についての干渉を計算するように構成された干渉管理モジュールと
を備え、
前記トランシーバは、前記ユーザ機器からサービング基地局へ測定報告を送信するようにさらに構成され、また、前記測定報告は前記干渉を含む、装置。
【請求項２６】
前記トランシーバは、
アップリンク許可を受信するために前記サービング基地局にスケジューリング要求を送信するように、および
前記サービング基地局から前記アップリンク許可を受信するように
さらに構成され、
前記スケジューリング要求を送信することおよび前記アップリンク許可を受信することは前記測定報告を送信することに先立って実行される、請求項２５の装置。
【請求項２７】
前記１つまたは複数の干渉基地局についての前記干渉を計算することは、前記１つまたは複数のパイロット信号の信号強度を決定することを備える、請求項２５の装置。
【請求項２８】
前記トランシーバは、前記１つまたは複数の干渉基地局にリソース利用メッセージを送信するようにさらに構成され、前記１つまたは複数のパイロット信号を受信することは、前記リソース利用メッセージを送信することに応答する、請求項２５の装置。
【請求項２９】
ダウンリンク上の干渉管理を可能にするための方法であって、
ユーザ機器に関係するバッファ状態を示す情報を受信することであって、前記情報はユーザ機器で受信される、受信することと、
１つまたは複数の干渉基地局からの干渉情報を受信することと、
公称干渉をセットすることであって、前記公称干渉は、１つまたは複数の干渉基地局からの干渉情報に基づく、セットすることと、
前記ユーザ機器に関係するトラフィックについての優先順位情報および前記公称干渉を送信することであって、前記優先順位情報および前記公称干渉は前記１つまたは複数の干渉基地局に送信される、送信することと、
前記１つまたは複数の干渉基地局からスケジューリング情報を受信することであって、前記１つまたは複数の干渉基地局からの前記スケジューリング情報は、前記ユーザ機器と関係するトラフィックについての前記優先順位情報と前記公称干渉を送信することに応答して受信される、受信することと、
サービング基地局からスケジューリング情報を受信することであって、前記サービング基地局からの前記スケジューリング情報は、前記１つまたは複数の干渉基地局からの前記スケジューリング情報に基づく、受信することと
を備え、
前記ユーザ機器に関係するバッファ状態を示す情報を受信すること、前記１つまたは複数の干渉基地局からの干渉情報を受信すること、前記セットすること、前記送信すること、前記１つまたは複数の干渉基地局からスケジューリング情報を受信すること、および前記サービング基地局からスケジューリング情報を受信することは前記ユーザ機器によって実行される、方法。
【請求項３０】
前記１つのまたは複数の干渉基地局からの前記スケジューリング情報に基づいてチャネル品質インジケータまたは信号対干渉雑音比を計算することと、
前記チャネル品質インジケータまたは前記信号対干渉雑音比を前記サービング基地局へ送信することと
をさらに備え、
前記サービング基地局からの前記スケジュール情報を受信することは、前記チャネル品質インジケータまたは信号対干渉雑音比を計算すること、および、前記チャネル品質インジケータまたは前記信号対干渉雑音比を送信することに応答して実行される、請求項２９の方法。
【請求項３１】
バッファ状態を示す前記情報は、前記ユーザ機器が前記サービング基地局によってサービスされるというトラフィックの優先順位を含む、請求項２９の方法。
【請求項３２】
前記１つまたは複数の干渉基地局からの前記スケジューリング情報は、バックオフをスケジュールする前記１つまたは複数の干渉基地局の少なくとも１つを示す、請求項２９の方法。
【請求項３３】
コンピュータに、ユーザ機器と関連するバッファ状態を示す情報を受信させるための第１の組のコードと、
前記コンピュータに、１つまたは複数の干渉基地局からの干渉情報を受信させるための第２の組のコードと、
前記コンピュータに、公称干渉をセットさせるための第３の組のコードであって、前記公称干渉は、１つまたは複数の干渉基地局からの前記干渉情報に基づく、第３の組のコードと、
前記コンピュータに、前記ユーザ機器に関係するトラフィックの優先順位情報および前記公称干渉を送信させるための第４の組のコードであって、前記優先順位情報および前記公称干渉は前記１つまたは複数の干渉基地局へ送信される、第４の組のコードと、
前記コンピュータに、前記１つまたは複数の干渉基地局からのスケジューリング情報を受信させるための第５の組のコードであって、前記スケジューリング情報は、前記ユーザ機器と関係するトラフィックの優先順位情報および前記公称干渉を送信することに応答して受信される、第５の組のコードと、
前記コンピュータに、前記サービング基地局からの前記スケジューリング情報を受信させるための第６の組のコードであって、前記サービング基地局からの前記スケジューリング情報は、前記１つまたは複数の干渉基地局からの前記スケジューリング情報に基づき、前記ユーザ機器は前記コンピュータを備える、第６の組のコードと
を備えるコンピュータ可読記憶媒体を備えるコンピュータプログラム製品。
【請求項３４】
前記コンピュータに、前記１つまたは複数の干渉基地局からの前記スケジュール情報に基づいてチャネル品質インジケータ又は信号対干渉雑音比を計算させるための第７の組のコードと、
前記コンピュータに、前記サービング基地局へ前記チャネル品質インジケータまたは前記信号対干渉雑音比を送信させるための第８の組のコードと
をさらに備え、
前記サービング基地局からのスケジューリング情報を受信することは、前記チャネル品質インジケータ又は前記信号対干渉雑音比を計算することおよび前記チャネル品質インジケータ又は前記信号対干渉雑音比を送信することに応答して実行される、請求項３３のコンピュータプログラム製品。
【請求項３５】
バッファ状態を示す前記情報が、前記ユーザ機器が前記サービング基地局によってサービスされるというトラフィックの優先順位を備える、請求項３３のコンピュータプログラム製品。
【請求項３６】
前記１つまたは複数の干渉基地局からの前記スケジューリング情報は、バックオフをスケジュールする前記１つまたは複数の干渉基地局の少なくとも１つを示す、請求項３３のコンピュータプログラム製品。
【請求項３７】
ユーザ機器と関連するバッファ状態を示す情報を受信するための手段であって、前記情報はユーザ機器で受信される、受信するための手段と、
１つまたは複数の干渉基地局からの干渉情報を受信するための手段と、
公称干渉をセットするための手段であって、前記公称干渉が、１つまたは複数の干渉基地局からの前記干渉情報に基づく、セットするための手段と、
ユーザ機器と関連するトラフィックの優先順位情報および前記公称干渉を送信するための手段であって、前記優先順位情報および前記公称干渉は前記１つまたは複数の干渉基地局へ送信される、送信するための手段と、
前記１つまたは複数の干渉基地局からのスケジューリング情報を受信するための手段であって、前記１つまたは複数の干渉基地局からの前記スケジューリング情報は、前記ユーザ機器と関連するトラフィックの前記優先順位情報および前記公称干渉を送信することに応答して受信される、受信するための手段と、
サービング基地局からのスケジューリング情報を受信するための手段であって、前記サービング基地局からの前記スケジューリング情報は、前記１つまたは複数の干渉基地局からの前記スケジューリング情報に基づく、受信するための手段と
を備える装置。
【請求項３８】
前記１つまたは複数の干渉基地局からの前記スケジューリング情報に基づいてチャネル品質インジケータ又は信号対干渉雑音比を計算するための手段と、
前記チャネル品質インジケータ又は前記信号対干渉雑音比を前記サービング基地局に送信するための手段と
をさらに備え、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、請求項３７の装置。
【請求項３９】
バッファ状態を示す前記情報は、前記ユーザ機器が前記サービング基地局によってサービスされるだろうトラフィックの優先順位を備える、請求項３７の装置。
【請求項４０】
前記１つまたは複数の干渉基地局からの前記スケジューリング情報は、バックオフをスケジュールする前記１つまたは複数の干渉基地局の少なくとも１つを示す、請求項３７の装置。
【請求項４１】
ユーザ機器と関連するバッファ状態を示す情報を受信するようにであって、前記情報はユーザ機器で受信される、受信するように、
１つまたは複数の干渉基地局からの干渉情報を受信するように
構成されたトランシーバと、
公称干渉をセットするように構成された干渉管理モジュールであって、前記公称干渉は、１つまたは複数の干渉基地局からの前記干渉情報に基づく、干渉管理モジュールと
を備え、
前記トランシーバは、さらに、前記ユーザ機器と関連するトラフィックの優先順位情報および前記公称干渉を送信するようにであって、前記優先順位情報および前記公称干渉は、前記１つまたは複数の干渉基地局へ送信される、送信するように、
前記１つまたは複数の干渉基地局からのスケジューリング情報を受信するようにであって、前記１つまたは複数の干渉基地局からの前記スケジューリング情報は、前記ユーザ機器に関連するトラフィックの前記優先順位情報および前記公称干渉を送信することに応答して受信される、受信するように、および
サービング基地局からのスケジューリング情報を受信するようにであって、前記サービング基地局からの前記スケジューリング情報は、前記１つまたは複数の干渉基地局からの前記スケジューリング情報に基づく、受信するように
構成される、装置。
【請求項４２】
前記干渉管理モジュールは、さらに、前記１つまたは複数の干渉基地局からの前記スケジューリング情報に基づいてチャネル品質インジケータ又は信号対干渉雑音比を計算するように構成され、
前記トランシーバは、さらに、前記チャネル品質インジケータ又は前記信号対干渉雑音比を前記サービング基地局へ送信するように構成され、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、請求項４１の装置。
【請求項４３】
バッファ状態を示す前記情報は、前記ユーザ機器が前記サービング基地局によってサービスされるトラフィックの優先順位を備える、請求項４１の装置。
【請求項４４】
前記１つまたは複数の干渉基地局からの前記スケジューリング情報は、バックオフをスケジューリングする前記１つまたは複数の干渉基地局の少なくとも１つを示す、請求項４１の装置。
【請求項４５】
ダウンリンク上での干渉管理を可能にするための方法であって、
１つまたは複数のパイロット信号を送信することを備え、
１つまたは複数のパイロット信号は、１つまたは複数の干渉基地局から送信され、ユーザ機器は前記１つまたは複数のパイロット信号を受信し、
前記１つまたは複数のパイロット信号は、前記１つまたは複数の干渉基地局についての干渉を計算するために測定される、方法。
【請求項４６】
前記１つまたは複数の干渉基地局についての前記干渉を計算することは、前記１つまたは複数のパイロット信号の信号強度を決定することを備える、請求項４５の方法。
【請求項４７】
リソース利用メッセージを受信することをさらに備え、前記１つまたは複数のパイロット信号を送信することは、前記リソース利用メッセージを受信することに応答し、前記リソース利用メッセージを受信することおよび送信することは前記１つまたは複数の干渉基地局によって実行される、請求項４５の方法。
【請求項４８】
コンピュータに、１つまたは複数のパイロット信号を送信させるための第１の組のコードを備えるコンピュータ可読媒体を備えるコンピュータプログラム製品であって、前記１つまたは複数のパイロット信号は、１つまたは複数の干渉基地局から送信され、ユーザ機器は、前記１つまたは複数のパイロット信号を受信し、前記１つまたは複数のパイロット信号は、前記１つまたは複数の干渉基地局についての干渉を計算するために測定され、前記１つまたは複数の干渉基地局の少なくとも１つは前記コンピュータを備える、コンピュータプログラム製品。
【請求項４９】
前記１つまたは複数の干渉基地局についての前記干渉を計算することは、前記１つまたは複数のパイロット信号の信号強度を決定することを備える、請求項４８のコンピュータプログラム製品。
【請求項５０】
前記コンピュータに、リソース利用メッセージを受信させるための第２の組のコードをさらに備え、前記１つまたは複数のパイロット信号を送信することは、前記リソース利用メッセージを受信することに応答する、請求項４８のコンピュータプログラム製品。
【請求項５１】
１つまたは複数のパイロット信号を送信するための手段を備え、前記１つまたは複数のパイロット信号は、１つまたは複数の干渉基地局から送信され、ユーザ機器が前記１つまたは複数のパイロット信号を受信し、また、前記１つまたは複数のパイロット信号は、前記１つまたは複数の干渉基地局についての干渉を計算するために測定される、装置。
【請求項５２】
前記１つまたは複数の干渉基地局についての前記干渉を計算することは、前記１つまたは複数のパイロット信号の信号強度を決定することを備える、請求項５１の装置。
【請求項５３】
リソース利用メッセージを受信するための手段をさらに備え、前記１つまたは複数のパイロット信号を送信するための手段は、前記リソース利用メッセージを受信する、前記リソース利用メッセージを受信するための前記手段に応答して前記１つまたは複数のパイロット信号を送信する、請求項５１の装置。
【請求項５４】
１つまたは複数のパイロット信号を送信するように構成されたトランシーバを備える装置であって、前記１つまたは複数のパイロット信号は、１つまたは複数の干渉基地局から送信され、ユーザ機器は、前記１つまたは複数のパイロット信号を受信し、また、前記１つまたは複数のパイロット信号は、前記１つまたは複数の干渉基地局についての干渉を計算するために測定される、装置。
【請求項５５】
前記１つまたは複数の干渉基地局についての前記干渉を計算することは、前記１つまたは複数のパイロット信号の信号強度を決定することを備える、請求項５４の装置。
【請求項５６】
前記トランシーバは、さらに、リソース利用メッセージを受信するように構成され、前記１つまたは複数のパイロット信号を送信することは、前記リソース利用メッセージを受信することに応答して実行される、請求項５４の装置。
【請求項５７】
ダウンリンク上での干渉管理を可能にするための方法であって、
１つまたは複数の干渉基地局についての干渉情報を受信することであって、前記１つまたは複数の干渉基地局についての干渉情報を受信することは、ユーザ端末から受信される、受信することと、
前記ユーザ機器と関連するトラフィックの優先順位情報および公称干渉を受信することであって、前記ユーザ機器に関連するトラフィックについての前記優先順位情報は、前記ユーザ機器と関連するバッファ状態を示す情報に対応する、受信することと、
前記ユーザ機器にスケジューリング情報を送信することであって、前記スケジューリング情報は、前記ユーザ機器と関連するトラフィックの前記優先順位情報および前記公称干渉を受信することに応答して送信され、前記ユーザ機器に対するスケジューリング情報は、サービング基地局からの前記ユーザ機器についてのスケジューリング情報を生成するために用いられ、また、前記干渉情報を受信すること、前記ユーザ機器に関連するトラフィックについての前記優先順位情報および前記公称干渉を受信すること、および送信することは、前記ユーザ端末のためにサービング基地局によって実行される、送信することと
を備える方法。
【請求項５８】
前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、請求項５７の方法。
【請求項５９】
前記バッファ状態を示す前記情報は、前記ユーザ機器が前記サービング基地局によってサービスされるというトラフィックの優先順位を備える、請求項５７の方法。
【請求項６０】
前記１つまたは複数の干渉基地局からの前記スケジューリング情報は、バックオフをスケジュールする前記１つまたは複数の干渉基地局の少なくとも１つを示す、請求項５７の方法。
【請求項６１】
コンピュータに、１つまたは複数の干渉基地局についての干渉情報を受信させるための第１の組のコードであって、１つまたは複数の干渉基地局についての前記干渉情報は、ユーザ機器から受信される、第１の組のコードと、
前記コンピュータに、前記ユーザ機器と関連するトラフィックについての優先順位情報および公称干渉を受信させる第２の組のコードであって、前記ユーザ機器と関連するトラフィックについての前記優先順位情報は、前記ユーザ機器と関連するバッファ状態を示す情報に相当する、第２の組のコードと、
前記コンピュータに、前記ユーザ機器にスケジューリング情報を送信させるための第３の組のコードであって、前記スケジューリング情報は、前記ユーザ機器と関連するトラフィックの前記優先順位情報および前記公称干渉を受信することに応答して送信され、また、前記ユーザ機器に対するスケジューリング情報は、サービング基地局からの前記ユーザ機器についてのスケジューリング情報を生成するために用いられ、前記１つまたは複数の干渉基地局の少なくとも１つは前記コンピュータを備える、第３の組のコードと
を備える、コンピュータ可読媒体を備えるコンピュータプログラム製品。
【請求項６２】
前記ユーザ機器に対する前記スケジューリング情報は、前記１つまたは複数の干渉基地局から送信された前記スケジューリング情報に基づいて計算されたチャネル品質インジケータおよび信号対干渉雑音比を備える、請求項６１のコンピュータプログラム製品。
【請求項６３】
前記バッファ状態を示す前記情報は、前記ユーザ機器が前記サービング基地局によってサービスされるというトラフィックの優先順位を備える、請求項６１のコンピュータプログラム製品。
【請求項６４】
前記１つまたは複数の干渉基地局からの前記スケジューリング情報は、バックオフをスケジューリングする前記１つまたは複数の干渉基地局の少なくとも１つを示す、請求項６１のコンピュータプログラム製品。
【請求項６５】
１つまたは複数の干渉基地局についての干渉情報を受信するための手段であって、１つまたは複数の干渉基地局についての前記干渉情報はユーザ機器から受信される、受信するための手段、
前記ユーザ機器と関連するトラフィックについての優先順位情報および公称干渉を受信するための手段であって、前記ユーザ機器と関連するトラフィックの前記優先順位情報は前記ユーザ機器と関連するバッファ状態を示す情報に相当する、受信するための手段と、
前記ユーザ機器に対するスケジューリング情報を送信するための手段であって、前記ユーザ機器に対する前記スケジューリング情報は前記ユーザ機器と関連するトラフィックの前記優先順位情報および前記公称干渉を受信することに応答して送信され、前記ユーザ機器に対する前記スケジューリング情報はサービング基地局からの前記ユーザ機器についてのスケジューリング情報を生成するために用いられる、送信するための手段と
を備える装置。
【請求項６６】
前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、請求項６５の装置。
【請求項６７】
前記バッファ状態を示す前記情報は、前記ユーザ機器が前記サービング基地局によってサービスされるだろうというトラフィックの優先順位を備える、請求項６５の装置。
【請求項６８】
前記１つまたは複数の干渉基地局からの前記スケジュール情報は、バックオフをスケジュールする前記１つまたは複数の干渉基地局の少なくとも１つを示す、請求項６５の装置。
【請求項６９】
１つまたは複数の干渉基地局についての干渉情報を受信するようにであって、１つまたは複数の干渉基地局についての前記干渉情報は、ユーザ機器から受信される、干渉情報を受信するように、
前記ユーザ機器と関連するトラフィックについての優先順位情報および公称干渉を受信するようにであって、前記ユーザ機器と関連するトラフィックの前記優先順位情報は、前記ユーザ機器と関連するバッファ状態を示す情報に相当する、優先順位情報および公称干渉を受信するように、および
前記ユーザ機器にスケジューリング情報を送信するようにであって、前記スケジューリング情報は、ユーザ機器と関連するトラフィックについての前記優先順位情報および前記公称干渉を受信することに応答して送信され、前記ユーザ機器に対する前記スケジューリング情報はサービング基地局からの前記ユーザ機器についてのスケジューリング情報を生成するために用いられる、スケジューリング情報を送信するように
構成されるトランシーバを備える装置。
【請求項７０】
前記ユーザ機器に対する前記スケジューリング情報は、前記１つまたは複数の干渉基地局から送信された前記スケジュール情報に基づいて計算されたチャネル品質インジケータ又は信号対干渉雑音比を備える、請求項６９の装置。
【請求項７１】
前記バッファ状態を示す前記情報は、前記ユーザ機器が前記サービング基地局によってサービスされるだろうというトラフィックの優先順位を備える、請求項６９の装置。
【請求項７２】
前記１つまたは複数の干渉基地局からの前記スケジューリング情報は、バックオフをスケジュールする前記１つまたは複数の干渉基地局の少なくとも１つを示す、請求項６９の装置。
【発明の詳細な説明】
【技術分野】
【０００１】
関連出願の相互参照
本出願は、２００９年５月２２日に出願され、その内容全体が参照により本明細書に組み込まれる、「DISTRIBUTED INTERFERENCE MANAGEMENT: SOFT CONTROL OF INTERFERING TRANSMITTER BEHAVIOR VIA SPECIFICATION OF NOMINAL SINR」と題する米国仮特許出願第６１／１８０，８００号の利益を主張する。
【０００２】
以下の説明は、一般に、ワイヤレス通信に関し、詳細には、ワイヤレス通信システムにおいて干渉管理を可能にすることに関する。
【背景技術】
【０００３】
ワイヤレス通信システムは、様々なタイプの通信を提供するために広く展開されている。たとえば、そのようなワイヤレス通信システムを介してボイスおよび／またはデータが提供され得る。典型的なワイヤレス通信システム、またはネットワークは、１つまたは複数の共有リソース（たとえば、帯域幅、送信電力）へのアクセスを複数のユーザに提供することができる。たとえば、システムは、周波数分割多重（Ｆｒｅｑｕｅｎｃｙ  Ｄｉｖｉｓｉｏｎ  Ｍｕｌｔｉｐｌｅｘｉｎｇ：ＦＤＭ）、時分割多重（Ｔｉｍｅ  Ｄｉｖｉｓｉｏｎ  Ｍｕｌｔｉｐｌｅｘｉｎｇ：ＴＤＭ）、符号分割多重（Ｃｏｄｅ  Ｄｉｖｉｓｉｏｎ  Ｍｕｌｔｉｐｌｅｘｉｎｇ：ＣＤＭ）、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）などの様々な多元接続技法を使用することができる。
【０００４】
一般に、ワイヤレス多元接続通信システムは、複数のユーザ機器（ｕｓｅｒ  ｅｑｕｉｐｍｅｎｔ：ＵＥ）のための通信を同時にサポートすることができる。各ＵＥは、順方向リンクおよび逆方向リンク上での送信を介して１つまたは複数のアクセスノード（ａｃｃｅｓｓ  ｎｏｄｅ：ＡＮ）と通信することができる。順方向リンク（またはダウンリンク（ｄｏｗｎｌｉｎｋ：ＤＬ））はＢＳからＵＥへの通信リンクを指し、逆方向リンク（またはアップリンク（ｕｐｌｉｎｋ：ＵＬ））はＵＥからＡＮへの通信リンクを指す。
【０００５】
フェムトネットワークおよびピアツーピアネットワークなど、無計画なおよび／または干渉制限されているワイヤレス通信システムでは、分散干渉管理が望ましい。
【発明の概要】
【０００６】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００７】
１つまたは複数の実施形態およびその対応する開示に従って、ワイヤレス通信システムにおいて干渉管理を可能にすることに関して、様々な態様について説明する。
【０００８】
一態様では、１つまたは複数の干渉ＢＳをもつシステムにおいて干渉管理を可能にするための方法が提供される。本方法は、公称干渉（ｎｏｍｉｎａｌ  ｉｎｔｅｒｆｅｒｅｎｃｅ）を計算することを含むことができる。本方法はまた、公称干渉を１つまたは複数の干渉ＢＳに送信することを含むことができる。セル外ＵＥが情報を受信するためのリソースの同じセットを介して１つまたは複数の干渉ＢＳのうちの少なくとも１つが送信する場合、１つまたは複数の干渉ＢＳのうちの少なくとも１つは、セル外ＵＥにとっての送信レートの損失を計算するために公称干渉を使用する。
【０００９】
別の実施形態では、コンピュータ可読媒体を有するコンピュータプログラム製品が提供される。本コンピュータプログラム製品は、公称干渉を計算することをコンピュータに行わせるための第１の組のコードを含む。本コンピュータプログラム製品はまた、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信することをコンピュータに行わせるための第２の組のコードを含む。
【００１０】
別の実施形態では、装置が提供される。本装置は、公称干渉を計算するための手段を含むことができる。本装置はまた、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信するための手段を含むことができる。
【００１１】
別の実施形態では、別の装置が提供される。本装置は、干渉管理構成要素を含むことができる。干渉管理構成要素は、公称干渉を計算するように構成され得る。干渉管理構成要素はまた、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信するように構成され得る。
【００１２】
別の態様では、１つまたは複数の干渉ＢＳをもつシステムにおいて干渉管理を可能にするための方法が提供される。本方法は、１つまたは複数のパイロット信号を受信することであって、１つまたは複数のパイロット信号が１つまたは複数の干渉ＢＳから受信され、ユーザ機器が１つまたは複数のパイロット信号を受信する、受信することと、１つまたは複数の干渉ＢＳの干渉を計算することと、測定報告を送信することであって、測定報告が上記干渉を含み、測定報告がサービングＢＳに送信される、送信することとを含むことができる。
【００１３】
別の態様では、コンピュータ可読媒体を有する別のコンピュータプログラム製品が提供される。コンピュータ可読媒体は、１つまたは複数のパイロット信号を受信することをコンピュータに行わせるための第１の組のコードであって、１つまたは複数のパイロット信号が１つまたは複数の干渉ＢＳから受信され、ユーザ機器が１つまたは複数のパイロット信号を受信する、第１の組のコードと、１つまたは複数の干渉ＢＳの干渉を計算することをコンピュータに行わせるための第２の組のコードと、測定報告を送信することをコンピュータに行わせるための第３の組のコードであって、測定報告が上記干渉を含み、測定報告がサービングＢＳに送信される、第３の組のコードとを含むことができる。
【００１４】
別の態様では、別の装置が提供される。本装置は、１つまたは複数のパイロット信号を受信するための手段であって、１つまたは複数のパイロット信号が１つまたは複数の干渉ＢＳから受信され、ユーザ機器が１つまたは複数のパイロット信号を受信する、受信するための手段と、１つまたは複数の干渉ＢＳの干渉を計算するための手段と、測定報告を送信するための手段であって、測定報告が上記干渉を含み、測定報告がサービングＢＳに送信される、送信するための手段とを含むことができる。
【００１５】
別の態様では、別の装置が提供される。本装置は、１つまたは複数のパイロット信号を受信するように構成されたトランシーバであって、１つまたは複数のパイロット信号が１つまたは複数の干渉ＢＳから受信され、ユーザ機器が１つまたは複数のパイロット信号を受信する、トランシーバと、１つまたは複数の干渉ＢＳの干渉を計算するように構成された干渉管理モジュールとを含むことができ、トランシーバは、測定報告をサービングＢＳに送信するようにさらに構成され、測定報告は上記干渉を含む。
【００１６】
別の実施形態では、ダウンリンク上での干渉管理を可能にするための方法が提供される。本方法は、ユーザ機器に関連するバッファ状態を示す情報を受信することであって、上記情報がユーザ機器において受信される、受信することと、１つまたは複数の干渉ＢＳから干渉情報を受信することと、干渉情報に基づく公称干渉を設定することと、公称干渉と、ユーザ機器に関連するトラフィックについての優先順位情報とを送信することであって、公称干渉と優先順位情報とが１つまたは複数の干渉ＢＳに送信される、送信することと、１つまたは複数の干渉ＢＳからスケジューリング情報を受信することであって、スケジューリング情報が、公称干渉と、ユーザ機器に関連するトラフィックについての優先順位情報とを上記送信することに応答して受信される、受信することと、１つまたは複数の干渉ＢＳからのスケジューリング情報に基づくスケジューリング情報をサービングＢＳから受信することとを含むことができる。
【００１７】
別の態様では、コンピュータ可読媒体を有する別のコンピュータプログラム製品が提供される。コンピュータ可読媒体は、ユーザ機器に関連するバッファ状態を示す情報を受信することをコンピュータに行わせるための第１の組のコードであって、上記情報がユーザ機器において受信される、第１の組のコードと、１つまたは複数の干渉ＢＳから干渉情報を受信することをコンピュータに行わせるための第２の組のコードと、干渉情報に基づく公称干渉を設定することをコンピュータに行わせるための第３の組のコードと、公称干渉と、ユーザ機器に関連するトラフィックについての優先順位情報とを送信することをコンピュータに行わせるための第４の組のコードであって、公称干渉と優先順位情報とが１つまたは複数の干渉ＢＳに送信される、第４の組のコードと、１つまたは複数の干渉ＢＳからスケジューリング情報を受信することをコンピュータに行わせるための第５の組のコードであって、スケジューリング情報が、公称干渉と、ユーザ機器に関連するトラフィックについての優先順位情報とを上記送信することに応答して受信される、第５の組のコードと、１つまたは複数の干渉ＢＳからのスケジューリング情報に基づくスケジューリング情報をサービングＢＳから受信することをコンピュータに行わせるための第６の組のコードとを含むことができる。
【００１８】
別の態様では、別の装置が提供される。本装置は、ユーザ機器に関連するバッファ状態を示す情報を受信するための手段であって、上記情報がユーザ機器において受信される、受信するための手段と、１つまたは複数の干渉ＢＳから干渉情報を受信するための手段と、干渉情報に基づく公称干渉を設定するための手段と、公称干渉と、ユーザ機器に関連するトラフィックについての優先順位情報とを送信するための手段であって、公称干渉と優先順位情報とが１つまたは複数の干渉ＢＳに送信される、送信するための手段と、１つまたは複数の干渉ＢＳからスケジューリング情報を受信するための手段であって、スケジューリング情報が、公称干渉と、ユーザ機器に関連するトラフィックについての優先順位情報とを上記送信することに応答して受信される、受信するための手段と、１つまたは複数の干渉ＢＳからのスケジューリング情報に基づくスケジューリング情報をサービングＢＳから受信するための手段とを含むことができる。
【００１９】
別の態様では、別の装置が提供される。本装置は、ユーザ機器に関連するバッファ状態を示す情報を受信することであって、上記情報がユーザ機器において受信される、受信することと、１つまたは複数の干渉ＢＳから干渉情報を受信することとを行うように構成されたトランシーバと、干渉情報に基づく公称干渉を設定するように構成された干渉管理モジュールとを含むことができる。トランシーバは、公称干渉と、ユーザ機器に関連するトラフィックについての優先順位情報とを送信することであって、公称干渉と優先順位情報とが１つまたは複数の干渉ＢＳに送信される、送信することと、１つまたは複数の干渉ＢＳからスケジューリング情報を受信することであって、スケジューリング情報が、公称干渉と、ユーザ機器に関連するトラフィックについての優先順位情報とを上記送信することに応答して受信される、受信することと、１つまたは複数の干渉ＢＳからのスケジューリング情報に基づくスケジューリング情報をサービングＢＳから受信することとを行うようにさらに構成され得る。
【００２０】
別の態様では、別の方法が提供される。本方法は、１つまたは複数のパイロット信号を送信することであって、１つまたは複数のパイロット信号が１つまたは複数の干渉ＢＳから送信され、ユーザ機器が１つまたは複数のパイロット信号を受信し、１つまたは複数のパイロット信号が、１つまたは複数の干渉ＢＳの干渉を計算するために測定される、送信することを含む。
【００２１】
別の態様では、コンピュータ可読媒体を有する別のコンピュータプログラム製品が提供される。コンピュータ可読媒体は、１つまたは複数のパイロット信号を送信することをコンピュータに行わせるための第１の組のコードであって、１つまたは複数のパイロット信号が１つまたは複数の干渉ＢＳから送信され、ユーザ機器が１つまたは複数のパイロット信号を受信し、１つまたは複数のパイロット信号が、１つまたは複数の干渉ＢＳの干渉を計算するために測定される、第１の組のコードを含むことができる。
【００２２】
別の態様では、別の装置が提供される。本装置は、１つまたは複数のパイロット信号を送信するための手段であって、１つまたは複数のパイロット信号が１つまたは複数の干渉ＢＳから送信され、ユーザ機器が１つまたは複数のパイロット信号を受信し、１つまたは複数のパイロット信号が、１つまたは複数の干渉ＢＳの干渉を計算するために測定される、送信するための手段を含むことができる。
【００２３】
別の態様では、ダウンリンク上での干渉管理を可能にするための方法が提供される。本方法は、１つまたは複数の干渉ＢＳについての干渉情報を受信することであって、１つまたは複数の干渉ＢＳについての干渉情報を上記受信することがユーザ機器から受信される、受信することと、公称干渉と、ユーザ機器に関連するトラフィックについての優先順位情報とを受信することであって、ユーザ機器に関連するトラフィックについての優先順位情報が、ユーザ機器に関連するバッファ状態を示す情報に対応する、受信することと、ユーザ機器にスケジューリング情報を送信することであって、上記スケジューリング情報が、公称干渉と、ユーザ機器に関連するトラフィックについての優先順位情報とを上記受信することに応答して送信され、ユーザ機器への上記スケジューリング情報が、サービングＢＳからユーザ機器についてのスケジューリング情報を生成するために採用される、送信することとを含むことができる。
【００２４】
別の態様では、コンピュータ可読媒体を有する別のコンピュータプログラム製品が提供される。コンピュータ可読媒体は、１つまたは複数の干渉ＢＳについての干渉情報を受信することをコンピュータに行わせるための第１の組のコードであって、干渉情報がユーザ機器から受信される、第１の組のコードと、公称干渉と、ユーザ機器に関連するトラフィックについての優先順位情報とを受信することをコンピュータに行わせるための第２の組のコードであって、ユーザ機器に関連するトラフィックについての優先順位情報が、ユーザ機器に関連するバッファ状態を示す情報に対応する、第２の組のセットと、ユーザ機器にスケジューリング情報を送信することをコンピュータに行わせるための第３の組のコードであって、上記スケジューリング情報が、公称干渉と、ユーザ機器に関連するトラフィックについての優先順位情報とを受信することに応答して送信され、ユーザ機器への上記スケジューリング情報が、サービング基地局からユーザ機器についてのスケジューリング情報を生成するために採用される、第３の組のコードとを含むことができる。
【００２５】
別の態様では、別の装置が提供される。本装置は、１つまたは複数の干渉ＢＳについての干渉情報を受信するための手段であって、１つまたは複数の干渉ＢＳについての干渉情報がユーザ機器から受信される、受信するための手段と、公称干渉と、ユーザ機器に関連するトラフィックについての優先順位情報とを受信するための手段であって、ユーザ機器に関連するトラフィックについての優先順位情報が、ユーザ機器に関連するバッファ状態を示す情報に対応する、受信するための手段と、ユーザ機器にスケジューリング情報を送信するための手段であって、上記スケジューリング情報が、公称干渉と、ユーザ機器に関連するトラフィックについての優先順位情報とを上記受信することに応答して送信され、ユーザ機器への上記スケジューリング情報が、サービングＢＳからユーザ機器についてのスケジューリング情報を生成するために採用される、送信するための手段とを含むことができる。
【００２６】
別の態様では、別の装置が提供される。本装置は、１つまたは複数の干渉ＢＳについての干渉情報を受信することであって、１つまたは複数の干渉ＢＳについての干渉情報がユーザ機器から受信される、受信することと、公称干渉と、ユーザ機器に関連するトラフィックについての優先順位情報とを受信することであって、ユーザ機器に関連するトラフィックについての優先順位情報が、ユーザ機器に関連するバッファ状態を示す情報に対応する、受信することと、ユーザ機器にスケジューリング情報を送信することであって、上記スケジューリング情報が、公称干渉と、ユーザ機器に関連するトラフィックについての優先順位情報とを上記受信することに応答して送信され、ユーザ機器への上記スケジューリング情報が、サービングＢＳからユーザ機器についてのスケジューリング情報を生成するために採用される、送信することとを行うように構成されたトランシーバを含むことができる。
【００２７】
別の態様では、ワイヤレス通信システムにおいてアップリンク上での干渉管理を可能にするための方法が提供される。本方法は、ダウンリンク上で測定されたチャネル利得情報を判断することであって、上記判断することがＢＳによって実行される、判断することと、アップリンクについてのチャネル利得情報に基づいて１つまたは複数の干渉ユーザ機器からの干渉を判断することと、１つまたは複数の干渉ユーザ機器からの干渉に基づいて公称干渉を計算することとを含むことができる。
【００２８】
別の態様では、コンピュータ可読媒体を有する別のコンピュータプログラム製品が提供される。コンピュータ可読媒体は、ダウンリンク上で測定されたチャネル利得情報を判断することをコンピュータに行わせるための第１の組のコードであって、上記判断することがＢＳによって実行される、第１の組のコードと、アップリンクについてのチャネル利得情報に基づいて１つまたは複数の干渉ユーザ機器からの干渉を判断することをコンピュータに行わせるための第２の組のコードと、１つまたは複数の干渉ユーザ機器からの干渉に基づいて公称干渉を計算することをコンピュータに行わせるための第３の組のコードとを含むことができる。
【００２９】
別の態様では、別の装置が提供される。本装置は、ダウンリンク上で測定されたチャネル利得情報を判断するための手段と、アップリンクについてのチャネル利得情報に基づいて１つまたは複数の干渉ユーザ機器からの干渉を判断するための手段と、１つまたは複数の干渉ユーザ機器からの干渉に基づいて公称干渉を計算するための手段とを含むことができる。
【００３０】
別の態様では、別の装置が提供される。本装置は、ダウンリンク上で測定されたチャネル利得情報を判断することと、アップリンクについてのチャネル利得情報に基づいて１つまたは複数の干渉ユーザ機器からの干渉を判断することと、１つまたは複数の干渉ユーザ機器からの干渉に基づいて公称干渉を計算することとを行うように構成された干渉管理モジュールを含むことができる。
【００３１】
別の態様では、ワイヤレス通信システムのアップリンク上での干渉管理を可能にするための方法が提供される。本方法は、アップリンク上の情報を受信することであって、アップリンク上の上記情報がユーザ機器から受信される、受信することと、アップリンク上の上記情報を復号するための１つまたは複数のパラメータを受信することと、アップリンク上の上記情報を復号することと、ユーザ機器からの干渉を評価することと、ユーザ機器の公称干渉を計算することとを含むことができる。
【００３２】
別の態様では、コンピュータ可読媒体を有する別のコンピュータプログラム製品が提供される。コンピュータ可読媒体は、アップリンク上の情報を受信することをコンピュータに行わせるための第１の組のコードであって、アップリンク上の上記情報がユーザ機器から受信される、第１の組のコードと、アップリンク上の上記情報を復号するための１つまたは複数のパラメータを受信することをコンピュータに行わせるための第２の組のコードと、アップリンク上の上記情報を復号することをコンピュータに行わせるための第３の組のコードと、ユーザ機器からの干渉を評価することをコンピュータに行わせるための第４の組のコードと、ユーザ機器の公称干渉を計算することをコンピュータに行わせるための第５の組のコードとを含むことができる。
【００３３】
別の態様では、別の装置が提供される。本装置は、アップリンク上の情報を受信するための手段であって、アップリンク上の上記情報がユーザ機器から受信される、受信するための手段と、アップリンク上の上記情報を復号するための１つまたは複数のパラメータを受信するための手段と、アップリンク上の上記情報を復号するための手段と、ユーザ機器からの干渉を評価するための手段と、ユーザ機器の公称干渉を計算するための手段とを含むことができる。
【００３４】
別の態様では、別の装置が提供される。本装置は、アップリンク上の情報を受信することであって、アップリンク上の上記情報がユーザ機器から受信される、受信することと、アップリンク上の上記情報を復号するための１つまたは複数のパラメータを受信することとを行うように構成されたトランシーバと、アップリンク上の上記情報を復号するように構成された復号器とを含むことができる。本装置はまた、ユーザ機器からの干渉を評価することと、ユーザ機器の公称干渉を計算することとを行うように構成された干渉管理モジュールを含むことができる。
【００３５】
別の態様では、ワイヤレス通信システムのアップリンク上での干渉管理を可能にするための方法が提供される。本方法は、１つまたは複数のアップリンクリソース利用メッセージを受信することであって、１つまたは複数のアップリンク利用メッセージが、第１のセル以外の１つまたは複数のセル中の１つまたは複数のユーザ機器から第１のセル中のＢＳによって受信される、受信することと、アップリンクリソース利用メッセージの電力を測定することと、第１のセル以外の１つまたは複数のセル中の１つまたは複数のユーザ機器のうちの１つのユーザ機器の識別情報が知られているかどうかを判断することと、第１のセル以外の１つまたは複数のセル中の１つまたは複数のユーザ機器のうちの上記ユーザ機器の識別情報が知られていると判断することに応答して、第１のセル以外の１つまたは複数のセル中の１つまたは複数のユーザ機器のうちの上記ユーザ機器からの干渉を判断することとを含むことができる。上記干渉は、第１のセル以外の１つまたは複数のセル中の１つまたは複数のユーザ機器のうちの上記ユーザ機器からのアップリンクリソース利用メッセージの電力に対応することができる。
【００３６】
別の態様では、コンピュータ可読媒体を有する別のコンピュータプログラム製品が提供される。コンピュータ可読媒体は、１つまたは複数のアップリンクリソース利用メッセージを受信することをコンピュータに行わせるための第１の組のコードであって、１つまたは複数のアップリンク利用メッセージが、第１のセル以外の１つまたは複数のセル中の１つまたは複数のユーザ機器から第１のセル中のＢＳによって受信される、第１の組のコードと、アップリンクリソース利用メッセージの電力を測定することをコンピュータに行わせるための第２の組のコードと、第１のセル以外の１つまたは複数のセル中の１つまたは複数のユーザ機器のうちの１つのユーザ機器の識別情報が知られているかどうかを判断することをコンピュータに行わせるための第３の組のコードと、第１のセル以外の１つまたは複数のセル中の１つまたは複数のユーザ機器のうちの上記ユーザ機器の識別情報が知られていると判断することに応答して、第１のセル以外の１つまたは複数のセル中の１つまたは複数のユーザ機器のうちの上記ユーザ機器からの干渉を判断することをコンピュータに行わせるための第４の組のコードとを含むことができ、上記干渉は、第１のセル以外の１つまたは複数のセル中の１つまたは複数のユーザ機器のうちの上記ユーザ機器からのアップリンクリソース利用メッセージの電力に対応する。
【００３７】
別の態様では、別の装置が提供される。本装置は、１つまたは複数のアップリンクリソース利用メッセージを受信するための手段であって、１つまたは複数のアップリンク利用メッセージが、第１のセル以外の１つまたは複数のセル中の１つまたは複数のユーザ機器から第１のセル中のＢＳによって受信される、受信するための手段と、アップリンクリソース利用メッセージの電力を測定するための手段と、第１のセル以外の１つまたは複数のセル中の１つまたは複数のユーザ機器のうちの１つのユーザ機器の識別情報が知られているかどうかを判断するための手段と、第１のセル以外の１つまたは複数のセル中の１つまたは複数のユーザ機器のうちの上記ユーザ機器の識別情報が知られていると判断することに応答して、第１のセル以外の１つまたは複数のセル中の１つまたは複数のユーザ機器のうちの上記ユーザ機器からの干渉を判断するための手段とを含むことができ、上記干渉は、第１のセル以外の１つまたは複数のセル中の１つまたは複数のユーザ機器のうちの上記ユーザ機器からのアップリンクリソース利用メッセージの電力に対応する。
【００３８】
別の態様では、別の装置が提供される。本装置は、１つまたは複数のアップリンクリソース利用メッセージを受信するように構成されたトランシーバであって、１つまたは複数のアップリンク利用メッセージが、第１のセル以外の１つまたは複数のセル中の１つまたは複数のユーザ機器から第１のセル中のＢＳによって受信される、トランシーバを含むことができる。本装置はまた、アップリンクリソース利用メッセージの電力を測定することと、第１のセル以外の１つまたは複数のセル中の１つまたは複数のユーザ機器のうちの１つのユーザ機器の識別情報が知られているかどうかを判断することと、第１のセル以外の１つまたは複数のセル中の１つまたは複数のユーザ機器のうちの上記ユーザ機器の識別情報が知られていると判断することに応答して、第１のセル以外の１つまたは複数のセル中の１つまたは複数のユーザ機器のうちの上記ユーザ機器からの干渉を判断することとを行うように構成された干渉管理モジュールを含むことができ、上記干渉は、第１のセル以外の１つまたは複数のセル中の１つまたは複数のユーザ機器のうちの上記ユーザ機器からのアップリンクリソース利用メッセージの電力に対応する。
【００３９】
別の態様では、アップリンク上での干渉管理を可能にするための方法が提供される。本方法は、チャネル利得情報を計算することであって、チャネル利得情報が、ＢＳによって計算され、ＢＳと１つまたは複数の干渉ユーザ機器との間のチャネルを示す、計算することと、ＢＳと１つまたは複数の干渉ユーザ機器のうちの少なくとも１つとの間の公称干渉を設定することと、ＢＳによってサービスされる１つまたは複数のユーザ機器からＢＳによって受信されるべきトラフィックの優先順位を判断することと、１つまたは複数の干渉ユーザ機器にリソース利用メッセージを送信することであって、リソース利用メッセージが、ＢＳによってサービスされる１つまたは複数のユーザ機器からＢＳによって受信されるべきトラフィックの優先順位、およびＢＳと１つまたは複数の干渉ユーザ機器との間の公称干渉を備える、送信することとを含むことができる。
【００４０】
別の態様では、コンピュータ可読媒体を有する別のコンピュータプログラム製品が提供される。コンピュータ可読媒体は、チャネル利得情報を計算することをコンピュータに行わせるための第１の組のコードであって、チャネル利得情報が、ＢＳによって計算され、ＢＳと１つまたは複数の干渉ユーザ機器との間のチャネルを示す、第１の組のコードと、ＢＳと１つまたは複数の干渉ユーザ機器のうちの少なくとも１つとの間の公称干渉を設定することをコンピュータに行わせるための第２の組のコードと、ＢＳによってサービスされる１つまたは複数のユーザ機器からＢＳによって受信されるべきトラフィックの優先順位を判断することをコンピュータに行わせるための第３の組のコードと、１つまたは複数の干渉ユーザ機器にリソース利用メッセージを送信することをコンピュータに行わせるための第４の組のコードであって、リソース利用メッセージが、ＢＳによってサービスされる１つまたは複数のユーザ機器からＢＳによって受信されるべきトラフィックの優先順位、およびＢＳと１つまたは複数の干渉ユーザ機器との間の公称干渉を備える、第４の組のコードとを含むことができる。
【００４１】
別の態様では、装置が提供される。本装置は、チャネル利得情報を計算するための手段であって、チャネル利得情報が、ＢＳによって計算され、ＢＳと１つまたは複数の干渉ユーザ機器との間のチャネルを示す、計算するための手段と、基地局と１つまたは複数の干渉ユーザ機器のうちの少なくとも１つとの間の公称干渉を設定するための手段と、ＢＳによってサービスされる１つまたは複数のユーザ機器からＢＳによって受信されるべきトラフィックの優先順位を判断するための手段と、１つまたは複数の干渉ユーザ機器にリソース利用メッセージを送信するための手段であって、リソース利用メッセージが、ＢＳによってサービスされる１つまたは複数のユーザ機器からＢＳによって受信されるべきトラフィックの優先順位、およびＢＳと１つまたは複数の干渉ユーザ機器との間の公称干渉を備える、送信するための手段とを含むことができる。
【００４２】
別の態様では、別の装置が提供される。本装置は、チャネル利得情報を計算することであって、チャネル利得情報が、ＢＳによって計算され、ＢＳと１つまたは複数の干渉ユーザ機器との間のチャネルを示す、計算することと、ＢＳと１つまたは複数の干渉ユーザ機器のうちの少なくとも１つとの間の公称干渉を設定することと、ＢＳによってサービスされる１つまたは複数のユーザ機器からＢＳによって受信されるべきトラフィックの優先順位を判断することと、１つまたは複数の干渉ユーザ機器にリソース利用メッセージを送信することであって、リソース利用メッセージが、ＢＳによってサービスされる１つまたは複数のユーザ機器からＢＳによって受信されるべきトラフィックの優先順位、およびＢＳと１つまたは複数の干渉ユーザ機器との間の公称干渉を備える、送信することとを行うように構成された干渉管理モジュールを含むことができる。
【００４３】
別の態様では、別の方法が提供される。本方法は、ＢＳにおいてチャネル利得情報を判断するための情報を送信することであって、ＢＳにおいてチャネル利得情報を判断するための情報を上記送信することがユーザ機器によって実行される、送信することを含むことができる。本方法はまた、リソース利用メッセージを受信することであって、リソース利用メッセージが、ＢＳによってサービスされるユーザ機器からＢＳによって受信されるべきトラフィックの優先順位、およびチャネル利得情報に基づくＢＳとユーザ機器との間の公称干渉の値を備える、受信することを含むことができる。本方法はまた、意図されたスケジューリングを示す情報を送信することであって、意図されたスケジューリングを示す情報が、公称干渉の値と、ＢＳによってサービスされるユーザ機器からＢＳによって受信されるべきトラフィックの優先順位とに基づき、意図されたスケジューリングを示す情報が、ＢＳによってサービスされるユーザ機器への割当てを判断するために採用される、送信することを含むことができる。
【００４４】
別の態様では、コンピュータ可読媒体を有する別のコンピュータプログラム製品が提供される。コンピュータ可読媒体は、ＢＳにおいてチャネル利得情報を判断するための情報を送信することをコンピュータに行わせるための第１の組のコードであって、ＢＳにおいてチャネル利得情報を判断するための情報を上記送信することがユーザ機器によって実行される、第１の組のコードを含むことができる。コンピュータ可読媒体はまた、リソース利用メッセージを受信することをコンピュータに行わせるための第２の組のコードであって、リソース利用メッセージが、ＢＳによってサービスされるユーザ機器からＢＳによって受信されるべきトラフィックの優先順位、およびチャネル利得情報に基づくＢＳとユーザ機器との間の公称干渉の値を備える、第２の組のコードを含むことができる。コンピュータ可読媒体はまた、意図されたスケジューリングを示す情報を送信することをコンピュータに行わせるための第３の組のコードであって、意図されたスケジューリングを示す情報が、公称干渉の値と、ＢＳによってサービスされるユーザ機器からＢＳによって受信されるべきトラフィックの優先順位とに基づき、意図されたスケジューリングを示す情報が、ＢＳによってサービスされるユーザ機器への割当てを判断するために採用される、第３の組のコードを含むことができる。
【００４５】
別の態様では、別の装置が提供される。本装置は、ＢＳにおいてチャネル利得情報を判断するための情報を送信するための手段であって、ＢＳにおいてチャネル利得情報を判断するための情報を上記送信することがユーザ機器によって実行される、送信するための手段を含むことができる。本装置はまた、リソース利用メッセージを受信するための手段であって、リソース利用メッセージが、ＢＳによってサービスされるユーザ機器からＢＳによって受信されるべきトラフィックの優先順位、およびチャネル利得情報に基づくＢＳとユーザ機器との間の公称干渉の値を備える、受信するための手段を含むことができる。本装置はまた、意図されたスケジューリングを示す情報を送信するための手段であって、意図されたスケジューリングを示す情報が、公称干渉の値と、ＢＳによってサービスされるユーザ機器からＢＳによって受信されるべきトラフィックの優先順位とに基づき、意図されたスケジューリングを示す情報が、ＢＳによってサービスされるユーザ機器への割当てを判断するために採用される、送信するための手段を含むことができる。
【００４６】
別の態様では、別の装置が提供される。本装置は、ＢＳにおいてチャネル利得情報を判断するための情報を送信することであって、ＢＳにおいてチャネル利得情報を判断するための情報を上記送信することがユーザ機器によって実行される、送信することと、リソース利用メッセージを受信することであって、リソース利用メッセージが、ＢＳによってサービスされるユーザ機器からＢＳによって受信されるべきトラフィックの優先順位、およびチャネル利得情報に基づくＢＳとユーザ機器との間の公称干渉の値を備える、受信することとを行うように構成されたトランシーバを含むことができる。トランシーバは、意図されたスケジューリングを示す情報を送信するようにも構成され得、意図されたスケジューリングを示す情報が、公称干渉の値と、ＢＳによってサービスされるユーザ機器からＢＳによって受信されるべきトラフィックの優先順位とに基づき、意図されたスケジューリングを示す情報が、ＢＳによってサービスされるユーザ機器への割当てを判断するために採用される。
【００４７】
上記および関係する目的の達成に向けて、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００４８】
【図１】図１は、本明細書に記載する様々な態様による、干渉管理を可能にするための例示的なワイヤレス通信システムの図である。
【図２】図２は、本明細書に記載する様々な態様による、何人かのユーザのための干渉管理を可能にするための例示的なワイヤレス通信システムの図である。
【図３】図３は、本明細書に記載する様々な態様による、干渉管理を可能にするために１つまたは複数のフェムトノードが展開される例示的なワイヤレス通信システムの図である。
【図４】図４は、本明細書に記載する様々な態様による、干渉管理を可能にするためのワイヤレス通信システムにおける例示的なカバレージマップの図である。
【図５Ａ】図５Ａは、ＤＬ上での干渉管理を可能にするためのワイヤレス通信システムの例示的なブロック図である。
【図５Ｂ】図５Ｂは、ＵＬ上での干渉管理を可能にするためのワイヤレス通信システムの例示的なブロック図である。
【図６Ａ】図６Ａは、本明細書に記載する様々な態様による、干渉管理を可能にするための方法の一例の図である。
【図６Ｂ】図６Ｂは、本明細書に記載する様々な態様による、干渉管理を可能にするためのスケジューリングの方法の一例の図である。
【図７】図７は、支配的干渉ＢＳの選択されたバックオフを取得するために公称干渉を計算する方法の一例の図である。
【図８】図８は、本明細書で説明する様々な態様による、システムのＤＬ上でのＢＳからの干渉を判断する方法の一例の図である。
【図９】図９は、本明細書で説明する様々な態様による、システムのＤＬ上でのＢＳからの干渉を判断する別の方法の一例の図である。
【図１０】図１０は、本明細書で説明する様々な態様による、システムのＤＬ上でのＢＳからの干渉を判断する別の方法の一例の図である。
【図１１】図１１は、本明細書で説明する様々な態様による、システムのＤＬ上でのＢＳからの干渉を判断する別の方法の一例の図である。
【図１２Ａ】図１２Ａは、本明細書で説明する様々な態様による、無線（ｏｖｅｒ  ｔｈｅ  ａｉｒ：ＯＴＡ）通信を採用するシステムのＤＬ上での干渉管理を可能にする方法の部分図である。
【図１２Ｂ】図１２Ｂは、本明細書で説明する様々な態様による、無線（ＯＴＡ）通信を採用するシステムのＤＬ上での干渉管理を可能にする方法の部分図である。
【図１３】図１３Ａ、１３Ｂ、および１３Ｃは、本明細書で説明する様々な態様による、システムのＤＬ上でのスケジューリングの方法の例の図である。
【図１４】図１４は、本明細書で説明する様々な態様による、システムのＵＬ上でのユーザ機器からの公称干渉を判断する方法の一例の図である。
【図１５】図１５は、本明細書で説明する様々な態様による、システムのＵＬ上でのユーザ機器からの公称干渉を判断する別の方法の一例の図である。
【図１６Ａ】図１６Ａは、本明細書で説明する様々な態様による、システムのＵＬ上でのユーザ機器からの公称干渉を判断する別の方法の例の部分図である。
【図１６Ｂ】図１６Ｂは、本明細書で説明する様々な態様による、システムのＵＬ上でのユーザ機器からの公称干渉を判断する別の方法の例の部分図である。
【図１７Ａ】図１７Ａは、本明細書で説明する態様による、ＵＬ上での干渉管理を可能にするためのスケジューリングの方法の例の部分図である。
【図１７Ｂ】図１７Ｂは、本明細書で説明する態様による、ＵＬ上での干渉管理を可能にするためのスケジューリングの方法の例の部分図である。
【図１７Ｃ】図１７Ｃは、本明細書で説明する態様による、ＵＬ上での干渉管理を可能にするためのスケジューリングの別の方法の一例の図である。
【図１８】図１８は、本明細書に記載する様々な態様による、干渉管理を可能にするための例示的なシステムのブロック図である。
【図１９】図１９は、本明細書に記載する様々な態様による、干渉管理を可能にするための例示的なシステムのブロック図である。
【図２０】図２０は、本明細書に記載する様々な態様による、干渉管理を可能にするための例示的なシステムのブロック図である。
【図２１】図２１は、本明細書に記載する様々な態様による、干渉管理を可能にするための例示的なシステムのブロック図である。
【図２２】図２２は、本明細書に記載する様々な態様による、干渉管理を可能にするための例示的なシステムのブロック図である。
【図２３】図２３は、本明細書に記載する様々な態様による、干渉管理を可能にするための例示的なシステムのブロック図である。
【図２４】図２４は、本明細書に記載する様々な態様による、干渉管理を可能にするための例示的なシステムのブロック図である。
【図２５】図２５は、本明細書に記載する様々な態様による、干渉管理を可能にするための例示的なシステムのブロック図である。
【図２６】図２６は、本明細書に記載する様々な態様による、干渉管理を可能にするための例示的なシステムのブロック図である。
【図２７】図２７は、本明細書に記載する様々な態様による、干渉管理を可能にするための例示的なシステムのブロック図である。
【図２８】図２８は、本明細書に記載する様々な態様による、干渉管理を可能にするための例示的なシステムのブロック図である。
【図２９】図２９は、干渉管理が行われ得る例示的なワイヤレス通信システムの図である。
【発明を実施するための形態】
【００４９】
次に、図面を参照しながら様々な実施形態について説明する。図面全体にわたって、同様の要素を指すのに同様の参照番号を使用する。以下の記述では、説明の目的で、１つまたは複数の実施形態の完全な理解を与えるために多数の具体的な詳細を記載する。ただし、そのような実施形態は、これらの具体的な詳細なしに実施され得ることは明らかであろう。他の例では、１つまたは複数の実施形態の説明を円滑にするために、よく知られている構造およびデバイスをブロック図の形態で示す。
【００５０】
本出願で使用する「構成要素」、「モジュール」、「システム」などの用語は、コンピュータ関連のエンティティ、すなわち、ハードウェア、ファームウェア、ハードウェアとソフトウェアの組合せ、ソフトウェア、および／または実行中のソフトウェアのいずれかを指すものとする。たとえば、構成要素は、プロセッサ上で実行されるプロセス、プロセッサ、オブジェクト、実行ファイル、実行スレッド、プログラム、および／またはコンピュータとすることができるが、これらに限定されない。例として、コンピューティングデバイス上で実行されるアプリケーションおよび／またはそのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、信号を介して、ローカルシステム、分散システム内の別の構成要素と対話する、および／またはインターネットなどのネットワーク上で他のシステムと対話する、１つの構成要素からのデータ）を有する信号によるなど、ローカルおよび／またはリモートプロセスを介して通信することができる。
【００５１】
本明細書で説明する技法は、符号分割多元接続（ｃｏｄｅ  ｄｉｖｉｓｉｏｎ  ｍｕｌｔｉｐｌｅ  ａｃｃｅｓｓ：ＣＤＭＡ）、時分割多元接続（ｔｉｍｅ  ｄｉｖｉｓｉｏｎ  ｍｕｌｔｉｐｌｅ  ａｃｃｅｓｓ：ＴＤＭＡ）、周波数分割多元接続（ｆｒｅｑｕｅｎｃｙ  ｄｉｖｉｓｉｏｎ  ｍｕｌｔｉｐｌｅ  ａｃｃｅｓｓ：ＦＤＭＡ）、直交周波数分割多元接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）、シングルキャリア周波数分割多元接続（ｓｉｎｇｌｅ−ｃａｒｒｉｅｒ−ｆｒｅｑｕｅｎｃｙ  ｄｉｖｉｓｉｏｎ  ｍｕｌｔｉｐｌｅ  ａｃｃｅｓｓ：ＳＣ−ＦＤＭＡ）および／または他のシステムなど、様々なワイヤレス通信システムに対して使用され得る。「システム」および「ネットワーク」という用語は、しばしば互換的に使用される。ＣＤＭＡシステムは、ユニバーサル・テレスティアル・ラジオ・アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ＣＤＭＡ８０２０などの無線技術を実装することができる。ＵＴＲＡは、広帯域ＣＤＭＡ（Ｗｉｄｅｂａｎｄ−ＣＤＭＡ：Ｗ−ＣＤＭＡ）およびＣＤＭＡの他の変形態を含む。ＣＤＭＡ８０２０は、ＩＳ−８０２０規格と、ＩＳ−９５規格と、ＩＳ−８５６規格とをカバーする。ＯＦＤＭＡシステムは、進化型ＵＴＲＡ（Ｅｖｏｌｖｅｄ  ＵＴＲＡ：Ｅ−ＵＴＲＡ）、ウルトラ・モバイル・ブロードバンド（Ｕｌｔｒａ  Ｍｏｂｉｌｅ  Ｂｒｏａｄｂａｎｄ：ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、ユニバーサル・モバイル・コミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部である。３ＧＰＰロング・ターム・エボリューション（Ｌｏｎｇ  Ｔｅｒｍ  Ｅｖｏｌｕｔｉｏｎ：ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびＧＳＭ（登録商標）は、「第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）と称する組織からの文書に記載されている。さらに、ＣＤＭＡ８０２０およびＵＭＢは、「第３世代パートナーシッププロジェクト２（３ｒｄ  Ｇｅｎｅｒａｔｉｏｎ  Ｐａｒｔｎｅｒｓｈｉｐ  Ｐｒｏｊｅｃｔ  ２）」（３ＧＰＰ２）と称する組織からの文書に記載されている。さらに、そのようなワイヤレス通信システムは、不対無資格スペクトルと、８０２．ｘｘワイヤレスＬＡＮと、ＢＬＵＥＴＯＯＴＨ（登録商標）と任意の他の短距離または長距離ワイヤレス通信技法とをしばしば使用するピアツーピア（たとえば、モバイルツーモバイル）アドホックネットワークシステムをさらに含むことができる。
【００５２】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有することができる。ＳＣ−ＦＤＭＡ信号は、その特有のシングルキャリア構造のためにより低いピーク対平均電力比（ＰＡＰＲ）を有することができる。ＳＣ−ＦＤＭＡは、たとえば、より低いＰＡＰＲが送信電力効率の点でＵＥに大きな利益を与えるアップリンク通信において使用され得る。したがって、ＳＣ−ＦＤＭＡは、３ＧＰＰロング・ターム・エボリューション（ＬＴＥ）または進化型ＵＴＲＡにおいてアップリンク多元接続方式として実装され得る。
【００５３】
さらに、本明細書では、様々な実施形態について、ユーザ機器（ＵＥ）に関して説明する。ＵＥは、システム、加入者ユニット、加入者局、移動局、モバイル、遠隔局、リモート端末、モバイルデバイス、アクセス端末、ワイヤレス通信デバイス、ユーザエージェントまたはユーザデバイスと呼ばれることもある。ＵＥは、セルラー電話、コードレス電話、セッション開始プロトコル（Ｓｅｓｓｉｏｎ  Ｉｎｉｔｉａｔｉｏｎ  Ｐｒｏｔｏｃｏｌ：ＳＩＰ）電話、ワイヤレスローカルループ（ｗｉｒｅｌｅｓｓ  ｌｏｃａｌ  ｌｏｏｐ：ＷＬＬ）局、携帯情報端末（ｐｅｒｓｏｎａｌ  ｄｉｇｉｔａｌ  ａｓｓｉｓｔａｎｔ：ＰＤＡ）、ワイヤレス接続機能を有するハンドヘルドデバイス、コンピューティングデバイス、またはワイヤレスモデムに接続された他の処理デバイスとすることができる。その上、本明細書では、様々な実施形態について、基地局（ｂａｓｅ  ｓｔａｔｉｏｎ：ＢＳ）またはＡＮに関して説明する。ＢＳは、ＵＥと通信するために利用され得、アクセスポイント、フェムトノード、ピコノード、ノードＢ、進化型ノードＢ（ｅノードＢ、ｅＮＢ）または何らかの他の用語で呼ばれることもある。
【００５４】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００５５】
本明細書で説明する様々な態様または特徴は、標準のプログラミングおよび／またはエンジニアリング技法を使用した方法、装置、または製造品として実装され得る。本明細書で使用する「製造品（ａｒｔｉｃｌｅ  ｏｆ  ｍａｎｕｆａｃｔｕｒｅ）」という用語は、任意のコンピュータ可読デバイス、キャリア、または媒体からアクセス可能なコンピュータプログラムを包含するものとする。たとえば、コンピュータ可読媒体は、磁気ストレージデバイス（たとえば、ハードディスク、フロッピー（登録商標）ディスク、磁気ストリップ）、光ディスク（たとえば、コンパクトディスク（ｃｏｍｐａｃｔ  ｄｉｓｋ：ＣＤ）、デジタル多用途ディスク（ｄｉｇｉｔａｌ  ｖｅｒｓａｔｉｌｅ  ｄｉｓｋ：ＤＶＤ））、スマートカード、およびフラッシュメモリデバイス（たとえば、ＥＰＲＯＭ、カード、スティック、キードライブ）を含むことができるが、これらに限定されない。さらに、本明細書で説明する様々な記憶媒体は、情報を記憶するための１つまたは複数のデバイスおよび／または他の機械可読媒体を表すことができる。「機械可読媒体」という用語は、ワイヤレスチャネル、ならびにコードおよび／または（１つまたは複数の）命令および／またはデータを記憶、含有、および／または搬送することが可能な様々な他の媒体（および／または記憶媒体）を含むことができるが、これらに限定されない。
【００５６】
いくつかの態様では、マクロスケールのカバレージ（たとえば、一般にマクロセルネットワークと呼ばれる、３Ｇネットワークなどの広域セルラーネットワーク）、およびより小規模のカバレージ（たとえば、レジデンスベースまたは建築物ベースのネットワーク環境）を含むネットワーク中で、本明細書の教示を採用し得る。ＵＥは、そのようなネットワーク中を移動する。ＵＥは、いくつかのロケーションでは、マクロカバレージを与えるＢＳによってサービスされ得るが、他のロケーションでは、より小規模のカバレージを与えるＢＳによってサービスされ得る。いくつかの態様では、より小さいカバレージノードを使用して、（たとえば、よりロバストなユーザ経験のために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、レジデンス）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【００５７】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことがある。
【００５８】
様々な適用例では、マクロノード、フェムトノード、またはピコノードを指すために他の用語を使用することがある。たとえば、マクロノードを、ＢＳ、ＡＮ、アクセスポイント、ｅノードＢ、マクロセルなどとして構成すること、またはそのように呼ぶことがある。また、フェムトノードを、ホームノードＢ、ホームｅノードＢ、アクセスポイントアクセスノード、フェムトセルなどとして構成すること、またはそのように呼ぶことがある。
【００５９】
図１は、本明細書に記載する様々な態様による、干渉管理を可能にするための例示的なワイヤレス通信システムの図である。ワイヤレス通信システム１００では、ＵＬ上での送信によって引き起こされる干渉はＢＳ１０２によって管理され得るが、ＤＬ上での送信によって引き起こされる干渉はＵＥ１１６、１２２によって管理され得る。
【００６０】
次に図１を参照すると、本明細書で提示する様々な実施形態によるワイヤレス通信システム１００が示されている。システム１００は、複数のアンテナグループを含むことができるＢＳ１０２を含む。たとえば、１つのアンテナグループはアンテナ１０４、１０６を含むことができ、別のグループはアンテナ１０８、１１０を備えることができ、さらなるグループはアンテナ１１２、１１４を含むことができる。アンテナグループごとに２つのアンテナが示されているが、グループごとにより多いまたはより少ないアンテナを利用することができる。ＢＳ１０２は、さらに、送信ノードチェーンと受信ノードチェーンとを含むことができ、送信ノードチェーンおよび受信ノードチェーンの各々は、当業者なら諒解するように、信号送信および受信に関連付けられた複数の構成要素（たとえば、プロセッサ、変調器、マルチプレクサ、復調器、デマルチプレクサ、アンテナ）を備えることができる。
【００６１】
ＢＳ１０２は、ＵＥ１１６、１２２などの１つまたは複数のＵＥと通信することができる。ただし、ＢＳ１０２は、ＵＥ１１６、１２２と同様の実質的に任意の数のＵＥと通信することができることを諒解されたい。ＵＥ１１６、１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスとすることができる。図示のように、ＵＥ１１６はアンテナ１１２、１１４と通信しており、アンテナ１１２、１１４は、ＤＬ１１８を介して情報をＵＥ１１６に送信し、ＵＬ１２０を介してＵＥ１１６から情報を受信する。その上、ＵＥ１２２はアンテナ１０４、１０６と通信しており、アンテナ１０４、１０６は、ＤＬ１２４を介して情報をＵＥ１２２に送信し、ＵＬ１２６を介してＵＥ１２２から情報を受信する。周波数分割複信（ｆｒｅｑｕｅｎｃｙ  ｄｉｖｉｓｉｏｎ  ｄｕｐｌｅｘ：ＦＤＤ）システムでは、たとえば、ＤＬ１１８は、ＵＬ１２０によって使用される周波数帯域とは異なる周波数帯域を利用することができ、ＤＬ１２４は、ＵＬ１２６によって採用される周波数帯域とは異なる周波数帯域を採用することができる。さらに、時分割複信（ｔｉｍｅ  ｄｉｖｉｓｉｏｎ  ｄｕｐｌｅｘ：ＴＤＤ）システムでは、ＤＬ１１８およびＵＬ１２０は共通の周波数帯域を利用することができ、ＤＬ１２４およびＵＬ１２６は共通の周波数帯域を利用することができる。
【００６２】
アンテナの各グループおよび／またはそれらが通信するように指定されたエリアは、ＢＳ１０２のセクタと呼ばれることがある。たとえば、アンテナグループは、ＢＳ１０２によってカバーされるエリアのセクタ中のＵＥに通信するように設計され得る。ＤＬ１１８、１２４を介した通信では、ＢＳ１０２の送信アンテナは、ＵＥ１１６、１２２のＤＬ１１８、１２４の信号対雑音比を改善するためにビームフォーミングを利用することができる。また、ＢＳ１０２が、ビームフォーミングを利用して関連するカバレージ中にランダムに散在するＵＥ１１６、１２２に送信する間、ＢＳがシングルアンテナを通してそのＢＳのすべてのＵＥに送信する場合と比較して、近隣セル中のＵＥ１１６、１２２は干渉を受けにくくなり得る。さらに、ＢＳ１０２およびＵＥ１１６、１２２は、本明細書で説明する干渉管理を可能にするように構成され得る。
【００６３】
図２は、本明細書に記載する様々な態様による、何人かのユーザのための干渉管理を可能にするための別の例示的なワイヤレス通信システムの図である。システム２００は、たとえば、マクロセル２０２Ａ〜２０２Ｇなど、複数のセル２０２の通信を行い、各セルは、対応するＢＳ２０４（たとえば、ＢＳ２０４Ａ〜２０４Ｇ）によってサービスされる。図２に示すように、ＵＥ２０６（たとえば、ＵＥ２０６Ａ〜２０６Ｌ）は、時間とともにシステム全体にわたって様々なロケーションに分散させられ得る。各ＵＥ２０６は、たとえば、ＵＥ２０６がアクティブであるかどうか、およびＵＥ２０６がソフトハンドオフ中であるかどうかに応じて、所与の瞬間においてＤＬまたはＵＬ上で１つまたは複数のＢＳ２０４と通信することができる。システム２００は大きい地理的領域にわたってサービスを提供し得る。たとえば、マクロセル２０２Ａ〜２０２Ｇは、近傍中の数ブロックをカバーし得る。
【００６４】
図３は、本明細書に記載する様々な態様による、干渉管理を可能にするために１つまたは複数のフェムトノードが展開される例示的なワイヤレス通信システムの図である。特に、システム３００は、比較的小規模ネットワーク環境中に（たとえば、１つまたは複数のユーザレジデンス３３０中に）設置された複数のフェムトノード３１０（たとえば、フェムトノード３１０Ａおよび３１０Ｂ）を含む。各フェムトノード３１０は、ＤＳＬルータ、ケーブルモデム、ワイヤレスリンク、または他の接続手段（図示せず）を介して、ワイドエリアネットワーク３４０（たとえば、インターネット）とモバイル事業者コアネットワーク３５０とに結合され得る。以下で説明するように、各フェムトノード３１０は、関連するＵＥ（たとえば、関連するＵＥ３２０Ａ）と、場合によっては、外来ＵＥ（たとえば、外来ＵＥ３２０Ｂ）とをサービスするように構成され得る。言い換えれば、フェムトノード３１０へのアクセスが制限され得、それによって、所与のＵＥ３２０は、指定された（１つまたは複数の）（たとえば、ホーム）フェムトノード３１０のセットによってはサービスされ得るが、指定されていないフェムトノード３１０（たとえば、ネイバーのフェムトノード３１０）によってはサービスされ得ない。
【００６５】
しかしながら、様々な実施形態では、関連するＵＥ３２０Ａは、外来ＵＥ３２０Ｂをサービスしているフェムトノード３１０からの干渉をＤＬ上で経験することがある。同様に、関連するＵＥ３２０Ａに関連付けられたフェムトノード３１０は、外来ＵＥ３２０Ｂからの干渉をＵＬ上で経験することがある。実施形態では、干渉管理は、本明細書で説明するシステム３００において可能にされ得る。
【００６６】
図４は、本明細書に記載する様々な態様による、干渉管理を可能にするためのワイヤレス通信システムにおける例示的なカバレージマップの図である。カバレージマップ４００は、いくつかの追跡エリア４０２（またはルーティングエリアまたはロケーションエリア）を含むことができ、追跡エリア４０２の各々はいくつかのマクロカバレージエリアを含むことができる。図示の実施形態では、追跡エリア４０２Ａ、４０２Ｂ、および４０２Ｃに関連付けられたカバレージのエリアは太線によって示され、マクロカバレージエリア４０４は六角形によって表される。追跡エリア４０２Ａ、４０２Ｂ、および４０２Ｃはフェムトカバレージエリア４０６を含むことができる。この例では、フェムトカバレージエリア４０６（たとえば、フェムトカバレージエリア４０６Ｃ）の各々は、マクロカバレージエリア４０４（たとえば、マクロカバレージエリア４０４Ｂ）内に示される。ただし、フェムトカバレージエリア４０６は、完全にマクロカバレージエリア４０４内にあるわけではないことを諒解されたい。実際問題として、多数のフェムトカバレージエリア４０６を所与の追跡エリア４０２またはマクロカバレージエリア４０４とともに画定することができる。また、１つまたは複数のピコカバレージエリア（図示せず）を所与の追跡エリア４０２またはマクロカバレージエリア４０４内に画定することができる。
【００６７】
再び図３を参照すると、フェムトノード３１０の所有者は、たとえば、３Ｇモバイルサービスなど、モバイル事業者コアネットワーク３５０を介して提供されるモバイルサービスに加入することができる。さらに、ＵＥ３２０は、マクロ環境中と、より小規模の（たとえば、宅内）ネットワーク環境中の両方で動作することが可能であり得る。言い換えれば、ＵＥ３２０の現在ロケーションに応じて、ＵＥ３２０は、モバイル事業者コアネットワーク３５０のアクセスノード３６０によって、または、フェムトノード３１０のセットのうちのいずれか１つ（たとえば、対応するユーザレジデンス３３０内に常駐するフェムトノード３１０Ａおよび３１０Ｂ）によってサービスされ得る。たとえば、加入者は、自宅の外にいるときには、標準のマクロアクセスノード（たとえば、アクセスノード３６０）によってサービスされ、自宅の中にいるときには、フェムトノード（たとえば、ノード３１０Ａ）によってサービスされる。ここで、フェムトノード３１０は既存のＵＥ３２０と後方互換性があり得ることを諒解されたい。
【００６８】
フェムトノード３１０は、単一の周波数上に展開され、または代替として、複数の周波数上に展開され得る。特定の構成に応じて、単一の周波数、あるいは複数の周波数のうちの１つまたは複数は、マクロノード（たとえば、アクセスノード３６０）によって使用される１つまたは複数の周波数と重複することがある。
【００６９】
いくつかの態様では、ＵＥ３２０は、そのような接続性が可能なときはいつでも、好適なフェムトノード（たとえば、ＵＥ３２０のホームフェムトノード）に接続するように構成され得る。たとえば、ＵＥ３２０がユーザのレジデンス３３０内にあるときはいつでも、ＵＥ３２０がホームフェムトノード３１０のみと通信することが望ましいことがある。
【００７０】
いくつかの態様では、ＵＥ３２０がモバイル事業者コアネットワーク３５０内で動作しているが、（たとえば、好適ローミングリスト中で定義された）その最も好適なネットワーク上に常駐していない場合、ＵＥ３２０は、ベターシステムリセレクション（Ｂｅｔｔｅｒ  Ｓｙｓｔｅｍ  Ｒｅｓｅｌｅｃｔｉｏｎ：ＢＳＲ）を使用して、最も好適なネットワーク（たとえば、好適なフェムトノード３１０）を探索し続け得、ベターシステムリセレクションでは、より良好なシステムが現在利用可能であるかどうかを判断するために利用可能なシステムの周期的スキャニングを行うことができ、その後、そのような好適なシステムに関連付けようとする。捕捉エントリを用いて、ＵＥ３２０は、特定の帯域およびチャネルの探索を制限し得る。たとえば、最も好適なシステムの探索が周期的に繰り返され得る。好適なフェムトノード３１０が発見されると、ＵＥ３２０は、そのカバレージエリア内にキャンピングするためにフェムトノード３１０を選択する。
【００７１】
フェムトノードは、いくつかの態様では、制限され得る。たとえば、所与のフェムトノードは、いくつかのサービスをいくつかのＵＥのみに提供し得る。いわゆる制限（または限定）された関連付けを用いた展開では、所与のＵＥは、マクロセルモバイルネットワークと、フェムトノードの定義されたセット（たとえば、対応するユーザレジデンス３３０内に常駐するフェムトノード３１０）とによってのみサービスされ得る。いくつかの実装形態では、ノードは、少なくとも１つのノードにシグナリング、データアクセス、登録、ページング、またはサービスのうちの少なくとも１つを提供しないように制限され得る。
【００７２】
いくつかの態様では、（限定加入者グループホームノードＢと呼ばれることもある）制限されたフェムトノードは、サービスを、制限されたプロビジョニングされたＵＥのセットに提供するノードである。このセットは、必要に応じて、一時的にまたは永続的に拡大され得る。いくつかの態様では、限定加入者グループ（Ｃｌｏｓｅｄ  Ｓｕｂｓｃｒｉｂｅｒ  Ｇｒｏｕｐ：ＣＳＧ）は、ＵＥの共通のアクセス制御リストを共有するＢＳ（たとえば、フェムトノード）のセットとして定義され得る。領域中のすべてのフェムトノード（またはすべての制限されたフェムトノード）が動作するチャネルをフェムトチャネルと呼ぶことがある。
【００７３】
したがって、所与のフェムトノードと所与のＵＥとの間には様々な関係が存在し得る。たとえば、ＵＥの観点から、開いたフェムトノードは、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、ＵＥがアクセスし、その上で動作することを許可されるフェムトノードを指すことがある。ゲストフェムトノードは、ＵＥがアクセスし、またはその上で動作することを一時的に許可されるフェムトノードを指すことがある。外来フェムトノードは、おそらく非常事態（たとえば、９１１番）を除いて、ＵＥがアクセスし、またはその上で動作することを許可されないフェムトノードを指すことがある。
【００７４】
制限されたフェムトノードの観点から、ホームＵＥは、制限されたフェムトノードへのアクセスを許可されるＵＥを指すことがある。ゲストＵＥは、制限されたフェムトノードへの一時的アクセスをもつＵＥを指すことがある。外来ＵＥは、たとえば、おそらく９１１番などの非常事態を除いて、制限されたフェムトノードにアクセスする許可を有していないＵＥ（たとえば、制限されたフェムトノードに登録する証明書または許可を有していないＵＥ）を指すことがある。
【００７５】
フェムトノードに関して図４の説明を与えたが、ピコノードは、より大きいカバレージエリアに同じまたは同様の機能を提供し得ることを諒解されたい。たとえば、所与のＵＥに対して、ピコノードを制限すること、ホームピコノードを定義することなどが行われ得る。
【００７６】
ワイヤレス多元接続通信システムは、複数のワイヤレスＵＥのための通信を同時にサポートすることができる。上述のように、各ＵＥは、ＤＬまたはＵＬ上での送信を介して１つまたは複数のＢＳと通信することができる。これらの通信リンク（すなわち、ＤＬおよびＵＬ）は、単入力単出力システム、多入力多出力（ｍｕｌｔｉｐｌｅ−ｉｎ―ｍｕｌｔｉｐｌｅ−ｏｕｔ：ＭＩＭＯ）システム、または何らかの他のタイプのシステムを介して確立され得る。
【００７７】
ＭＩＭＯシステムは、データ送信用の複数（ＮＴ）個の送信アンテナと複数（ＮＲ）個の受信アンテナとを採用する。ＮＴ個の送信アンテナとＮＲ個の受信アンテナとによって形成されるＭＩＭＯチャネルは、空間チャネルとも呼ばれるＮＳ個の独立チャネルに分解され得、ＮＳ≦ｍｉｎ｛ＮＴ，ＮＲ｝である。ＮＳ個の独立チャネルの各々は１つの次元に対応する。複数の送信アンテナおよび受信アンテナによって生じる追加の次元数が利用された場合、ＭＩＭＯシステムは改善されたパフォーマンス（たとえば、より高いスループットおよび／またはより大きい信頼性）を与え得る。
【００７８】
ＭＩＭＯシステムは、ＴＤＤとＦＤＤとをサポートすることができる。ＴＤＤシステムでは、ＤＬ送信およびＵＬ送信が同一周波数領域上で行われ得るので、相反定理によりＵＬからのＤＬチャネルの推定が可能である。これにより、複数のアンテナがＡＮで利用可能であるとき、ＢＳはＤＬ上でビームフォーミング利得を送信することが可能になる。いくつかの実施形態では、本明細書で説明するように、干渉管理のために、ＵＬチャネルのチャネル状態がＤＬチャネルから推定され得る。
【００７９】
図５Ａに、ＤＬ上での干渉管理を可能にするためのワイヤレス通信システムの例示的なブロック図を示す。システム５００は、ＤＬ上でのＢＳとＵＥとの間の干渉を管理する（たとえば、制御および／または低減する）ことができる。様々な実施形態では、システム５００は、ＬＴＥシステム、ＬＴＥ−Ａシステム、または説明する動作が実行され得る任意のタイプのシステムとすることができる。
【００８０】
システム５００は、１つまたは複数のＢＳ５０２、５０６、５０８と、少なくとも１つのＵＥ５０３とを含むことができる。システム５００は、ＢＳ５０２、５０６、５０８と、少なくとも１つのＵＥ５０３とを含むことができる。いくつかの実施形態では、ＢＳ５０２、５０６、５０８は、ワイヤレス通信システムにおいてワイヤレス通信チャネルを介して情報を送信するＢＳとすることができる。受信機５０３は、ＢＳ５０２、５０６、５０８によって送信された情報を受信または検出することが可能な受信機とすることができる。例として、ＵＥ５０３は、ＤＬ上で送信された情報を受信または検出することが可能なＵＥとすることができ、ＢＳ５０２、５０６、５０８は、ＤＬ上で情報を送信することが可能なＢＳとすることができる。
【００８１】
いくつかの実施形態では、ＢＳ５０２は、受信機５０３によってサービスされ、受信機５０３への干渉を引き起こすことなしに送信することができる。いくつかの実施形態では、ＢＳ５０６、５０８は、受信機５０３をサービスしない干渉ＢＳである。ＢＳ５０６、５０８は、送信し、受信機５０３がＢＳ５０６、５０８による送信を受信または検出したとき、受信機５０３への干渉を引き起こすことがある。受信機５０３および／またはＢＳ５０２、５０６、５０８は、受信機５０３における干渉を管理および／または制御するためにシステム５００において干渉管理を行うように構成され得る。
【００８２】
様々な実施形態では、ＢＳ５０２とＵＥ５０３との間の実線によってサービング通信リンクが示され得、ＢＳ５０６、５０８とＵＥ５０３との間の点線によって相互通信リンクが示され得る。サービング通信リンクは非干渉リンクを示すことができ、相互通信リンクは干渉リンクを示すことができる。
【００８３】
ＢＳ５０２、５０６、５０８は、それぞれトランシーバ５３０、５１１、５１８を含むことができ、ＵＥ５０３はトランシーバ５１０を含むことができ、それらのトランシーバは、情報を送信および／または受信するように構成される。送信および／または受信される情報は、限定はしないが、データ、制御チャネル情報、パイロット信号、および／またはワイヤレス通信チャネルを介して送信または受信され得る任意の情報を含むことができる。
【００８４】
ＢＳ５０２、５０６、５０８は、それぞれ干渉管理モジュール５１９、５１３、５２０を含むことができ、ＵＥ５０３は干渉管理モジュール５１２を含むことができる。干渉管理モジュール５１９、５１３、５２０は、干渉管理モジュール５１２とは構造および／または機能が異なることがある。同様に、干渉管理モジュール５１９、５１３、５２０は、ＢＳがそれとともに構成される機能に応じて異なることがある。
【００８５】
いくつかの実施形態では、干渉管理モジュール５１９、５１３、５２０、５１２は、システム、方法、装置および／またはコンピュータプログラム製品に関して本明細書で説明する干渉管理のための機能のうちの１つまたは複数を実行するように構成され得る。限定ではなく例として、干渉管理のための機能は、公称干渉と、干渉と、公称信号対干渉雑音比と、意図された送信電力と、送信電力との値、トラフィックの優先順位、チャネル利得、チャネル利得情報および／またはバッファ状態情報を計算すること、および／または判断すること、および／または設定することを含むことができる。チャネル利得は、公称送信電力に対する受信信号電力とすることができる。チャネル利得は、公称送信電力に対する受信信号電力の対数値、分数または差として表され得る。いくつかの実施形態では、公称送信電力は、チャネル利得を計算するＵＥまたはＢＳに知られている。チャネル利得情報はチャネル利得を含むことができる。
【００８６】
限定ではなく他の例として、干渉管理のための機能は、送信をスケジュールすることを含むことができる。限定ではなく他の例として、干渉管理のための機能は、第１のセル中のＢＳによる意図された送信について、別のセル中のＵＥに対する劣化と比較して、送信する上記ＢＳに対する利益を比較することを含むことができる。その劣化は、上記ＢＳによる送信のせいであることがある。
【００８７】
ＢＳ５０２、５０６、５０８は、それぞれプロセッサ５２１、５１５、５２２を含むことができる。ＵＥ５０３はプロセッサ５１４を含むことができる。プロセッサ５２１、５１５、５２２、５１４は、システム、方法、装置および／またはコンピュータプログラム製品のうちのいずれかに関して本明細書で説明する機能のうちの１つまたは複数を実行するように構成され得る。
【００８８】
ＢＳ５０２、５０６、５０８は、それぞれメモリ５２３、５１７、５２４を含むことができ、ＵＥ５０３はメモリ５１６を含むことができる。メモリ５２３、５１７、５２４、５１６は、システム、方法、装置および／またはコンピュータプログラム製品のうちのいずれかに関して本明細書で説明する機能を実行するためのコンピュータ実行可能命令および／または情報を記憶するためのものとすることができる。
【００８９】
ダウンリンク上での干渉関係を示す、図示の実施形態では、ＢＳ５０２、５０６、５０８はＢＳとすることができ、ＵＥ５０３はＵＥとすることができる。ＢＳ５０６、５０８は、ＵＥ５０３がその中にあるセル以外のセル中にある干渉ＢＳとすることができる。ＢＳ５０６、５０６による送信は、ＵＥ５０３における干渉を生じることがある。ＢＳ５０２は、ＵＥ５０３をもつセル中にあるサービングＢＳであって、ＵＥ５０３をサービスするサービングＢＳとすることができる。したがって、ＢＳ５０２による送信は、様々な実施形態では非干渉送信であることがある。
【００９０】
図５Ｂに、ＵＬ上での干渉管理を可能にするためのワイヤレス通信システムの例示的なブロック図を示す。システム５５０は、ＵＬ上でのＵＥとＢＳとの間の干渉を管理する（たとえば、制御および／または低減する）ことができる。様々な実施形態では、システム５５０は、ＬＴＥシステム、ＬＴＥ−Ａシステム、または説明する動作が実行され得る任意のタイプのシステムとすることができる。
【００９１】
システム５５０は、ＵＥ５５２、５５６、５５８と、少なくとも１つのＢＳ５５３とを含むことができる。いくつかの実施形態では、ＵＥ５５２、５５６、５５８は、ワイヤレス通信システムにおいてワイヤレス通信チャネルを介して情報を送信するＵＥとすることができる。ＢＳ５５３は、ＵＥによって送信された情報を受信または検出することが可能な受信機とすることができる。例として、ＢＳ５５３は、ＵＬ上で送信された情報を受信または検出することが可能なＢＳとすることができ、ＵＥ５５２、５５６、５５８は、ＵＬ上で情報を送信することが可能なＵＥとすることができる。
【００９２】
いくつかの実施形態では、ＵＥ５５２は、ＢＳ５５３によってサービスされ、ＢＳ５５３への干渉を引き起こすことなしに送信することができる。いくつかの実施形態では、ＵＥ５５６、５５８は、受信機５５３によってサービスされない干渉ＵＥである。ＵＥ５５６、５５８は、送信し、ＢＳ５５３がＵＥ５５６、５５８による送信を受信または検出したとき、ＢＳ５５３への干渉を引き起こすことがある。ＢＳ５５３および／またはＵＥ５５２、５５６、５５８は、受信機５５３における干渉を管理および／または制御するためにシステム５５０において干渉管理を行うように構成され得る。
【００９３】
様々な実施形態では、ＵＥ５５２とＢＳ５５３との間の実線によってサービング通信リンクが示され得、ＵＥ５５６、５５８とＢＳ５５３との間の点線によって相互通信リンクが示され得る。サービング通信リンクは非干渉リンクを示すことができ、相互通信リンクは干渉リンクを示すことができる。
【００９４】
ＵＥ５５２、５５６、５５８は、それぞれトランシーバ５６９、５６１、５６８を含むことができ、ＢＳ５５３はトランシーバ５６０を含むことができ、それらのトランシーバは、情報を送信および／または受信するように構成される。送信および／または受信される情報は、限定はしないが、データ、制御チャネル情報、パイロット信号、および／またはワイヤレス通信チャネルを介して送信または受信され得る任意の情報を含むことができる。
【００９５】
ＵＥ５５２、５５６、５５８は、それぞれ干渉管理モジュール５８０、５６３、５７０を含むことができ、ＢＳ５５３は干渉管理モジュール５６２を含むことができ、それらの干渉管理モジュールは、システム、方法、装置および／またはコンピュータプログラム製品のうちのいずれかに関して本明細書で説明する干渉管理のための機能のうちの１つまたは複数を実行するように構成される。干渉管理モジュール５８０、５６３、５７０は、干渉管理モジュール５６３とは構造および／または機能が異なることがある。同様に、干渉管理モジュール５８０、５６３、５７０は、ＵＥがそれとともに構成される機能に応じて異なることがある。
【００９６】
いくつかの実施形態では、干渉管理モジュール５８０、５６３、５７０、５６２は、システム、方法、装置および／またはコンピュータプログラム製品に関して本明細書で説明する干渉管理のための機能のうちの１つまたは複数を実行するように構成され得る。限定ではなく例として、干渉管理のための機能は、公称干渉と、干渉と、公称信号対干渉雑音比と、意図された送信電力と、送信電力との値、トラフィックの優先順位、チャネル利得情報および／またはバッファ状態情報を計算すること、および／または判断すること、および／または設定することを含むことができる。限定ではなく他の例として、干渉管理のための機能は、送信をスケジュールすることを含むことができる。限定ではなく他の例として、干渉管理のための機能は、第１のセル中のＵＥによる意図された送信について、別のセル中のＢＳに対する劣化と比較して、送信する上記ＵＥに対する利益を比較することを含むことができる。その劣化は、上記ＵＥによる送信のせいであることがある。
【００９７】
ＵＥ５５２、５５６、５５８は、それぞれプロセッサ５６６、５８１、５７２を含むことができる。ＢＳ５５３はプロセッサ５６４を含むことができる。プロセッサ５６６、５８１、５７２、５６４は、システム、方法、装置および／またはコンピュータプログラム製品のうちのいずれかに関して本明細書で説明する機能のうちの１つまたは複数を実行するように構成され得る。
【００９８】
ＵＥ５５２、５５６、５５８は、それぞれメモリ５６７、５８２、５７４を含むことができ、ＢＳ５５３はメモリ５６５を含むことができる。メモリ５６７、５８２、５７４、５６５は、システム、方法、装置および／またはコンピュータプログラム製品のうちのいずれかに関して本明細書で説明する機能を実行するためのコンピュータ実行可能命令および／または情報を記憶するためのものとすることができる。
【００９９】
ＵＬ上での干渉関係を示す、図示の実施形態では、ＵＥ５５２、５５６、５５８はＵＥとすることができ、ＢＳ５５３はＢＳとすることができる。いくつかの実施形態では、ＢＳ５５３は、ＵＥ５５２のためのサービングＢＳとすることができる。ＵＥ５５６、５８８は、ＢＳ５５３がその中にあるセル以外のセル中にある干渉ＵＥとすることができる。ＵＥ５５６、５５８による送信は、ＢＳ５５３における干渉を生じることがある。ＢＳ５５３は、ＵＥ５５２をもつセル中にあるサービングＢＳとすることができる。したがって、ＵＥ５５２による送信は、様々な実施形態では非干渉送信であることがある。
【０１００】
図６Ａに、１つまたは複数の干渉ＢＳをもつシステムにおいて干渉管理を可能にするための例示的な方法のフローチャートを示す。６１０において、方法６００は、公称干渉を計算することを含むことができる。いくつかの実施形態では、公称干渉は、１つまたは複数の干渉ＢＳについてのチャネル利得情報、１つまたは複数の干渉ＢＳの平均トラフィック負荷、１つまたは複数の干渉基地局の瞬時トラフィック負荷、１つまたは複数のセル中のトラフィック負荷または優先順位、１つまたは複数のセル中のトラフィック負荷または優先順位を示すバッファ状態情報、のうちの１つまたは複数を使用して計算される。
【０１０１】
いくつかの実施形態では、公称干渉を計算することは、１つまたは複数の干渉ＢＳからの干渉を判断することと、１つまたは複数の干渉ＢＳの送信レートを計算することと、セル外ＵＥにおける送信レートを最大にする、１つまたは複数の干渉ＢＳの数を判断することと、セル外ＵＥにおける送信レートを最大にする、１つまたは複数の干渉ＢＳの数に対応する公称干渉を計算することとを含むことができる。
【０１０２】
６２０において、方法６００は、公称干渉を１つまたは複数の干渉ＢＳに送信することを含むことができる。公称干渉は、セル外ＵＥが情報を受信するためのリソースの同じセットを介して１つまたは複数の干渉ＢＳのうちの少なくとも１つが送信する場合、セル外ＵＥにとっての送信レートの損失を計算するために、１つまたは複数の干渉ＢＳのうちの少なくとも１つに送信され得る。
【０１０３】
図６Ｂに、本明細書に記載する様々な態様による、干渉管理を可能にするためのスケジューリングの例示的な方法のフローチャートを示す。方法６３０の６４０において、ＵＥが干渉情報をＢＳに送信する。干渉情報は、限定はしないが、ＵＥのためのサービング通信リンク上のリンク優先順位、および／またはＵＥがサービング通信リンク上で達成することを望む送信レートを含むことができる。いくつかの実施形態では、リンク優先順位は、ＵＥがサービング通信リンクを介して送信することを意図するトラフィックの優先順位とすることができる。たとえば、リンク優先順位は、ＵＥによってサービスされるＢＳにＵＥが送信することを意図するトラフィックのサービス品質（Ｑｕａｌｉｔｙ  ｏｆ  Ｓｅｒｖｉｃｅ：ＱｏＳ）を示すことができる。リンク優先順位は、ＵＥによって送信されるバッファ状態情報中に含まれ得る。
【０１０４】
ＵＥは、ブロードキャスト方法またはユニキャスト方法によってリンク優先順位および／または送信レートを送信することができる。送信レートは、ＵＥがサービング通信リンク上で経験することを望む公称信号対干渉雑音比（ｓｉｇｎａｌ−ｉｎｔｅｒｆｅｒｅｎｃｅ  ａｎｄ  ｎｏｉｓｅ  ｒａｔｉｏ：ＳＩＮＲ）に対応することができる。たとえば、望まれる送信レートが高いほど、ＵＥによって要求され得るＳＩＮＲは高くなる。ＳＩＮＲの信号部分はサービング通信リンク上で送信され得るが、ＳＩＮＲの干渉部分は相互通信リンク上で送信され得る。
【０１０５】
いくつかの実施形態では、ＵＥは、以下で説明する方法７００のステップ７２０を実行することによって、送信レートを計算することができる。
【０１０６】
いくつかの実施形態では、干渉情報はチャネル利得情報をも含むことができる。ＵＥとＢＳとの間の通信リンクの劣化を示すチャネル利得を含むことができる、チャネル利得情報も、ＵＥからＢＳに送信され得る。チャネル利得情報は、ＵＥと選択されたＢＳとの間の通信リンク上の瞬時および／または平均トラフィック状態に基づいて計算され得る。したがって、実施形態では、チャネル利得情報は、ＢＳのうちの１つまたは複数の間において異なり得る。
【０１０７】
再び図６を参照すると、６５０において、ＢＳは、送信に基づく予測ＳＩＮＲを計算するか、またはバックオフし、したがって送信しない。特に、ＢＳは、ＢＳが送信するときに生じる可能性がある予測ＳＩＮＲ、ならびにＢＳが送信しないとき、および／またはＢＳが完全電力レベルよりも低い選択された電力レベルで送信するときに生じる可能性があるＳＩＮＲを計算することができる。
【０１０８】
６６０において、ＢＳは、ＢＳが送信する場合の、サービング通信リンク上での送信レートに対する劣化を判断する。その判断は、ＢＳが送信するときの予測ＳＩＮＲと、ＢＳがバックオフを実行するかまたは全電力よりも少ない選択された電力レベルで送信するときの予測ＳＩＮＲとの比較に基づくことができる。
【０１０９】
６７０において、ＢＳは、干渉情報中に含まれるパラメータと、ＢＳによって判断された予測ＳＩＮＲとに基づいて、ＢＳからの情報の送信（またはバックオフ）をスケジュールする。ＢＳは、干渉情報中に含まれるパラメータが受信リンクにおいて満たされるように、送信またはバックオフをスケジュールすることができる。
【０１１０】
いくつかの実施形態では、ＢＳはまた、送信がスケジュールされる場合、送信電力レベルを判断することができる。送信電力レベルは、高い優先順位を有するサービング通信リンクが、要求されるＳＩＮＲを経験するように、判断され得る。
【０１１１】
いくつかの実施形態では、ＢＳは、干渉情報中に含まれるパラメータ、ＢＳによって判断された予測ＳＩＮＲ、および／またはＢＳが送信するためのサービング通信リンクに対して予測される劣化と比較した、送信するＢＳに対して予測される利益に基づいて、ＢＳからの情報の送信（またはバックオフ）をスケジュールすることができる。ＢＳは、トレードオフ分析を実行し、ＢＳに対する利益がＵＥに対する劣化よりも大きい場合、送信するか、または選択された電力レベルで送信することができる。いくつかの実施形態では、ＢＳは、送信するＢＳに対する利益がＵＥに対する劣化よりも小さい場合、低い送信レベルで送信することができる。
【０１１２】
いくつかの実施形態では、ＵＥから任意の数の異なるタイプの情報を受信したときにＢＳによって公称干渉が計算され得る。いくつかの実施形態では、システム中の第１のＢＳが公称干渉を計算しているとき、その公称干渉は、システム中の、計算を実行している上記ＢＳ以外の、１つまたは複数の他のＢＳからの干渉寄与とすることができる。
【０１１３】
限定ではなく例として、公称干渉は、すべてのＢＳについてのチャネル利得情報を受信するＢＳによって計算され得る。ＢＳは、そのチャネル利得情報を、ＢＳが送信することから生じる公称干渉にマッピングすることができる。
【０１１４】
別の例として、公称干渉は、すべてのＢＳについての平均負荷情報を受信するＢＳによって計算され得る。ＢＳは、負荷の増加とともに公称干渉を増加させる関数に従って、その平均負荷情報を公称干渉にマッピングすることができる。いくつかの実施形態では、チャネル利得情報および平均負荷は、ＢＳが送信することから生じる公称干渉を推定するために、一緒に考慮され得る。
【０１１５】
別の例として、公称干渉は、ＵＥから送信されるべきトラフィックの選択されたレベルの量に関する情報を受信するＢＳによって計算され得る。ＢＳは、そのトラフィックのレベルの量を公称干渉にマッピングすることができる。たとえば、相当量のトラフィックが低いレベルのトラフィックである場合、計算される公称干渉は、相当量のトラフィックが高いレベルのトラフィックである場合よりも大きくなる。
【０１１６】
いくつかの実施形態では、ＵＥは、ＢＳに送信される干渉情報中に公称干渉を含めることもできる。公称干渉は、選択された干渉ＢＳのバックオフを取得するために、干渉ＢＳからの干渉レベルに基づいて計算され得る。図７は、支配的干渉ＢＳの選択されたバックオフを取得するために公称干渉を計算する例示的な方法のフローチャートである。
【０１１７】
７１０において、方法７００は、１つまたは複数の干渉ＢＳからの干渉を判断することを含むことができる。上記干渉は、ＵＥが動作するシステムについて判断され得る。様々な実施形態では、上記干渉は、図８を参照しながら説明する方法に従って計算され得る。
【０１１８】
７２０において、方法７００は、干渉ＢＳの送信レートを計算することを含むことができる。各計算される送信レートは、サービング通信リンク上のチャネル利得、ＵＥにおいて経験されるＢＳ電力、システム中の雑音電力、および／または干渉ＢＳによって引き起こされる干渉、の関数とすることができる。一実施形態では、干渉ＢＳの送信レートは、式１に示すように計算され得る。
【数１】
2013225882.tif 000003
【０１１９】
上式で、Ｎは、システム中の干渉ＢＳの数であり、Ｇは、サービング通信リンクのチャネル利得であり、Ｐは、ＵＥにおいて経験されるＢＳ電力であり、ＮＯは、システム中の雑音電力であり、ＩＫは、ｋ番目に最も支配的な干渉ＢＳによって引き起こされる干渉である。Ｃ（）は、いくつかの実施形態ではＣ（ＳＩＮＲ）とすることができ、容量関数とすることができる。
【０１２０】
７３０において、方法７００は、ＵＥの平均送信レートを最大にする、不通にすべき干渉ＢＳの数、ｎｏｐｔを判断することを含むことができる。
【０１２１】
７４０において、方法７００は、ｎｏｐｔ個の干渉ＢＳに対応する公称干渉を計算することを含むことができる。一実施形態では、公称干渉は、式２に示すように計算され得る。
【数２】
2013225882.tif 000004
【０１２２】
したがって、ＵＥは、ＵＥの送信レートを最大にする、公称干渉の値を設定することができる。公称干渉は、図６に関して上記で説明したように、ＵＥからＢＳに送信される干渉情報中に含まれ得る。
【０１２３】
様々な実施形態では、ステップ７３０の代わりに、方法７００は、ＵＥの送信レートを最大にする数以外の干渉ＢＳの数を選択することを含むことができる。
【０１２４】
たとえば、方法７００は、干渉ＢＳの数がシステム中のアクティブ干渉ＢＳの数であるように変更され得る。それに応じて、Ｎは、システム中のアクティブ干渉ＢＳの数を表すことができる。これらの実施形態では、選択された数の過去のサブフレーム中に干渉物がデータを送信した場合、その干渉物はアクティブ干渉物と見なされ得る。過去のサブフレームの数はＵＥによって判断され得る。
【０１２５】
別の例として、方法７００は、干渉ＢＳの数がシステム中のアクティブセット中のアクティブ干渉ＢＳの数であるように変更され得る。アクティブセットは、ＵＭＴＳなど、ＵＭＢおよび／またはＣＤＭＡシステムにおいて定義されるようなものとすることができる。それに応じて、Ｎは、システム中のアクティブセット中の干渉ＢＳの数を表すことができる。
【０１２６】
別の例として、方法７００は、干渉ＢＳの数がネイバーセルの構成されたリスト中の干渉ＢＳの数であるように変更され得る。それに応じて、Ｎは、ネイバーセルの構成されたリスト中の干渉ＢＳの数を表すことができる。
【０１２７】
他の実施形態では、式１の容量関数から送信レートを計算する代わりに、方法７００は、ＳＩＮＲ値を送信レートにマッピングするルックアップテーブルを利用するように変更され得る。それに応じて、式１のＣ（ＳＩＮＲ）関数はルックアップテーブル値と置き換えられ得る。次いで、ルックアップテーブル値は、公称干渉を計算するために式１中で利用され得る。いくつかの実施形態では、方法７００は、符号化レート、符号化方法および／またはブロックサイズを指定するようにさらに変更され得る。
【０１２８】
いくつかの実施形態では、方法７００は、任意の数の結果を達成するように公称干渉を設定することを含むように変更され得る。
【０１２９】
たとえば、ＵＥは、選択された数の最も支配的な干渉ＢＳが、バックオフを実行し、送信しないように、公称干渉を設定することができる。第１に、ＵＥは、選択された数の最も支配的な干渉ＢＳが送信しないときに生じる値に対応するように送信レートを設定することができる。第２に、ＵＥは、計算された送信レートに対応する値に公称干渉を設定することができる。したがって、（図６Ｂに関して説明したように）干渉情報の一部として公称干渉および／または送信レートを受信した、選択された数の最も支配的な干渉ＢＳはバックオフする。
【０１３０】
別の例として、ＵＥは、ＵＥが低ジオメトリにある場合は、ＵＥが高ジオメトリにある場合よりも多くの干渉ＢＳがバックオフするように、公称干渉を設定することができる。
【０１３１】
いくつかの実施形態では、方法７００のステップ７１０は、図８に関して説明するように実行され得る。図８は、本明細書で説明する様々な態様による、システムのＤＬ上でのＢＳからの干渉を判断する方法の一例の図である。そのシステムは、いくつかの実施形態ではＬＴＥシステムとすることができる。
【０１３２】
８１０において、方法８００は、ＵＥが、パイロット信号を受信することを含むことができる。パイロット信号は、ＵＥがその中にあるセルの外のＢＳから受信され得る。８２０において、方法８００は、ＢＳの各々の干渉を計算することを含むことができる。計算される干渉は、パイロット信号からの測定信号強度に基づくことができる。
【０１３３】
８３０において、方法８００は、測定報告をサービング基地局に送信することを含むことができる。ＵＥは測定報告を送信することができる。測定報告は、パイロット信号が受信されたＢＳの計算された干渉を含むことができる。いくつかの実施形態では、測定報告は、ＵＥとＢＳとの間のチャネル利得情報を含むことができる。測定報告は、バックホールを介してまたは無線（ＯＴＡ）メッセージとして送信され得る。
【０１３４】
ＵＥが、ＵＥであり、したがってサービングＡＮに送信するためのＵＬ許可を必要とする実施形態では、本方法は、ＵＥからサービングＡＮにスケジューリング要求（ＳＲ）が送られることをも含むことができる。サービングＢＳは、ＳＲを復号することが可能であるように構成され得る。本方法は、サービングＢＳが、ＵＬ上での干渉を除去し、ＵＥにＵＬ許可を送信することをも含むことができる。干渉を除去し、ＵＬ許可を送信することは、ＳＲを受信および復号することに応答して実行され得る。次いで、ＵＥは測定報告をサービングＡＮに送信することができる。
【０１３５】
測定報告を受信すると、サービングＢＳは、測定報告、または測定報告中に含まれる情報を、サービングＢＳがその中にあるセルの外のセル中の１つまたは複数の他のＢＳに送信することができる。したがって、システム中の異なるセル中のＢＳは、他のＢＳから干渉を示す情報を受信することができる。干渉を示す情報は、図６Ｂの方法を実行するために使用され得る。サービングＢＳに送られる、ＵＥにおいて計算された干渉は、図７の方法を実行するために使用され得る。
【０１３６】
図９は、本明細書で説明する様々な態様による、システムのＤＬ上でのＢＳからの干渉を判断する別の方法の一例の図である。９１０において、方法９００は、ＵＥが、ＢＳに関連する、前の送信情報を判断することを含むことができる。送信情報は、任意の選択された数の過去の時間間隔および／または過去のサブフレームの間のものとすることができる。様々な実施形態では、前の送信情報は、前の間隔におけるＢＳによる送信があったかどうか、および／または前の間隔においてＢＳによって送信されたトラフィックの優先順位があったかどうかを含むことができる。
【０１３７】
９２０において、方法９００は、ＵＥが、送信情報に基づいてトラフィック負荷情報を判断することを含むことができる。９３０において、方法９００は、ＵＥが、トラフィック負荷情報に基づいてＢＳの干渉を計算することを含むことができる。
【０１３８】
図１０は、本明細書で説明する様々な態様による、システムのＤＬ上でのＢＳからの干渉を判断する別の方法の一例の図である。１０１０において、方法１０００は、第１のセル中のＢＳが、そのＢＳによってサービスされるＵＥのトラフィックの優先順位を示す情報をブロードキャストすることを含むことができる。上記情報は、他のセル中のＢＳにブロードキャストされ得る。たとえば、ＢＳは、第１のセル中のＢＳであって、第１のセル中のＵＥをサービスするＢＳとすることができる。第１のセル中のＢＳは、そのＢＳがＵＥに送信することを意図するトラフィックの優先順位を示す情報をブロードキャストすることができる。上記情報は、第１のセルの外のセル中のＢＳに送信され得る。
【０１３９】
１０２０において、方法１０００は、第１のセルの外のセル中のＢＳが、上記情報を第１のセル中のＢＳから受信することを含むことができる。１０３０において、方法１０００は、第１のセルの外のセル中のＢＳが、第１のセル中で送信すべきデータがあるかどうかを判断すること（および、場合によっては、第１のセル中で送信すべきデータの優先順位を判断すること）を含むことができる。
【０１４０】
１０３０において、方法１０００は、第１のセルの外のセル中のＢＳが、第１のセル中のＢＳが上記情報を送信し、バックオフしない可能性を判断することを含むことができる。上記判断は、送信すべきデータとそのデータの優先順位とを示す情報に基づいて行われ得る。
【０１４１】
１０４０において、方法１０００は、第１のセルの外のセル中のＢＳが、第１のセル中のＢＳの干渉を判断することを含むことができる。その干渉は、第１のセル中のＢＳが上記データと上記データの優先順位とを送信する可能性の上記判断に基づくことができる。
【０１４２】
図１１は、本明細書で説明する様々な態様による、システムのＤＬ上でのＢＳからの干渉を判断する別の方法の一例の図である。そのシステムは、いくつかの実施形態ではＬＴＥ−Ａシステムとすることができる。ＢＳの干渉はＯＴＡを介して測定され得る。
【０１４３】
１１１０において、方法１１００は、リソース利用メッセージ（ＲＵＭ）要求をＵＥに送信することを含むことができる。ＲＵＭ要求はサービングＢＳから送信され得る。１１２０において、ＵＥはＲＵＭ要求をブロードキャストする。１１３０において、他のセル中のＵＥがＲＵＭ要求を復号する。
【０１４４】
様々な実施形態では、ＲＵＭは、情報の受信のためにＵＥによって選択されるリソースを示す情報を含むことができる。後続の時間間隔においてＵＥがその上で情報を受信することを望む特定のチャネルなど、選択されたリソース上で、ＵＥは、選択されたレベルのＳＩＮＲまたは公称干渉を要求するためのＲＵＭを送信することができる。
【０１４５】
１１３０において、方法１１００は、セル外ＢＳが、ＲＵＭ要求を復号することを含むことができる。１１４０において、方法１１００は、セル外ＢＳが、意図された送信電力レベルを示す情報を送信することを含むことができる。意図された送信電力レベルを示す情報は、ＢＳからパイロット信号を介して送信され得る。
【０１４６】
１１５０において、方法１１００は、ＵＥが、意図された送信電力レベルを示す情報を受信することを含むことができる。１１６０において、方法１１００は、ＵＥが、ＵＥとセル外ＢＳとの間の相互通信リンクについてのチャネル利得情報を判断することを含むことができる。いくつかの実施形態では、チャネル利得情報はチャネル品質インジケータを含むことができる。１１７０において、ＵＥは、チャネル利得情報をサービングＢＳに送信する。サービングＢＳは、チャネル利得情報に基づいてレート予測を実行することができる。
【０１４７】
図１２Ａおよび図１２Ｂは、本明細書で説明する様々な態様による、ＯＴＡ通信を採用するシステムのＤＬ上での干渉管理を可能にする方法の部分図である。
【０１４８】
１２１０において、方法１２００は、ＵＥが、ＵＥに関連するバッファ状態を示す情報を受信することを含むことができる。ＵＥがＵＥである実施形態では、ＵＥについての関連するバッファ状態を示す情報は、ＵＥのためのサービングＢＳから受信され得る。サービングＢＳは、ＵＥについてのバッファ状態情報を維持することができる。バッファ状態情報は、限定はしないが、サービングＢＳによってＵＥがサービスされる、トラフィックの優先順位を含むことができる。
【０１４９】
１２２０において、方法１２００は、ＵＥが、ＢＳから干渉情報を受信することを含むことができる。干渉情報は、限定はしないが、ＢＳが送信することを意図するトラフィックの優先順位、および／またはパイロット信号上の送信電力レベルを示す情報を含むことができる。いくつかの実施形態では、サービングＢＳからＵＥに向けて送信されたバッファ状態情報をＢＳが受信することが可能であり得るので、ＢＳは、そのような情報を受信した後に干渉情報を送信することができる。
【０１５０】
１２３０において、方法１２００は、ＵＥが、ＢＳから受信した干渉情報に基づいて公称干渉の値を設定することを含むことができる。公称干渉は、図７に関して上記で説明した方法７００を採用することによって、または本明細書で説明した方法７００の変更のいずれかを採用することによって、設定され得る。
【０１５１】
いくつかの実施形態では、ＵＥは測定報告を生成することができる。測定報告は、公称干渉および／またはＢＳから受信した干渉情報を含むことができる。ＵＥは測定報告をサービングＢＳに送信することができる。
【０１５２】
再び図１２Ａおよび図１２Ｂを参照すると、１２４０において、方法１２００は、ＵＥが、公称干渉と、ＵＥに関連するトラフィックについての優先順位情報とを送信することを含むことができる。いくつかの実施形態では、チャネル利得情報も送信され得る。他の実施形態では、ＢＳは、ＵＥからの送信の強度を測定することによって、ＢＳとＵＥとの間の相互通信リンク上のチャネル利得情報を判断することができるので、チャネル利得情報は送信されない。
【０１５３】
１２５０において、方法１２００は、ＵＥが、１つまたは複数の干渉ＢＳからスケジューリング情報を受信することを含むことができる。スケジューリング情報は、公称干渉と、ＵＥに関連する優先順位情報と（いくつかの実施形態では、チャネル利得情報と）を送信することに応答して受信され得る。スケジューリング情報は、選択された送信電力レベルで送信する（またはバックオフし、送信しない）プランを示すことができる。１２６０において、方法１２００は、ＵＥが、１つまたは複数の干渉ＢＳからのスケジューリング情報に基づいてサービングＢＳからスケジューリング情報を受信することを含むことができる。
【０１５４】
いくつかの実施形態では、１２７０において、方法１２００は、ＵＥが、スケジューリング情報に基づいてチャネル品質インジケータ（ｃｈａｎｎｅｌ  ｑｕａｌｉｔｙ  ｉｎｄｉｃａｔｏｒ：ＣＱＩ）またはＳＩＮＲを計算することを含むことができる。１２８０において、方法１２００は、ＵＥが、ＢＳから受信したスケジューリング情報に基づいて、および／またはＢＳから受信したパイロット信号に基づいて、チャネル利得情報および／またはＳＩＮＲをサービングＢＳに送信することを含むことができる。
【０１５５】
図１３Ａは、本明細書で説明する様々な態様による、システムのＤＬ上でのスケジューリングの方法の一例の図である。１３１０において、方法１３００は、ＢＳが、送信するＵＥに対する利益を判断することを含むことができる。１３２０において、方法１３００は、ＢＳが、ＢＳが送信するためのサービング通信リンクに対して予測される劣化を判断することを含むことができる。１３３０において、方法１３００は、ＢＳが、ＢＳに対する利益とサービング通信リンクに対する劣化とを比較して、送信すべきなのか、バックオフし、送信を控えるべきなのか（および／または完全電力レベルよりも低い電力レベルで送信すべきなのか）を判断することを含むことができる。
【０１５６】
本明細書で開示する様々な実施形態では、方法はＵＬ上での干渉管理のために実行され得る。ＵＬ上での干渉管理のための実施形態では、ＢＳはＵＥとすることができ、ＵＥはＢＳとすることができる。
【０１５７】
図１３Ｂは、本明細書で説明する様々な態様による、システムのＤＬ上でのスケジューリングの方法の一例の図である。１３５０において、方法１３４０は、１つまたは複数の干渉ＢＳについての干渉情報を受信することを含むことができる。１つまたは複数の干渉ＢＳについての干渉情報はＵＥから受信され得る。
【０１５８】
１３６０において、方法１３４０は、公称干渉と、ＵＥに関連するトラフィックについての優先順位情報とを受信することを含むことができる。ＵＥに関連するトラフィックについての優先順位情報は、ＵＥに関連するバッファ状態を示す情報に対応することができる。
【０１５９】
１３７０において、方法１３４０は、ユーザ機器にスケジューリング情報を送信することを含むことができる。スケジューリング情報は、公称干渉と、ＵＥに関連するトラフィックについての優先順位情報とを受信することに応答して送信され得る。いくつかの実施形態では、ＵＥへの上記スケジューリング情報は、１つまたは複数の干渉ＢＳから送信されたスケジューリング情報に基づいて計算されたチャネル品質インジケータまたはＳＩＮＲを含むことができる。いくつかの実施形態では、１つまたは複数の干渉ＢＳからのスケジューリング情報は、１つまたは複数の干渉ＢＳのうちの少なくとも１つがバックオフをスケジュールすることを示すことができる。
【０１６０】
図１３Ｃは、本明細書で説明する様々な態様による、システムのＤＬ上でのスケジューリングの方法の一例の図である。１３８５において、方法１３８０は、ＲＵＭを受信することを含むことができる。
【０１６１】
１３９０において、方法１３８０は、ＲＵＭを受信することに応答して１つまたは複数のパイロット信号を送信することを含むことができる。１つまたは複数のパイロット信号は、ＲＵＭを受信することに応答して１つまたは複数の干渉ＢＳから送信され得る。１つまたは複数のパイロット信号は、１つまたは複数の干渉ＢＳの干渉を計算するためにＵＥによって測定され得る。
【０１６２】
図１４は、本明細書で説明する様々な態様による、システムのＵＬ上でのユーザ機器からの公称干渉を判断する方法の一例の図である。１４１０において、方法１４００は、ＢＳが、ＤＬ上で測定されたチャネル利得情報を判断することを含むことができる。ＤＬ上で測定されたチャネル利得情報は、上記ＢＳによってサービスされるＵＥとセル外ＢＳとの間のチャネルについてのものとすることができる。いくつかの実施形態では、チャネル利得情報は、方法８００に関して説明した測定報告などの測定報告においてＵＥから受信され得る。
【０１６３】
１４２０において、方法１４００は、チャネル利得情報に基づいて干渉ＵＥからの干渉を判断することを含むことができる。１４３０において、方法１４００は、ＢＳが、干渉ＵＥについて判断された干渉に基づいて公称干渉を計算することを含むことができる。いくつかの実施形態では、方法１４００は、ＢＳが、ＤＬ上で測定されたチャネル利得情報をＵＬに割り当てることをも含むことができる。
【０１６４】
図１５は、本明細書で説明する様々な態様による、システムのＵＬ上でのユーザ機器からの公称干渉を判断する別の方法の一例の図である。いくつかの実施形態では、そのシステムはＬＴＥシステムとすることができる。
【０１６５】
１５１０において、方法１５００は、ＢＳが、ＵＬ上の情報を受信することを含むことができる。いくつかの実施形態では、ＵＬ上の上記情報は、ＵＬ上のサウンディング基準信号（ＳＲＳ）とすることができる。一実施形態では、ＳＲＳは、ＬＴＥシステムにおけるＵＥからＢＳへのチャネルとすることができる。ＵＥは、いくつかの実施形態ではＳＲＳを周期的に送信することができる。
【０１６６】
１５２０において、方法１５００は、セル外ＢＳが、アップリンク上の上記情報を復号するための１つまたは複数のパラメータを受信することを含むことができる。ＳＲＳがＵＬ上の上記情報であるとき、ＳＲＳを復号するための情報は、限定はしないが、ＳＲＳの構成を示す情報および／またはパラメータを含むことができる。
【０１６７】
上記情報および／またはパラメータはセル外ＢＳに送信され得る。様々な実施形態では、上記情報は、バックホールを介して、Ｘ２またはＳ１インターフェースを通しておよび／または不完全なハンドオフのためのハンドオーバメッセージを通して、送信され得る。
【０１６８】
１５３０において、方法１５００は、セル外ＢＳが、ＵＬ上の上記情報を復号することを含むことができる。１５４０において、方法１５００は、上記ＢＳが、ＵＥからの干渉を評価することを含むことができる。１５５０において、方法１５００は、上記ＢＳが、ＵＥの公称干渉を計算することを含むことができる。
【０１６９】
いくつかの実施形態では、ＵＥをサービスするＢＳは、ＵＥが全電力で送信するときにＵＥによって引き起こされる干渉をセル外ＢＳが推定できるようにするために、セル外ＢＳに電力ヘッドルーム測定値をも送信することができる。いくつかの実施形態では、方法１５００は、全電力または知られている電力でＳＲＳが周期的に送信され得るように変更され得る。その場合、セル外ＢＳは、電力ヘッドルーム報告についてのいかなる知識もなしに、受信したＳＲＳの強度に基づいて、ＵＥによって引き起こされる干渉を評価することができる。その場合、電力ヘッドルーム報告はサービングＢＳによって送信される必要がない。
【０１７０】
図１６Ａおよび図１６Ｂは、本明細書で説明する様々な態様による、システムのＵＬ上でのユーザ機器からの干渉を判断する別の方法の一例の部分図である。１６１０において、方法１６００は、ＢＳが、１つまたは複数のＵＬリソース利用メッセージ（ＵＲＵＭ）を受信することを含むことができる。
【０１７１】
ＢＳがサービングＢＳであり、ＵＥがＢＳによってサービスされるＵＥである、いくつかの実施形態では、ＵＲＵＭは、ＢＳとＵＥとの間の制御チャネルとすることができる。いくつかの実施形態では、ＵＲＵＭは、情報の送信のためにＵＥによって選択されるリソースを示す情報を含むことができる。後続の時間間隔においてＢＳがその上で情報を受信することを望む特定のチャネルなど、選択されたリソース上で、ＵＥは、選択されたレベルのＳＩＮＲまたは公称干渉を要求するためのＵＲＵＭを送信することができる。いくつかの実施形態では、ＵＲＵＭは、ＵＥから送信されるべきトラフィックの優先順位を示す情報を含むことができる。いくつかの実施形態では、ＵＥは、後続の時間間隔中にＵＥがその上で送信することを望むリソースを要求することができる。したがって、ＢＳがＵＲＵＭを受信すると、ＢＳはＤＬ上での干渉を除去または低減することができる。
【０１７２】
いくつかの実施形態では、特定のＵＲＵＭが干渉測定のためにのみ使用されるべきであることを示すための規則が使用され得る。限定ではなく例として、（チャネルリソースを示すのではなく）ＤＬ上での干渉を除去するためにＵＲＵＭが使用されるリソースのセットを零集合（ｎｕｌｌ  ｓｅｔ）であるように設定することにより、そのＵＲＵＭが干渉測定のために使用されるべきであることを示すことができる。
【０１７３】
１６２０において、方法１６００は、ＢＳが、ＵＲＵＭの電力を測定することを含むことができる。
【０１７４】
１６３０において、方法１６００は、ＵＲＵＭを送信したセル外ＵＥの識別情報がＢＳに知られているかどうかを判断することを含む。上記識別情報が知られている場合、１６４０において、方法１６００は、ＢＳが、ＵＲＵＭの電力を測定することによっておよび／またはＵＲＵＭの内容を評価することによって、セル外ＵＥによってＢＳに対して引き起こされる干渉を判断することを含むことができる。
【０１７５】
上記識別情報が知られていない場合、１６５０において、方法１６００は、ＢＳが、セル外ＵＥからＵＲＵＭを周期的間隔で受信することを含むことができる。１６６０において、方法１６００は、ＢＳが、選択された時間期間にわたってＵＲＵＭの電力の測定値および／または内容を記録することを含むことができる。
【０１７６】
１６７０において、方法１６００は、ＢＳが、選択された時間期間の間の総干渉を測定することを含むことができる。１６８０において、方法１６００は、ＢＳが、測定された総干渉を、ＢＳが復号することができるＵＲＵＭをもつセル外ＵＥに割り当てることを含むことができる。１６９０において、方法１６００は、ＢＳが、総干渉の比を、ＢＳが復号することができるＵＲＵＭをもつセル外ＵＥに割り当てることを含むことができる。特定のセル外ＵＥに割り当てられる比は、そのセル外ＵＥから受信したＵＲＵＭの電力の比とすることができる。
【０１７７】
１６９５において、方法１６００は、ＢＳが、上記セル外ＵＥの各々に割り当てられた干渉に基づいて上記セル外ＵＥの公称干渉を計算することを含むことができる。
【０１７８】
図１７Ａおよび図１７Ｂは、本明細書で説明する態様による、ＵＬ上での干渉管理を可能にするためのスケジューリングの方法の一例の部分図のフローチャートである。１７１０において、方法１７００は、ＢＳが、チャネル利得情報を計算することを含むことができる。チャネル利得情報は、ＢＳと１つまたは複数の干渉ＵＥとの間のチャネルを示すことができる。いくつかの実施形態では、チャネル利得情報を計算することは、ＵＬの周波数帯域に対応する周波数帯域にわたるダウンリンク上のチャネル状態を示す測定報告および電力情報に基づいてチャネル利得情報を計算すること、または１つまたは複数の干渉ＵＥからＢＳにおいて受信されたＳＲＳの電力レベルを測定することのうちの少なくとも１つを含むことができる。
【０１７９】
１７２０において、方法１７００は、ＢＳが、ＢＳと１つまたは複数の干渉ＵＥのうちの少なくとも１つとの間の公称干渉を設定することを含むことができる。いくつかの実施形態では、公称干渉を上記設定することは、１つまたは複数の干渉ＵＥのうちの選択された数の最も支配的な干渉ＵＥによってバックオフが実行されるような値を公称干渉に割り当てることを含むことができる。
【０１８０】
１７３０において、方法１７００は、ＢＳが、ＢＳによってサービスされる１つまたは複数のＵＥからＢＳによって受信されるべきトラフィックの優先順位を判断することを含むことができる。１７４０において、方法１７００は、ＢＳが、１つまたは複数の干渉ＵＥにリソース利用メッセージ（ＲＵＭ）を送信することを含むことができる。ＲＵＭは、ＢＳによってサービスされる１つまたは複数のＵＥからＢＳによって受信されるべきトラフィックの優先順位、およびＢＳと１つまたは複数の干渉ＵＥとの間の公称干渉を含むことができる。
【０１８１】
１７５０において、方法１７００は、ＢＳが、１つまたは複数の干渉ＵＥから意図されたスケジューリングを示す情報を受信することを含むことができる。意図されたスケジューリングを示す情報は、ＲＵＭ中の公称干渉とトラフィックの優先順位とに基づくことができる。１７６０において、方法１７０は、ＢＳが、ＢＳによってサービスされる１つまたは複数のＵＥへの割当てを判断することを含むことができる。上記割当ては、１つまたは複数の干渉ＵＥからの意図されたスケジューリングを示す情報に基づくことができる。いくつかの実施形態では、上記割当ては、ＢＳによってサービスされる１つまたは複数のＵＥがＵＬ上でＢＳにデータを送信するデータレートまたは帯域幅割振りのうちの少なくとも１つを含む。
【０１８２】
１７７０において、方法１７００は、ＢＳが、上記割当てに従って送信された情報を受信することを含むことができる。
【０１８３】
１７１０において、方法１７００は、ＢＳが、ＢＳと干渉ＵＥとの間の相互通信リンクについてのチャネル利得情報を計算することを含むことができる。ＢＳは、図１４〜図１６に関して上記で説明した方法を含む、任意の数の方法により、チャネル利得情報を計算することができる。
【０１８４】
再び図１７Ａおよび図１７Ｂを参照すると、１７２０において、方法１７００は、ＢＳが、所望の公称干渉を計算することと、ＢＳによってサービスされるＵＥからＢＳに向けられたトラフィックの優先順位を計算することとを含むことができる。所望の公称干渉はチャネル利得情報の関数とすることができる。
【０１８５】
様々な実施形態では、公称干渉は、１つまたは複数の支配的ＵＥがバックオフすることおよび／または選択された値を下回る送信電力レベルで送信することを行うように選択された値にＢＳによって設定され得る。
【０１８６】
１７３０において、方法１７００は、ＢＳが、セル外ＵＥにＲＵＭを送信することを含むことができる。ＲＵＭはバックホールまたはＯＴＡを介して送信され得る。様々な実施形態では、ＲＵＭは、ＢＳによってサービスされるＵＥから受信されるべきトラフィックの優先順位、および／またはＢＳとＵＥとの間の公称干渉の設定値を含むことができる。
【０１８７】
いくつかの実施形態では、ＲＵＭはチャネル利得情報をも含むことができる。しかしながら、様々な実施形態では、チャネル利得情報は、送信されておらず、ＵＥによって推測され得る。ＵＥは、ＢＳによって送信されたパイロット信号の強度を判断することによって、チャネル利得情報を推測することができる。
【０１８８】
１７４０において、方法１７００は、ＵＥがその中で動作するセル中の送信の意図された送信電力レベルを判断することを含むことができる。意図された送信電力レベルは、ＢＳによって設定された公称干渉、および／またはＢＳによって送信されるトラフィックの優先順位に基づくことができる。様々な実施形態では、意図された送信電力レベルは、送信におけるバックオフを示すことができる。
【０１８９】
１７５０において、方法１７００は、ＵＥが、意図されたスケジューリングを示す情報をＢＳに送信することを含むことができる。いくつかの実施形態では、意図されたスケジューリングを示す情報は、意図された送信電力レベルを含むことができる。意図された送信電力レベルは、パイロット信号を介して送信され得る。１７６０において、方法１７００は、ＢＳが、意図されたスケジューリングを示す情報（たとえば、意図された送信電力レベル、および対応するバックオフ量）に基づいて、ＢＳによってサービスされるＵＥへの割当てを行うことを含むことができる。上記割当ては、限定はしないが、ＢＳによってサービスされるＵＥのデータレート、帯域幅および他の送信パラメータを含むことができる。
【０１９０】
１７７０において、方法１７００は、ＢＳが、上記割当てに従って送信された情報を受信することを含むことができる。その情報は、ＢＳによってサービスされるＵＥから受信され得る。
【０１９１】
いくつかの実施形態では、ステップ１７４０は、ＢＳがその中にあるセルの外のセル中のＵＥによって実行され得るが、より集中的なスケジューリング制御のために、方法１７００は次のように変更され得る。ＵＥは、ＵＥをサービスするＢＳにＲＵＭのフィードバックを供給することができる。次いで、ＢＳは、意図された送信電力レベル（および／またはバックオフビヘイビア）をＵＥにスケジュールすることができる。次いで、方法１７００は１７５０において再開することができ、ＵＥが、意図された送信電力レベルをＢＳに送信する。
【０１９２】
図１７Ｃは、本明細書で説明する態様による、ＵＬ上での干渉管理を可能にするためのスケジューリングの例示的な方法のフローチャートである。
【０１９３】
１７８５において、方法１７８０は、ＵＥが、ＢＳにおいてチャネル利得情報を判断するための情報を送信することを含むことができる。１７９０において、方法１７８０は、ＵＥが、ＲＵＭを受信することを含むことができる。
【０１９４】
ＲＵＭは、ＢＳによってサービスされるＵＥからサービングリンク上でＢＳによって受信されるべきトラフィックの優先順位、およびチャネル利得情報に基づくＢＳとＵＥとの間の公称干渉の値を含むことができる。１７９５において、方法１７８０は、意図されたスケジューリングを示す情報を送信することであって、上記送信することがＵＥによって実行され、意図されたスケジューリングを示す情報が、ＢＳによってサービスされるＵＥの公称干渉の値、サービングリンク上で受信されるべきトラフィックの優先順位、サービングリンク上のチャネル利得情報、ＢＳによってサービスされないＵＥの公称干渉、干渉リンク上で受信されるべきトラフィックの優先順位、または干渉リンク上のチャネル利得情報に基づく、送信することを含むことができる。
【０１９５】
いくつかの実施形態では、サービングリンク上のチャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づく。
【０１９６】
いくつかの実施形態では、上記割当ては、ＢＳによってサービスされるユーザ機器がＵＬ上でＢＳにデータを送信することができるデータレートまたは帯域幅割振りのうちの少なくとも１つを含む。
【０１９７】
図１８は、本明細書に記載する様々な態様による、干渉管理を可能にするための例示的なシステムのブロック図である。システム１８００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１８００は、干渉管理を可能にするための電気構成要素の論理または物理グルーピング１８０２を含むことができる。
【０１９８】
電気構成要素は、連携して働くことができる。たとえば、論理または物理グルーピング１８０２は、公称干渉を計算するための電気構成要素１８０４を含むことができる。いくつかの実施形態では、公称干渉は、１つまたは複数の干渉ＢＳについてのチャネル利得情報、１つまたは複数の干渉ＢＳの平均トラフィック負荷、１つまたは複数の干渉ＢＳの瞬時トラフィック負荷、１つまたは複数のセル中のトラフィック負荷または優先順位、１つまたは複数のセル中のトラフィック負荷または優先順位を示すバッファ状態情報、のうちの１つまたは複数を使用して計算される。
【０１９９】
いくつかの実施形態では、公称干渉を計算することは、１つまたは複数の干渉ＢＳからの干渉を判断することと、１つまたは複数の干渉ＢＳの送信レートを計算することと、セル外ＵＥにおける送信レートを最大にする、１つまたは複数の干渉ＢＳの数を判断することと、セル外ＵＥにおける送信レートを最大にする、１つまたは複数の干渉ＢＳの数に対応する公称干渉を計算することとを含むことができる。
【０２００】
論理または物理グルーピング１８０２は、公称干渉を１つまたは複数の干渉ＢＳに送信するための電気構成要素１８０６をも含むことができる。公称干渉は、セル外ＵＥが情報を受信するためのリソースの同じセットを介して１つまたは複数の干渉ＢＳのうちの少なくとも１つが送信する場合、セル外ＵＥにとっての送信レートの損失を計算するために、１つまたは複数の干渉ＢＳのうちの少なくとも１つに送信され得る。
【０２０１】
論理または物理グルーピング１８０２は、記憶するための電気構成要素１８０８をも含むことができる。記憶するための電気構成要素１８０８は、公称干渉および／または公称干渉を計算するための情報を記憶するように構成され得る。
【０２０２】
様々な実施形態では、１つまたは複数の干渉ＢＳは、選択されたしきい値よりも干渉が大きい１つまたは複数の干渉ＢＳ、または選択された数の過去のサブフレーム中に情報を送信した１つまたは複数の干渉ＢＳのうちの少なくとも１つとすることができる。
【０２０３】
図１９は、本明細書に記載する様々な態様による、干渉管理を可能にするための別の例示的なシステムのブロック図である。システム１９００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム１９００は、干渉管理を可能にするための電気構成要素の論理または物理グルーピング１９０２を含むことができる。
【０２０４】
電気構成要素は、連携して働くことができる。たとえば、論理または物理グルーピング１９０２は、１つまたは複数のパイロット信号を受信するための電気構成要素１９０４を含むことができる。１つまたは複数のパイロット信号は１つまたは複数の干渉ＢＳから受信され得、ＵＥが１つまたは複数のパイロット信号を受信することができる。論理または物理グルーピング１９０２は、１つまたは複数の干渉ＢＳの干渉を計算するための電気構成要素１９０６をも含むことができる。１つまたは複数の干渉ＢＳの干渉を計算するための電気構成要素１９０６は、１つまたは複数のパイロット信号の信号強度を判断するための電気構成要素を含むことができる。
【０２０５】
論理または物理グルーピング１９０２は、測定報告を送信するための電気構成要素１９０８をも含むことができる。測定報告は上記干渉を含むことができる。測定報告はサービングＢＳに送信され得る。
【０２０６】
論理または物理グルーピング１９０２は、記憶するための電気構成要素１９１０をも含むことができる。記憶するための電気構成要素１９１０は、測定報告、アップリンク許可、スケジューリング要求、干渉情報および／またはリソース利用メッセージ、あるいはリソース利用メッセージ、スケジューリング要求、測定報告および／または干渉情報を生成するための情報を記憶するように構成され得る。
【０２０７】
図２０は、本明細書に記載する様々な態様による、干渉管理を可能にするための別の例示的なシステムのブロック図である。システム２０００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２０００は、干渉管理を可能にするための電気構成要素の論理または物理グルーピング２００２を含むことができる。
【０２０８】
電気構成要素は、連携して働くことができる。たとえば、論理または物理グルーピング２００２は、１つまたは複数のパイロット信号を送信するための電気構成要素２００４を含むことができる。１つまたは複数のパイロット信号は１つまたは複数の干渉ＢＳから送信され得、ＵＥが１つまたは複数のパイロット信号を受信することができる。１つまたは複数のパイロット信号は、１つまたは複数の干渉ＢＳの干渉を計算するために測定され得る。１つまたは複数の干渉ＢＳの干渉を計算することは、１つまたは複数のパイロット信号の信号強度を判断することを含むことができる。
【０２０９】
論理または物理グルーピング２００２は、ＲＵＭを受信するための電気構成要素２００６をも含むことができる。１つまたは複数のパイロット信号を送信するための電気構成要素２００４は、リソース利用メッセージを受信するための電気構成要素２００６がＲＵＭを受信することに応答して、１つまたは複数のパイロット信号を送信することができる。
【０２１０】
論理または物理グルーピング２００２は、記憶するための電気構成要素２００８をも含むことができる。記憶するための電気構成要素２００８は、リソース利用メッセージ、またはリソース利用メッセージを生成するための情報、パイロット信号、および／または干渉情報を記憶するように構成され得る。
【０２１１】
図２１は、本明細書に記載する様々な態様による、干渉管理を可能にするための別の例示的なシステムのブロック図である。システム２１００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２１００は、干渉管理を可能にするための電気構成要素の論理または物理グルーピング２１０２を含むことができる。
【０２１２】
電気構成要素は、連携して働くことができる。たとえば、論理または物理グルーピング２１０２は、ＵＥに関連するバッファ状態を示す情報を受信するための電気構成要素２１０４を含むことができる。その情報はＵＥにおいて受信され得る。バッファ状態を示す情報は、サービングＢＳによってＵＥがサービスされる、トラフィックの優先順位を含むことができる。
【０２１３】
論理または物理グルーピング２１０２は、１つまたは複数の干渉ＢＳから干渉情報を受信するための電気構成要素２１０６をも含むことができる。
【０２１４】
論理または物理グルーピング２１０２は、公称干渉を設定するための電気構成要素２１０８をも含むことができる。公称干渉は干渉情報に基づくことができる。論理または物理グルーピング２１０２は、公称干渉と、ＵＥに関連するトラフィックについての優先順位情報とを送信するための電気構成要素２１１０をも含むことができる。公称干渉と優先順位情報とは、１つまたは複数の干渉ＢＳに送信され得る。
【０２１５】
論理または物理グルーピング２１０２は、１つまたは複数の干渉ＢＳからスケジューリング情報を受信するための電気構成要素２１１２をも含むことができる。スケジューリング情報は、公称干渉と、ＵＥに関連するトラフィックについての優先順位情報とを送信することに応答して受信され得る。１つまたは複数の干渉ＢＳからのスケジューリング情報は、１つまたは複数の干渉ＢＳのうちの少なくとも１つがバックオフをスケジュールすることを示すことができる。
【０２１６】
論理または物理グルーピング２１０２は、サービングＢＳからスケジューリング情報を受信するための電気構成要素２１１４をも含むことができる。スケジューリング情報は、１つまたは複数の干渉ＢＳからのスケジューリング情報に基づくことができる。
【０２１７】
論理または物理グルーピング２１０２は、１つまたは複数の干渉ＢＳからのスケジューリング情報に基づいてチャネル品質インジケータまたは信号対干渉雑音比を計算するための電気構成要素２１１６をも含むことができる。論理または物理グルーピング２１０２は、チャネル品質インジケータまたは信号対干渉雑音比をサービングＢＳに送信するための電気構成要素２１１８をも含むことができ、サービングＢＳからスケジューリング情報を受信することは、チャネル品質インジケータまたは信号対干渉雑音比を計算することと、チャネル品質インジケータまたは信号対干渉雑音比を上記送信することとに応答して実行される。
【０２１８】
論理または物理グルーピング２１０２は、記憶するための電気構成要素２１２０をも含むことができる。記憶するための電気構成要素２１２０は、公称干渉、干渉情報、バッファ状態情報、信号対干渉雑音比情報、チャネル品質インジケータ情報および／またはスケジューリング情報を記憶するように構成され得る。
【０２１９】
図２２は、本明細書に記載する様々な態様による、干渉管理を可能にするための別の例示的なシステムのブロック図である。システム２２００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２２００は、干渉管理を可能にするための電気構成要素の論理または物理グルーピング２２０２を含むことができる。
【０２２０】
電気構成要素は、連携して働くことができる。たとえば、論理または物理グルーピング２２０２は、１つまたは複数の干渉ＢＳについての干渉情報を受信するための電気構成要素２２０４を含むことができる。１つまたは複数の干渉ＢＳについての干渉情報はＵＥから受信され得る。
【０２２１】
論理または物理グルーピング２２０２は、公称干渉と、ＵＥに関連するトラフィックについての優先順位情報とを受信するための電気構成要素２２０６をも含むことができる。ＵＥに関連するトラフィックについての優先順位情報は、ＵＥに関連するバッファ状態を示す情報に対応することができる。バッファ状態を示す情報は、サービングＢＳによってＵＥがサービスされる、トラフィックの優先順位を含むことができる。
【０２２２】
論理または物理グルーピング２２０２は、ＵＥにスケジューリング情報を送信するための電気構成要素２２０８をも含むことができる。スケジューリング情報は、公称干渉と、ＵＥに関連するトラフィックについての優先順位情報とを受信することに応答して送信され得る。ＵＥへの上記スケジューリング情報は、サービングＢＳからＵＥについてのスケジューリング情報を生成するために採用され得る。
【０２２３】
ＵＥへの上記スケジューリング情報は、１つまたは複数の干渉ＢＳから送信されたスケジューリング情報に基づいて計算されたチャネル品質インジケータまたは信号対干渉雑音比を含むことができる。１つまたは複数の干渉ＢＳからのスケジューリング情報は、１つまたは複数の干渉ＢＳのうちの少なくとも１つがバックオフをスケジュールすることを示すことができる。
【０２２４】
図２３は、本明細書に記載する様々な態様による、干渉管理を可能にするための別の例示的なシステムのブロック図である。システム２３００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２３００は、干渉管理を可能にするための電気構成要素の論理または物理グルーピング２３０２を含むことができる。
【０２２５】
電気構成要素は、連携して働くことができる。たとえば、論理または物理グルーピング２３０２は、ダウンリンク上で測定されたチャネル利得情報を判断するための電気構成要素２３０４を含むことができる。いくつかの実施形態では、論理または物理グルーピング２３０２は、アップリンクについてのチャネル利得情報に基づいて１つまたは複数の干渉ＵＥからの干渉を判断するための電気構成要素２３０６をも含むことができる。論理または物理グルーピング２３０２は、１つまたは複数の干渉ＵＥからの干渉に基づいて公称干渉を計算するための電気構成要素２３０８をも含むことができる。
【０２２６】
論理または物理グルーピング２３０２は、記憶するための電気構成要素２３１０をも含むことができる。記憶するための電気構成要素２３１０は、公称干渉、干渉情報および／またはチャネル利得情報を記憶するように構成され得る。
【０２２７】
ダウンリンクチャネルおよびアップリンクチャネルはワイヤレス通信システム中にあることがあり、ワイヤレス通信システムは時分割複信システムである。そのシステムはＢＳであることがある。ＢＳは第１のセル中のＢＳであることがあり、１つまたは複数の干渉ＵＥは第２のセル中のユーザ機器であることがある。第１のセルは第２のセルとは異なることがある。上記干渉は、１つまたは複数の干渉ＵＥが送信するための送信電力レベルを示すことがある。
【０２２８】
図２４は、本明細書に記載する様々な態様による、干渉管理を可能にするための別の例示的なシステムのブロック図である。システム２４００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２４００は、干渉管理を可能にするための電気構成要素の論理または物理グルーピング２４０２を含むことができる。
【０２２９】
電気構成要素は、連携して働くことができる。たとえば、論理または物理グルーピング２４０２は、アップリンク上の情報を受信するための電気構成要素２４０４であって、アップリンク上の上記情報がＵＥから受信される、電気構成要素２４０４を含むことができる。論理または物理グルーピング２４０２は、アップリンク上の上記情報を復号するための１つまたは複数のパラメータを受信するための電気構成要素２４０６をも含むことができる。論理または物理グルーピング２４０２は、アップリンク上の上記情報を復号するための電気構成要素２４０８をも含むことができる。論理または物理グルーピング２４０２は、ＵＥからの干渉を評価するための電気構成要素２４１０をも含むことができる。論理または物理グルーピング２４０２は、ＵＥの公称干渉を計算するための電気構成要素２４１２をも含むことができる。
【０２３０】
論理または物理グルーピング２４０２は、記憶するための電気構成要素２４１２をも含むことができる。記憶するための電気構成要素２４１２は、アップリンク上の情報、アップリンク上の情報を復号するためのパラメータ、公称干渉、干渉情報および／またはチャネル利得情報を記憶するように構成され得る。
【０２３１】
上記干渉を評価することは、アップリンク上の上記情報の信号強度を判断することを含むことができる。上記情報は、サウンディング基準信号またはアップリンクリソース利用メッセージのうちの少なくとも１つとすることができる。いくつかの実施形態では、上記情報はサウンディング基準信号とすることができ、アップリンク上の上記情報を復号するための１つまたは複数のパラメータは、通信システムのバックホールを介して受信され得る。
【０２３２】
図２５は、本明細書に記載する様々な態様による、干渉管理を可能にするための別の例示的なシステムのブロック図である。システム２５００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２５００は、干渉管理を可能にするための電気構成要素の論理または物理グルーピング２５０２を含むことができる。
【０２３３】
電気構成要素は、連携して働くことができる。たとえば、論理または物理グルーピング２５０２は、１つまたは複数のアップリンクリソース利用メッセージを受信するための電気構成要素２５０４であって、１つまたは複数のアップリンク利用メッセージが、第１のセル以外の１つまたは複数のセル中の１つまたは複数のＵＥから第１のセル中のＢＳによって受信される、電気構成要素２５０４を含むことができる。論理または物理グルーピング２５０２は、上記複数のアップリンクリソース利用メッセージの電力を測定する電気構成要素２５０６をも含むことができる。論理または物理グルーピング２５０２は、ＵＥの識別情報が知られているかどうかを判断するための電気構成要素２５０８をも含むことができる。
【０２３４】
論理または物理グルーピング２５０２は、第１のセル以外の１つまたは複数のセル中の１つまたは複数のＵＥのうちの上記ＵＥの識別情報が知られていると判断することに応答して、第１のセル以外の１つまたは複数のセル中の１つまたは複数のＵＥのうちの上記ＵＥからの干渉を判断するための電気構成要素２５１０をも含むことができ、上記干渉は、第１のセル以外の１つまたは複数のセル中の１つまたは複数のＵＥのうちの上記ＵＥからのアップリンクリソース利用メッセージの電力に対応する。
【０２３５】
論理または物理グルーピング２５０２は、アップリンクリソース利用メッセージを周期的に受信するための電気構成要素２５１２をも含むことができる。論理または物理グルーピング２５０２は、アップリンクリソース利用メッセージの電力の測定値を記録するための電気構成要素２５２２をも含むことができる。論理または物理グルーピング２５０２は、選択された時間期間の間の総干渉を測定するための電気構成要素２５１４をも含むことができる。論理または物理グルーピング２５０２は、総干渉を１つまたは複数のＵＥのうちの選択されたＵＥに割り当てるための電気構成要素２５１６をも含むことができる。
【０２３６】
論理または物理グルーピング２５０２は、総干渉の比を１つまたは複数のＵＥのうちの選択されたＵＥに割り当てるための電気構成要素２５１８をも含むことができる。論理または物理グルーピング２５０２は、１つまたは複数のＵＥのうちの選択されたＵＥの公称干渉を計算するための電気構成要素２５２０をも含むことができる。
【０２３７】
論理または物理グルーピング２５０２は、記憶するための電気構成要素２５２４をも含むことができる。記憶するための電気構成要素２５２４は、アップリンクリソース利用メッセージ、総干渉、比情報、ＵＥの識別情報、および／または電力の測定値を記憶するように構成され得る。
【０２３８】
アップリンクリソース利用メッセージを周期的に受信することと、アップリンクリソース利用メッセージの電力の測定値を記録することと、選択された時間期間の間の総干渉を測定することと、総干渉を１つまたは複数のＵＥのうちの選択されたＵＥに割り当てることと、総干渉の比を１つまたは複数のＵＥのうちの選択されたＵＥに割り当てることとは、第１のセル以外の１つまたは複数のセル中の１つまたは複数のＵＥのうちの上記ＵＥの識別情報が知られていないと判断することに応答して実行され得る。
【０２３９】
図２６は、本明細書に記載する様々な態様による、干渉管理を可能にするための別の例示的なシステムのブロック図である。システム２６００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２６００は、干渉管理を可能にするための電気構成要素の論理または物理グルーピング２６０２を含むことができる。
【０２４０】
電気構成要素は、連携して働くことができる。たとえば、論理または物理グルーピング２６０２は、チャネル利得情報を計算するための電気構成要素２６０４を含むことができる。チャネル利得情報は、ＢＳによって計算され得、ＢＳと１つまたは複数の干渉ＵＥとの間のチャネルを示すことができる。
【０２４１】
いくつかの実施形態では、チャネル利得情報を計算するための電気構成要素２６０４は、アップリンクの周波数帯域に対応する周波数帯域にわたるダウンリンク上のチャネル状態を示す測定報告および電力情報に基づいてチャネル利得を計算するための電気構成要素（図示せず）を含むことができる。いくつかの実施形態では、チャネル利得情報を計算するための電気構成要素２６０４は、１つまたは複数の干渉ＵＥからＢＳにおいて受信されたサウンディング基準信号の電力レベルを測定するための電気構成要素（図示せず）を含むことができる。
【０２４２】
論理または物理グルーピング２６０２は、ＢＳと１つまたは複数の干渉ＵＥのうちの少なくとも１つとの間の公称干渉を設定するための電気構成要素２６０６をも含むことができる。いくつかの実施形態では、公称干渉を設定するための電気構成要素２６０６は、１つまたは複数の干渉ＵＥのうちの選択された数の最も支配的な干渉ＵＥがバックオフするような値を公称干渉に割り当てるための電気構成要素（図示せず）を含むことができる。
【０２４３】
論理または物理グルーピング２６０２は、ＢＳによってサービスされる１つまたは複数のユーザ機器からＢＳによって受信されるべきトラフィックの優先順位を判断するための電気構成要素２６０８をも含むことができる。
【０２４４】
論理または物理グルーピング２６０２は、１つまたは複数の干渉ＵＥにＲＵＭを送信するための電気構成要素２６１０をも含むことができる。ＲＵＭは、ＢＳによってサービスされる１つまたは複数のユーザ機器からＢＳによって受信されるべきトラフィックの優先順位、およびＢＳと１つまたは複数の干渉ＵＥとの間の公称干渉を含むことができる。
【０２４５】
論理または物理グルーピング２６０２は、１つまたは複数の干渉ＵＥから意図されたスケジューリングを示す情報を受信するための電気構成要素２６１２をも含むことができる。意図されたスケジューリングを示す情報は、リソース利用メッセージ中の公称干渉とトラフィックの優先順位とに基づくことができる。
【０２４６】
論理または物理グルーピング２６０２は、ＢＳによってサービスされるユーザ機器への割当てを判断するための電気構成要素２６１４をも含むことができる。上記割当ては、１つまたは複数の干渉ＵＥからの意図されたスケジューリングを示す情報に基づくことができる。
【０２４７】
論理または物理グルーピング２６０２は、上記割当てに従って送信された情報を受信するための電気構成要素２６１６をも含むことができる。上記割当ては、ＢＳによってサービスされるユーザ機器がアップリンク上でＢＳにデータを送信するデータレートまたは帯域幅割振りのうちの少なくとも１つを含むことができる。
【０２４８】
論理または物理グルーピング２６０２は、記憶するための電気構成要素２６１０をも含むことができる。記憶するための電気構成要素２６１０は、チャネル利得情報、チャネル利得情報を判断するための情報、公称干渉、割当て、ＲＵＭ、トラフィック情報の優先順位、および／または意図されたスケジューリングを示す情報を記憶するように構成され得る。
【０２４９】
図２７は、本明細書に記載する様々な態様による、干渉管理を可能にするための別の例示的なシステムのブロック図である。システム２７００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２７００は、干渉管理を可能にするための電気構成要素の論理または物理グルーピング２７０２を含むことができる。
【０２５０】
電気構成要素は、連携して働くことができる。たとえば、論理または物理グルーピング２７０２は、ＢＳにおいてチャネル利得情報を判断するための情報を送信するための電気構成要素２７０４を含むことができる。ＵＥが、チャネル利得情報を判断するための情報を送信することができる。
【０２５１】
論理または物理グルーピング２７０２は、ＲＵＭを受信するための電気構成要素２７０６をも含むことができる。ＲＵＭは、ＢＳによってサービスされるユーザ機器からＢＳによって受信されるべきトラフィックの優先順位、およびＢＳとＵＥとの間の公称干渉の値を含むことができる。公称干渉の値はチャネル利得情報に基づくことができる。
【０２５２】
論理または物理グルーピング２７０２は、意図されたスケジューリングを示す情報を送信するための電気構成要素２７０８をも含むことができる。意図されたスケジューリングを示す情報は、公称干渉の値と、ＢＳによってサービスされるユーザ機器からＢＳによって受信されるべきトラフィックの優先順位とに基づくことができる。意図されたスケジューリングを示す情報は、ＢＳによってサービスされるユーザ機器への割当てを判断するために採用され得る。
【０２５３】
論理または物理グルーピング２７０２は、記憶するための電気構成要素２７１０をも含むことができる。記憶するための電気構成要素２７１０は、チャネル利得情報、チャネル利得情報を判断するための情報、ＲＵＭ、および／または意図されたスケジューリングを示す情報を記憶するように構成され得る。
【０２５４】
いくつかの実施形態では、チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づくことができる。
【０２５５】
いくつかの実施形態では、上記割当ては、ＢＳによってサービスされるＵＥがアップリンク上でＢＳにデータを送信することができるデータレートまたは帯域幅割振りのうちの少なくとも１つを含むことができる。
【０２５６】
図２８は、本明細書に記載する様々な態様による、干渉管理を可能にするための別の例示的なシステムのブロック図である。システム２８００は機能ブロックを含むものとして表されており、その機能ブロックは、プロセッサ、ハードウェア、ソフトウェア、ファームウェア、またはそれらの組合せによって実装される機能を表す機能ブロックとすることができることを諒解されたい。システム２８００は、干渉管理を可能にするための電気構成要素の論理または物理グルーピング２８０２を含むことができる。
【０２５７】
電気構成要素は、連携して働くことができる。たとえば、論理または物理グルーピング２８０２は、１つまたは複数のパイロット信号を送信するための電気構成要素２８０４を含むことができる。１つまたは複数のパイロット信号は１つまたは複数の干渉ＢＳから送信され得、ＵＥが１つまたは複数のパイロット信号を受信することができる。１つまたは複数のパイロット信号は、１つまたは複数の干渉ＢＳの干渉を計算するために測定され得る。
【０２５８】
論理または物理グルーピング２８０２は、ＲＵＭを受信するための電気構成要素２８０６を含むことができる。１つまたは複数のパイロット信号を送信するための電気構成要素２８０４は、ＲＵＭを受信するための電気構成要素２８０６がＲＵＭを受信することに応答して、１つまたは複数のパイロット信号を送信することができる。
【０２５９】
いくつかの実施形態では、１つまたは複数の干渉ＢＳの干渉を計算することは、１つまたは複数のパイロット信号の信号強度を判断することを含むことができる。
【０２６０】
図５Ａおよび図５Ｂに関して与えた装置の説明に加えて、装置の実施形態は、以下で説明するようなものとすることができる。
【０２６１】
本明細書で説明する態様による第１の装置は、公称干渉を計算するための手段を含むことができる。本装置はまた、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信するための手段を含むことができる。
【０２６２】
いくつかの実施形態では、公称干渉は、１つまたは複数の干渉ＢＳについてのチャネル利得情報、１つまたは複数の干渉ＢＳの平均トラフィック負荷、１つまたは複数の干渉ＢＳの瞬時トラフィック負荷、１つまたは複数のセル中のトラフィック負荷または優先順位、１つまたは複数のセル中のトラフィック負荷または優先順位を示すバッファ状態情報、のうちの１つまたは複数を使用して計算される。
【０２６３】
いくつかの実施形態では、公称干渉を計算することは、１つまたは複数の干渉ＢＳからの干渉を判断することと、１つまたは複数の干渉ＢＳの送信レートを計算することと、セル外ＵＥにおける送信レートを最大にする、１つまたは複数の干渉ＢＳの数を判断することと、セル外ＵＥにおける送信レートを最大にする、１つまたは複数の干渉ＢＳの数に対応する公称干渉を計算することとを含む。
【０２６４】
一実施形態では、装置は、公称干渉を計算するように構成された干渉管理構成要素を含むことができる。干渉管理構成要素はまた、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信するように構成され得る。
【０２６５】
いくつかの実施形態では、公称干渉は、１つまたは複数の干渉ＢＳについてのチャネル利得情報、１つまたは複数の干渉ＢＳの平均トラフィック負荷、１つまたは複数の干渉ＢＳの瞬時トラフィック負荷、１つまたは複数のセル中のトラフィック負荷または優先順位、１つまたは複数のセル中のトラフィック負荷または優先順位を示すバッファ状態情報、のうちの１つまたは複数を使用して計算される。
【０２６６】
いくつかの実施形態では、公称干渉を計算することは、１つまたは複数の干渉ＢＳからの干渉を判断することと、１つまたは複数の干渉ＢＳの送信レートを計算することと、セル外ＵＥにおける送信レートを最大にする、１つまたは複数の干渉ＢＳの数を判断することと、セル外ＵＥにおける送信レートを最大にする、１つまたは複数の干渉ＢＳの数に対応する公称干渉を計算することとを含む。
【０２６７】
本明細書で説明する別の装置は、１つまたは複数のパイロット信号を受信するための手段であって、１つまたは複数のパイロット信号が１つまたは複数の干渉ＢＳから受信され、ＵＥが１つまたは複数のパイロット信号を受信する、受信するための手段と、１つまたは複数の干渉ＢＳの干渉を計算するための手段と、測定報告を送信するための手段であって、測定報告が上記干渉を含み、測定報告がサービングＢＳに送信される、送信するための手段とを含むことができる。本装置はまた、アップリンク許可を受信したいというスケジューリング要求をサービングＢＳに送信するための手段と、サービングＢＳからアップリンク許可を受信するための手段とを含むことができ、スケジューリング要求を上記送信することと、アップリンク許可を上記受信することとは、測定報告を上記送信することより前に実行される。本装置はまた、１つまたは複数の干渉ＢＳにリソース利用メッセージを送信するための手段を含むことができ、１つまたは複数のパイロット信号を受信するための上記手段は、リソース利用メッセージを送信するための上記手段がリソース利用メッセージを送信することに応答して、１つまたは複数のパイロット信号を受信する。
【０２６８】
１つまたは複数の干渉ＢＳの干渉を計算するための手段は、１つまたは複数のパイロット信号の信号強度を判断するための手段を含むことができる。
【０２６９】
一実施形態では、本装置は、１つまたは複数のパイロット信号を受信するように構成されたトランシーバであって、１つまたは複数のパイロット信号が１つまたは複数の干渉ＢＳから受信され、ＵＥが１つまたは複数のパイロット信号を受信する、トランシーバと、１つまたは複数の干渉ＢＳの干渉を計算するように構成された干渉管理モジュールとを含み、トランシーバは、測定報告をサービングＢＳに送信するようにさらに構成され、測定報告は上記干渉を含む。
【０２７０】
トランシーバは、アップリンク許可を受信したいというスケジューリング要求をサービングＢＳに送信することと、サービングＢＳからアップリンク許可を受信することとを行うようにさらに構成され、スケジューリング要求を送信することと、アップリンク許可を受信することとは、測定報告を送信することより前に実行される。トランシーバは、１つまたは複数の干渉ＢＳにリソース利用メッセージを送信するようにさらに構成され、１つまたは複数のパイロット信号を受信することは、リソース利用メッセージを送信することに応答する。
【０２７１】
１つまたは複数の干渉ＢＳの干渉を計算することは、１つまたは複数のパイロット信号の信号強度を判断することを含む。
【０２７２】
本明細書で説明する別の装置は、ＵＥに関連するバッファ状態を示す情報を受信するための手段であって、上記情報がＵＥにおいて受信される、受信するための手段と、１つまたは複数の干渉ＢＳから干渉情報を受信するための手段と、干渉情報に基づく公称干渉を設定するための手段と、公称干渉と、ＵＥに関連するトラフィックについての優先順位情報とを送信するための手段であって、公称干渉と優先順位情報とが１つまたは複数の干渉ＢＳに送信される、送信するための手段と、１つまたは複数の干渉ＢＳからスケジューリング情報を受信するための手段であって、スケジューリング情報が、公称干渉と、ＵＥに関連するトラフィックについての優先順位情報とを上記送信することに応答して受信される、受信するための手段と、１つまたは複数の干渉ＢＳからのスケジューリング情報に基づくスケジューリング情報をサービングＢＳから受信するための手段とを含むことができる。
【０２７３】
本装置はまた、１つまたは複数の干渉ＢＳからのスケジューリング情報に基づいてチャネル品質インジケータまたは信号対干渉雑音比を計算するための手段と、チャネル品質インジケータまたは信号対干渉雑音比をサービングＢＳに送信するための手段とを含むことができ、サービングＢＳからスケジューリング情報を受信することは、チャネル品質インジケータまたは信号対干渉雑音比を計算することと、チャネル品質インジケータまたは信号対干渉雑音比を上記送信することとに応答して実行される。
【０２７４】
バッファ状態を示す情報は、サービングＢＳによってＵＥがサービスされる、トラフィックの優先順位を含むことができる。１つまたは複数の干渉ＢＳからのスケジューリング情報は、１つまたは複数の干渉ＢＳのうちの少なくとも１つがバックオフをスケジュールすることを示すことができる。
【０２７５】
一実施形態では、本装置は、ＵＥに関連するバッファ状態を示す情報を受信することであって、上記情報がＵＥにおいて受信される、受信することと、１つまたは複数の干渉ＢＳから干渉情報を受信することとを行うように構成されたトランシーバを含む。本装置はまた、干渉情報に基づく公称干渉を設定するように構成された干渉管理モジュールを含む。また、トランシーバは、公称干渉と、ＵＥに関連するトラフィックについての優先順位情報とを送信することであって、公称干渉と優先順位情報とが１つまたは複数の干渉ＢＳに送信される、送信することと、１つまたは複数の干渉ＢＳからスケジューリング情報を受信することであって、スケジューリング情報が、公称干渉と、ＵＥに関連するトラフィックについての優先順位情報とを上記送信することに応答して受信される、受信することと、１つまたは複数の干渉ＢＳからのスケジューリング情報に基づくスケジューリング情報をサービングＢＳから受信することとを行うようにさらに構成される。
【０２７６】
いくつかの実施形態では、干渉管理モジュールは、１つまたは複数の干渉ＢＳからのスケジューリング情報に基づいてチャネル品質インジケータまたは信号対干渉雑音比を計算するようにさらに構成され、トランシーバは、チャネル品質インジケータまたは信号対干渉雑音比をサービングＢＳに送信するようにさらに構成され、サービングＢＳからスケジューリング情報を受信することは、チャネル品質インジケータまたは信号対干渉雑音比を計算することと、チャネル品質インジケータまたは信号対干渉雑音比を上記送信することとに応答して実行される。
【０２７７】
いくつかの実施形態では、バッファ状態を示す情報は、サービングＢＳによってＵＥがサービスされる、トラフィックの優先順位を含む。いくつかの実施形態では、１つまたは複数の干渉ＢＳからのスケジューリング情報は、１つまたは複数の干渉ＢＳのうちの少なくとも１つがバックオフをスケジュールすることを示す。
【０２７８】
本明細書で説明する別の装置は、１つまたは複数のパイロット信号を送信するための手段であって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、送信するための手段を含むことができる。
【０２７９】
いくつかの実施形態では、本装置はまた、リソース利用メッセージを受信するための手段を含むことができ、１つまたは複数のパイロット信号を送信するための上記手段は、ＲＵＭを受信するための上記手段がＲＵＭを受信することに応答して、１つまたは複数のパイロット信号を送信する。
【０２８０】
１つまたは複数の干渉ＢＳの干渉を計算することは、１つまたは複数のパイロット信号の信号強度を判断することを含むことができる。
【０２８１】
一実施形態では、本装置は、１つまたは複数のパイロット信号を送信するように構成されたトランシーバであって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、トランシーバを含むことができる。トランシーバは、リソース利用メッセージを受信するようにさらに構成され、１つまたは複数のパイロット信号を送信することは、リソース利用メッセージを受信することに応答して実行される。
【０２８２】
１つまたは複数の干渉ＢＳの干渉を計算することは、１つまたは複数のパイロット信号の信号強度を判断することを含む。
【０２８３】
本明細書で説明する別の装置は、１つまたは複数の干渉ＢＳについての干渉情報を受信するための手段であって、１つまたは複数の干渉ＢＳについての干渉情報がＵＥから受信される、受信するための手段と、公称干渉と、ＵＥに関連するトラフィックについての優先順位情報とを受信するための手段であって、ＵＥに関連するトラフィックについての優先順位情報が、ＵＥに関連するバッファ状態を示す情報に対応する、受信するための手段と、ＵＥにスケジューリング情報を送信するための手段であって、上記スケジューリング情報が、公称干渉と、ＵＥに関連するトラフィックについての優先順位情報とを上記受信することに応答して送信され、ＵＥへの上記スケジューリング情報が、サービングＢＳからＵＥについてのスケジューリング情報を生成するために採用される、送信するための手段とを含むことができる。
【０２８４】
ＵＥへの上記スケジューリング情報は、１つまたは複数の干渉ＢＳから送信されたスケジューリング情報に基づいて計算されたチャネル品質インジケータまたは信号対干渉雑音比を含むことができる。１つまたは複数の干渉ＢＳからのスケジューリング情報は、１つまたは複数の干渉ＢＳのうちの少なくとも１つがバックオフをスケジュールすることを示すことができる。バッファ状態を示す情報は、サービングＢＳによってＵＥがサービスされる、トラフィックの優先順位を含むことができる。
【０２８５】
一実施形態では、本装置は、１つまたは複数の干渉ＢＳについての干渉情報を受信することであって、１つまたは複数の干渉ＢＳについての干渉情報がＵＥから受信される、受信することと、公称干渉と、ＵＥに関連するトラフィックについての優先順位情報とを受信することであって、ＵＥに関連するトラフィックについての優先順位情報が、ＵＥに関連するバッファ状態を示す情報に対応する、受信することと、ＵＥにスケジューリング情報を送信することであって、上記スケジューリング情報が、公称干渉と、ＵＥに関連するトラフィックについての優先順位情報とを上記受信することに応答して送信され、ＵＥへの上記スケジューリング情報が、サービングＢＳからＵＥについてのスケジューリング情報を生成するために採用される、送信することとを行うように構成されたトランシーバを含む。
【０２８６】
ＵＥへの上記スケジューリング情報は、１つまたは複数の干渉ＢＳから送信されたスケジューリング情報に基づいて計算されたチャネル品質インジケータまたは信号対干渉雑音比を含む。１つまたは複数の干渉ＢＳからのスケジューリング情報は、１つまたは複数の干渉ＢＳのうちの少なくとも１つがバックオフをスケジュールすることを示す。バッファ状態を示す情報は、サービングＢＳによってＵＥがサービスされる、トラフィックの優先順位を含む。
【０２８７】
本明細書で説明する別の装置は、ダウンリンク上で測定されたチャネル利得情報を判断するための手段と、アップリンクについてのチャネル利得情報に基づいて１つまたは複数の干渉ＵＥからの干渉を判断するための手段と、１つまたは複数の干渉ＵＥからの干渉に基づいて公称干渉を計算するための手段とを含むことができる。いくつかの実施形態では、本装置はまた、ダウンリンク上で測定されたチャネル利得情報をアップリンクについてのチャネル利得情報に割り当てるための手段を含むことができる。
【０２８８】
ダウンリンクチャネルおよびアップリンクチャネルはワイヤレス通信システム中にあることがあり、ワイヤレス通信システムは時分割複信システムである。本装置はＢＳであることがある。ＢＳは第１のセル中のＢＳであることがあり、１つまたは複数の干渉ＵＥは第２のセル中のＵＥであることがある。第１のセルは第２のセルとは異なることがある。上記干渉は、１つまたは複数の干渉ＵＥが送信するための送信電力レベルを示すことがある。
【０２８９】
一実施形態では、本装置は、ダウンリンク上で測定されたチャネル利得情報を判断することと、アップリンクについてのチャネル利得情報に基づいて１つまたは複数の干渉ＵＥからの干渉を判断することと、１つまたは複数の干渉ＵＥからの干渉に基づいて公称干渉を計算することとを行うように構成された干渉管理モジュールを含む。いくつかの実施形態では、干渉管理モジュールは、ダウンリンク上で測定されたチャネル利得情報をアップリンクについてのチャネル利得情報に割り当てるようにも構成される。
【０２９０】
ダウンリンクチャネルおよびアップリンクチャネルはワイヤレス通信システム中にあり、ワイヤレス通信システムは時分割複信システムである。本装置はＢＳであり、ＢＳは第１のセル中のＢＳであり、１つまたは複数の干渉ＵＥは第２のセル中のＵＥである。第１のセルは第２のセルとは異なる。上記干渉は、１つまたは複数の干渉ＵＥが送信するための送信電力レベルを示す。
【０２９１】
本明細書で説明する別の装置は、アップリンク上の情報を受信するための手段であって、アップリンク上の上記情報がＵＥから受信される、受信するための手段と、アップリンク上の上記情報を復号するための１つまたは複数のパラメータを受信するための手段と、アップリンク上の上記情報を復号するための手段と、ＵＥからの干渉を評価するための手段と、ＵＥの公称干渉を計算するための手段とを含むことができる。
【０２９２】
上記情報は、サウンディング基準信号またはアップリンクリソース利用メッセージのうちの少なくとも１つとすることができる。上記干渉を評価することは、アップリンク上の上記情報の信号強度を判断することを含むことができる。上記情報はサウンディング基準信号とすることができ、アップリンク上の上記情報を復号するための１つまたは複数のパラメータは、通信システムのバックホールを介して受信され得る。
【０２９３】
一実施形態では、本装置は、アップリンク上の情報を受信することであって、アップリンク上の上記情報がＵＥから受信される、受信することと、アップリンク上の上記情報を復号するための１つまたは複数のパラメータを受信することとを行うように構成されたトランシーバと、アップリンク上の上記情報を復号するように構成された復号器とを含む。本装置はまた、ＵＥからの干渉を評価することと、ＵＥの公称干渉を計算することとを行うように構成された干渉管理モジュールを含む。
【０２９４】
上記情報は、サウンディング基準信号またはアップリンクリソース利用メッセージのうちの少なくとも１つである。上記干渉を評価することは、アップリンク上の上記情報の信号強度を判断することを含む。上記情報はサウンディング基準信号であり、アップリンク上の上記情報を復号するための１つまたは複数のパラメータは、通信システムのバックホールを介して受信される。
【０２９５】
本明細書で説明する別の装置は、１つまたは複数のアップリンクリソース利用メッセージを受信するための手段であって、１つまたは複数のアップリンク利用メッセージが、第１のセル以外の１つまたは複数のセル中の１つまたは複数のＵＥから第１のセル中のＢＳによって受信される、受信するための手段と、アップリンクリソース利用メッセージの電力を測定するための手段と、第１のセル以外の１つまたは複数のセル中の１つまたは複数のＵＥのうちの１つのＵＥの識別情報が知られているかどうかを判断するための手段と、第１のセル以外の１つまたは複数のセル中の１つまたは複数のＵＥのうちの上記ＵＥの識別情報が知られていると判断することに応答して、第１のセル以外の１つまたは複数のセル中の１つまたは複数のＵＥのうちの上記ＵＥからの干渉を判断するための手段とを含むことができ、上記干渉は、第１のセル以外の１つまたは複数のセル中の１つまたは複数のＵＥのうちの上記ＵＥからのアップリンクリソース利用メッセージの電力に対応する。
【０２９６】
本装置はまた、アップリンクリソース利用メッセージを周期的に受信するための手段と、アップリンクリソース利用メッセージの電力の測定値を記録するための手段と、選択された時間期間の間の総干渉を測定するための手段と、総干渉を１つまたは複数のＵＥのうちの選択されたＵＥに割り当てるための手段と、総干渉の比を１つまたは複数のＵＥのうちの選択されたＵＥに割り当てるための手段と、１つまたは複数のＵＥのうちの選択されたＵＥの公称干渉を計算するための手段とを含むことができる。
【０２９７】
アップリンクリソース利用メッセージを周期的に受信することと、アップリンクリソース利用メッセージの電力の測定値を記録することと、選択された時間期間の間の総干渉を測定することと、総干渉を１つまたは複数のＵＥのうちの選択されたＵＥに割り当てることと、総干渉の比を１つまたは複数のＵＥのうちの選択されたＵＥに割り当てることとは、第１のセル以外の１つまたは複数のセル中の１つまたは複数のＵＥのうちの上記ＵＥの識別情報が知られていないと判断することに応答して実行され得る。
【０２９８】
一実施形態では、本装置は、１つまたは複数のアップリンクリソース利用メッセージを受信するように構成されたトランシーバであって、１つまたは複数のアップリンク利用メッセージが、第１のセル以外の１つまたは複数のセル中の１つまたは複数のＵＥから第１のセル中のＢＳによって受信される、トランシーバを含む。本装置はまた、アップリンクリソース利用メッセージの電力を測定することと、第１のセル以外の１つまたは複数のセル中の１つまたは複数のＵＥのうちの１つのＵＥの識別情報が知られているかどうかを判断することと、第１のセル以外の１つまたは複数のセル中の１つまたは複数のＵＥのうちの上記ＵＥの識別情報が知られていると判断することに応答して、第１のセル以外の１つまたは複数のセル中の１つまたは複数のＵＥのうちの上記ＵＥからの干渉を判断することとを行うように構成された干渉管理モジュールを含み、上記干渉は、第１のセル以外の１つまたは複数のセル中の１つまたは複数のＵＥのうちの上記ＵＥからのアップリンクリソース利用メッセージの電力に対応する。
【０２９９】
トランシーバは、アップリンクリソース利用メッセージを周期的に受信するようにさらに構成され、干渉管理モジュールは、アップリンクリソース利用メッセージの電力の測定値を記録することと、選択された時間期間の間の総干渉を測定することと、総干渉を１つまたは複数のＵＥのうちの選択されたＵＥに割り当てることと、総干渉の比を１つまたは複数のＵＥのうちの選択されたＵＥに割り当てることと、１つまたは複数のＵＥのうちの選択されたＵＥの公称干渉を計算することとを行うようにさらに構成される。
【０３００】
アップリンクリソース利用メッセージを周期的に受信することと、アップリンクリソース利用メッセージの電力の測定値を記録することと、選択された時間期間の間の総干渉を測定することと、総干渉を１つまたは複数のＵＥのうちの選択されたＵＥに割り当てることと、総干渉の比を１つまたは複数のＵＥのうちの選択されたＵＥに割り当てることとは、第１のセル以外の１つまたは複数のセル中の１つまたは複数のＵＥのうちの上記ＵＥの識別情報が知られていないと判断することに応答して干渉管理モジュールによって実行される。
【０３０１】
本明細書で説明する別の装置は、チャネル利得情報を計算するための手段であって、チャネル利得情報が、ＢＳによって計算され、ＢＳと１つまたは複数の干渉ＵＥとの間のチャネルを示す、計算するための手段と、ＢＳと１つまたは複数の干渉ＵＥのうちの少なくとも１つとの間の公称干渉を設定するための手段と、ＢＳによってサービスされる１つまたは複数のＵＥからＢＳによって受信されるべきトラフィックの優先順位を判断するための手段と、１つまたは複数の干渉ＵＥにリソース利用メッセージを送信するための手段であって、リソース利用メッセージが、ＢＳによってサービスされる１つまたは複数のＵＥからＢＳによって受信されるべきトラフィックの優先順位、およびＢＳと１つまたは複数の干渉ＵＥとの間の公称干渉を備える、送信するための手段とを含むことができる。
【０３０２】
公称干渉を設定するための上記手段は、１つまたは複数の干渉ＵＥのうちの選択された数の最も支配的な干渉ＵＥがバックオフするような値を公称干渉に割り当てるための手段を含むことができる。
【０３０３】
本装置はまた、１つまたは複数の干渉ＵＥから意図されたスケジューリングを示す情報を受信するための手段であって、意図されたスケジューリングを示す情報が、リソース利用メッセージ中の公称干渉とトラフィックの優先順位とに基づく、受信するための手段と、ＢＳによってサービスされるＵＥへの割当てを判断するための手段であって、上記割当てが、１つまたは複数の干渉ＵＥからの意図されたスケジューリングを示す情報に基づく、判断するための手段と、上記割当てに従って送信された情報を受信するための手段とを含むことができる。
【０３０４】
本装置はまた、アップリンクの周波数帯域に対応する周波数帯域にわたるダウンリンク上のチャネル状態を示す測定報告および電力情報に基づいてチャネル利得情報を計算するための手段、または１つまたは複数の干渉ＵＥからＢＳにおいて受信されたサウンディング基準信号の電力レベルを測定するための手段のうちの少なくとも１つを含む、チャネル利得情報を計算するための手段を含むことができる。
【０３０５】
上記割当ては、ＢＳによってサービスされるＵＥがアップリンク上でＢＳにデータを送信するデータレートまたは帯域幅割振りのうちの少なくとも１つを含むことができる。
【０３０６】
一実施形態では、本装置は、チャネル利得情報を計算することであって、チャネル利得情報が、ＢＳによって計算され、ＢＳと１つまたは複数の干渉ＵＥとの間のチャネルを示す、計算することと、ＢＳと１つまたは複数の干渉ＵＥのうちの少なくとも１つとの間の公称干渉を設定することと、ＢＳによってサービスされる１つまたは複数のＵＥからＢＳによって受信されるべきトラフィックの優先順位を判断することと、１つまたは複数の干渉ＵＥにリソース利用メッセージを送信することであって、リソース利用メッセージが、ＢＳによってサービスされる１つまたは複数のＵＥからＢＳによって受信されるべきトラフィックの優先順位、およびＢＳと１つまたは複数の干渉ＵＥとの間の公称干渉を備える、送信することとを行うように構成された干渉管理モジュールを含むことができる。
【０３０７】
本装置は、１つまたは複数の干渉ＵＥから意図されたスケジューリングを示す情報を受信するように構成されたトランシーバであって、意図されたスケジューリングを示す情報が、リソース利用メッセージ中の公称干渉とトラフィックの優先順位とに基づく、トランシーバを含むことができる。干渉管理モジュールは、ＢＳによってサービスされるＵＥへの割当てを判断するようにさらに構成され、上記割当てが、１つまたは複数の干渉ＵＥからの意図されたスケジューリングを示す情報に基づき、トランシーバは、上記割当てに従って送信された情報を受信するようにさらに構成される。
【０３０８】
チャネル利得情報を計算することは、アップリンクの周波数帯域に対応する周波数帯域にわたるダウンリンク上のチャネル状態を示す測定報告および電力情報に基づいてチャネル利得情報を計算すること、または１つまたは複数の干渉ＵＥからＢＳにおいて受信されたサウンディング基準信号の電力レベルを測定することのうちの少なくとも１つを含む。
【０３０９】
上記割当ては、ＢＳによってサービスされるＵＥがアップリンク上でＢＳにデータを送信するデータレートまたは帯域幅割振りのうちの少なくとも１つを含む。公称干渉を設定することは、１つまたは複数の干渉ＵＥのうちの選択された数の最も支配的な干渉ＵＥがバックオフするような値を公称干渉に割り当てることを含む。
【０３１０】
本明細書で説明する別の装置は、ＢＳにおいてチャネル利得情報を判断するための情報を送信するための手段であって、ＢＳにおいてチャネル利得情報を判断するための情報を上記送信することがＵＥによって実行される、送信するための手段と、ＲＵＭを受信するための手段とを含むことができる。ＲＵＭは、ＢＳによってサービスされるＵＥからＢＳによって受信されるべきトラフィックの優先順位、およびチャネル利得情報に基づくＢＳとＵＥとの間の公称干渉の値を含むことができる。
【０３１１】
本装置はまた、意図されたスケジューリングを示す情報を送信するための手段であって、意図されたスケジューリングを示す情報が、公称干渉の値と、ＢＳによってサービスされるＵＥからＢＳによって受信されるべきトラフィックの優先順位とに基づき、意図されたスケジューリングを示す情報が、ＢＳによってサービスされるＵＥへの割当てを判断するために採用される、送信するための手段を含むことができる。
【０３１２】
チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づくことができる。上記割当ては、ＢＳによってサービスされるＵＥがアップリンク上でＢＳにデータを送信することができるデータレートまたは帯域幅割振りのうちの少なくとも１つを含むことができる。
【０３１３】
一実施形態では、本装置は、ＢＳにおいてチャネル利得情報を判断するための情報を送信することであって、ＢＳにおいてチャネル利得情報を判断するための情報を上記送信することがＵＥによって実行される、送信することと、ＲＵＭを受信することとを行うように構成されたトランシーバを含む。ＲＵＭは、ＢＳによってサービスされるＵＥからＢＳによって受信されるべきトラフィックの優先順位、およびチャネル利得情報に基づくＢＳとＵＥとの間の公称干渉の値を含む。
【０３１４】
トランシーバは、意図されたスケジューリングを示す情報を送信するようにも構成され、意図されたスケジューリングを示す情報が、公称干渉の値と、ＢＳによってサービスされるＵＥからＢＳによって受信されるべきトラフィックの優先順位とに基づき、意図されたスケジューリングを示す情報が、ＢＳによってサービスされるＵＥへの割当てを判断するために採用される。
【０３１５】
チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づく。上記割当ては、ＢＳによってサービスされるＵＥがアップリンク上でＢＳにデータを送信することができるデータレートまたは帯域幅割振りのうちの少なくとも１つを含む。
【０３１６】
本明細書で説明する別の装置は、１つまたは複数の干渉ＢＳについての干渉情報を受信するための手段であって、１つまたは複数の干渉ＢＳについての干渉情報がＵＥから受信される、受信するための手段と、公称干渉と、ＵＥに関連するトラフィックについての優先順位情報とを受信するための手段であって、ＵＥに関連するトラフィックについての優先順位情報が、ＵＥに関連するバッファ状態を示す情報に対応する、受信するための手段と、ＵＥにスケジューリング情報を送信するための手段であって、ＵＥへの上記スケジューリング情報が、公称干渉と、ＵＥに関連するトラフィックについての優先順位情報とを上記受信することに応答して送信され、ＵＥへの上記スケジューリング情報が、サービングＢＳからＵＥについてのスケジューリング情報を生成するために採用される、送信するための手段とを含むことができる。
【０３１７】
ＵＥへのスケジューリング情報は、１つまたは複数の干渉ＢＳから送信されたスケジューリング情報に基づいて計算されたチャネル品質インジケータまたは信号対干渉雑音比を含むことができる。
【０３１８】
バッファ状態を示す情報は、サービングＢＳによってＵＥがサービスされる、トラフィックの優先順位を含むことができる。
【０３１９】
１つまたは複数の干渉ＢＳからのスケジューリング情報は、１つまたは複数の干渉ＢＳのうちの少なくとも１つがバックオフをスケジュールすることを示すことができる。
【０３２０】
一実施形態では、本装置は、１つまたは複数の干渉ＢＳについての干渉情報を受信することであって、１つまたは複数の干渉ＢＳについての干渉情報がＵＥから受信される、受信することと、公称干渉と、ＵＥに関連するトラフィックについての優先順位情報とを受信することであって、ＵＥに関連するトラフィックについての優先順位情報が、ＵＥに関連するバッファ状態を示す情報に対応する、受信することと、ＵＥにスケジューリング情報を送信することであって、上記スケジューリング情報が、公称干渉と、ＵＥに関連するトラフィックについての優先順位情報とを上記受信することに応答して送信され、ＵＥへの上記スケジューリング情報が、サービングＢＳからＵＥについてのスケジューリング情報を生成するために採用される、送信することとを行うように構成されたトランシーバを含むことができる。
【０３２１】
ＵＥへの上記スケジューリング情報は、１つまたは複数の干渉ＢＳから送信されたスケジューリング情報に基づいて計算されたチャネル品質インジケータまたは信号対干渉雑音比を含むことができる。
【０３２２】
バッファ状態を示す情報は、サービングＢＳによってＵＥがサービスされる、トラフィックの優先順位を含むことができる。
【０３２３】
１つまたは複数の干渉ＢＳからのスケジューリング情報は、１つまたは複数の干渉ＢＳのうちの少なくとも１つがバックオフをスケジュールすることを示すことができる。
【０３２４】
本明細書で説明する別の装置は、ＢＳにおいてチャネル利得情報を判断するための情報を送信するための手段であって、ＢＳにおいてチャネル利得情報を判断するための情報を上記送信することがＵＥによって実行される、送信するための手段と、リソース利用メッセージを受信するための手段であって、リソース利用メッセージが、ＢＳによってサービスされるＵＥからＢＳによって受信されるべきトラフィックの優先順位、およびチャネル利得情報に基づくＢＳとＵＥとの間の公称干渉の値を備える、受信するための手段と、意図されたスケジューリングを示す情報を送信するための手段であって、意図されたスケジューリングを示す情報が、ＢＳによってサービスされるＵＥの公称干渉の値、サービングリンク上で受信されるべきトラフィックの優先順位、サービングリンク上のチャネル利得情報、ＢＳによってサービスされないＵＥの公称干渉、干渉リンク上で受信されるべきトラフィックの優先順位、および干渉リンク上のチャネル利得情報に基づき、意図されたスケジューリングを示す情報が、ＢＳによってサービスされるＵＥへの割当てを判断するために採用される、送信するための手段とを含む装置を含むことができる。
【０３２５】
いくつかの実施形態では、チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づく。
【０３２６】
いくつかの実施形態では、上記割当ては、ＢＳによってサービスされるユーザ機器がアップリンク上でＢＳにデータを送信することができるデータレートまたは帯域幅割振りのうちの少なくとも１つを含む。
【０３２７】
一実施形態では、本装置は、ＢＳにおいてチャネル利得情報を判断するための情報を送信することであって、ＢＳにおいてチャネル利得情報を判断するための情報を上記送信することがＵＥによって実行される、送信することと、リソース利用メッセージを受信することであって、リソース利用メッセージが、ＢＳによってサービスされるＵＥからＢＳによって受信されるべきトラフィックの優先順位、およびチャネル利得情報に基づくＢＳとＵＥとの間の公称干渉の値を備える、受信することと、意図されたスケジューリングを示す情報を送信することであって、意図されたスケジューリングを示す情報が、ＢＳによってサービスされるＵＥの公称干渉の値、サービングリンク上で受信されるべきトラフィックの優先順位、サービングリンク上のチャネル利得情報、ＢＳによってサービスされないＵＥの公称干渉、干渉リンク上で受信されるべきトラフィックの優先順位、または干渉リンク上のチャネル利得情報に基づき、意図されたスケジューリングを示す情報が、ＢＳによってサービスされるＵＥへの割当てを判断するために採用される、送信することとを行うように構成されたトランシーバを含むことができる。
【０３２８】
いくつかの実施形態では、チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づく。
【０３２９】
いくつかの実施形態では、上記割当ては、ＢＳによってサービスされるＵＥがアップリンク上でＢＳにデータを送信することができるデータレートまたは帯域幅割振りのうちの少なくとも１つを含む。
【０３３０】
本明細書で説明する別の装置は、１つまたは複数のパイロット信号を送信するための手段であって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、送信するための手段を含むことができる。いくつかの実施形態では、本装置はまた、リソース利用メッセージを受信するための手段を含むことができ、１つまたは複数のパイロット信号を送信するための上記手段は、リソース利用メッセージを受信するための上記手段がリソース利用メッセージを受信することに応答して、１つまたは複数のパイロット信号を送信する。
【０３３１】
いくつかの実施形態では、１つまたは複数の干渉ＢＳの干渉を計算することは、１つまたは複数のパイロット信号の信号強度を判断することを含むことができる。
【０３３２】
一実施形態では、本装置は、１つまたは複数のパイロット信号を送信するように構成されたトランシーバであって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、トランシーバを含むことができる。いくつかの実施形態では、トランシーバは、リソース利用メッセージを受信するようにさらに構成され得、１つまたは複数のパイロット信号を送信することは、リソース利用メッセージを受信することに応答して実行される。
【０３３３】
いくつかの実施形態では、１つまたは複数の干渉ＢＳの干渉を計算することは、１つまたは複数のパイロット信号の信号強度を判断することを含むことができる。
【０３３４】
１つのコンピュータプログラム製品はコンピュータ可読媒体を含むことができる。本コンピュータプログラム製品は、公称干渉を計算することをコンピュータに行わせるための第１の組のコードと、セル外ＵＥが情報を受信するためのリソースの同じセットを介して１つまたは複数の干渉ＢＳのうちの少なくとも１つが送信する場合、１つまたは複数の干渉ＢＳのうちの少なくとも１つがセル外ＵＥにとっての送信レートの損失を計算するように、公称干渉を１つまたは複数の干渉ＢＳに送信することをコンピュータに行わせるための第２の組のコードとを含むことができる。
【０３３５】
いくつかの実施形態では、公称干渉は、１つまたは複数の干渉ＢＳについてのチャネル利得情報、１つまたは複数の干渉ＢＳの平均トラフィック負荷、１つまたは複数の干渉ＢＳの瞬時トラフィック負荷、１つまたは複数のセル中のトラフィック負荷または優先順位、１つまたは複数のセル中のトラフィック負荷または優先順位を示すバッファ状態情報、のうちの１つまたは複数を使用して計算される。
【０３３６】
いくつかの実施形態では、公称干渉を計算することは、１つまたは複数の干渉ＢＳからの干渉を判断することと、１つまたは複数の干渉ＢＳの送信レートを計算することと、セル外ＵＥにおける送信レートを最大にする、１つまたは複数の干渉ＢＳの数を判断することと、セル外ＵＥにおける送信レートを最大にする、１つまたは複数の干渉ＢＳの数に対応する公称干渉を計算することとを含む。
【０３３７】
本明細書で説明する他の態様は、コンピュータプログラム製品を介して実行され得る。本コンピュータプログラム製品はコンピュータ可読媒体を含むことができる。コンピュータ可読媒体は、１つまたは複数のパイロット信号を受信することをコンピュータに行わせるための第１の組のコードであって、１つまたは複数のパイロット信号が１つまたは複数の干渉ＢＳから受信され、ＵＥが１つまたは複数のパイロット信号を受信する、第１の組のコードと、１つまたは複数の干渉ＢＳの干渉を計算することをコンピュータに行わせるための第２の組のコードと、測定報告を送信することをコンピュータに行わせるための第３の組のコードであって、測定報告が上記干渉を含み、測定報告がサービングＢＳに送信される、第３の組のコードとを含むことができる。
【０３３８】
いくつかの実施形態では、コンピュータ可読媒体はまた、アップリンク許可を受信したいというスケジューリング要求をサービングＢＳに送信することをコンピュータに行わせるための第５の組のコードと、サービングＢＳからアップリンク許可を受信することをコンピュータに行わせるための第６の組のコードとを含む。スケジューリング要求を送信することと、アップリンク許可を上記受信することとは、測定報告を上記送信することより前に実行され得る。いくつかの実施形態では、１つまたは複数の干渉ＢＳの干渉を計算することは、１つまたは複数のパイロット信号の信号強度を判断することを含むことができる。
【０３３９】
いくつかの実施形態では、コンピュータ可読媒体はまた、１つまたは複数の干渉ＢＳにＲＵＭを送信することをコンピュータに行わせるための第７の組のコードを含む。１つまたは複数のパイロット信号を受信することは、ＲＵＭを送信することに応答することができる。
【０３４０】
本明細書で説明する他の態様は、コンピュータプログラム製品を介して実行され得る。本コンピュータプログラム製品はコンピュータ可読媒体を含むことができる。コンピュータ可読媒体は、ＵＥに関連するバッファ状態を示す情報を受信することをコンピュータに行わせるための第１の組のコードであって、上記情報がＵＥにおいて受信される、第１の組のコードと、１つまたは複数の干渉ＢＳから干渉情報を受信することをコンピュータに行わせるための第２の組のコードと、干渉情報に基づく公称干渉を設定することをコンピュータに行わせるための第３の組のコードと、公称干渉と、ＵＥに関連するトラフィックについての優先順位情報とを送信することをコンピュータに行わせるための第４の組のコードであって、公称干渉と優先順位情報とが１つまたは複数の干渉ＢＳに送信される、第４の組のコードと、１つまたは複数の干渉ＢＳからスケジューリング情報を受信することをコンピュータに行わせるための第５の組のコードであって、スケジューリング情報が、公称干渉と、ＵＥに関連するトラフィックについての優先順位情報とを上記送信することに応答して受信される、第５の組のコードと、１つまたは複数の干渉ＢＳからのスケジューリング情報に基づくスケジューリング情報をサービングＢＳから受信することをコンピュータに行わせるための第６の組のコードとを含むことができる。
【０３４１】
いくつかの実施形態では、コンピュータ可読媒体はまた、１つまたは複数の干渉ＢＳからのスケジューリング情報に基づいてチャネル品質インジケータまたは信号対干渉雑音比を計算することをコンピュータに行わせるための第７の組のコードと、チャネル品質インジケータまたは信号対干渉雑音比をサービングＢＳに送信することをコンピュータに行わせるための第８の組のコードとを含むことができる。サービングＢＳからスケジューリング情報を受信することは、チャネル品質インジケータまたは信号対干渉雑音比を計算することと、チャネル品質インジケータまたは信号対干渉雑音比を送信することとに応答して実行され得る。
【０３４２】
いくつかの実施形態では、バッファ状態を示す情報は、サービングＢＳによってＵＥがサービスされる、トラフィックの優先順位を含むことができる。１つまたは複数の干渉ＢＳからのスケジューリング情報は、１つまたは複数の干渉ＢＳのうちの少なくとも１つがバックオフをスケジュールすることを示すことができる。
【０３４３】
本明細書で説明する他の態様は、コンピュータプログラム製品を介して実行され得る。本コンピュータプログラム製品はコンピュータ可読媒体を含むことができる。コンピュータ可読媒体は、１つまたは複数のパイロット信号を送信することをコンピュータに行わせるための第１の組のコードであって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、第１の組のコードを含むことができる。
【０３４４】
１つまたは複数の干渉ＢＳの干渉を計算することは、１つまたは複数のパイロット信号の信号強度を判断することを含むことができる。
【０３４５】
コンピュータ可読媒体は、リソース利用メッセージを受信することをコンピュータに行わせるための第２の組のコードを含むことができ、１つまたは複数のパイロット信号を送信することは、リソース利用メッセージを受信することに応答する。
【０３４６】
本明細書で説明する他の態様は、コンピュータプログラム製品を介して実行され得る。本コンピュータプログラム製品はコンピュータ可読媒体を含むことができる。コンピュータ可読媒体は、１つまたは複数の干渉ＢＳについての干渉情報を受信することをコンピュータに行わせるための第１の組のコードであって、干渉情報がＵＥから受信される、第１の組のコードと、公称干渉と、ＵＥに関連するトラフィックについての優先順位情報とを受信することをコンピュータに行わせるための第２の組のコードであって、ＵＥに関連するトラフィックについての優先順位情報が、ＵＥに関連するバッファ状態を示す情報に対応する、第２の組のコードと、ＵＥにスケジューリング情報を送信することをコンピュータに行わせるための第３の組のコードであって、上記スケジューリング情報が、公称干渉と、ＵＥに関連するトラフィックについての優先順位情報とを受信することに応答して送信され、ＵＥへの上記スケジューリング情報が、サービングＢＳからＵＥについてのスケジューリング情報を生成するために採用される、第３の組のコードとを含むことができる。
【０３４７】
ＵＥへの上記スケジューリング情報は、１つまたは複数の干渉ＢＳから送信されたスケジューリング情報に基づいて計算されたチャネル品質インジケータまたは信号対干渉雑音比を含むことができる。バッファ状態を示す情報は、サービングＢＳによってＵＥがサービスされる、トラフィックの優先順位を含むことができる。１つまたは複数の干渉ＢＳからのスケジューリング情報は、１つまたは複数の干渉ＢＳのうちの少なくとも１つがバックオフをスケジュールすることを示すことができる。
【０３４８】
本明細書で説明する他の態様は、コンピュータプログラム製品を介して実行され得る。本コンピュータプログラム製品はコンピュータ可読媒体を含むことができる。コンピュータ可読媒体は、ダウンリンク上で測定されたチャネル利得情報を判断することをコンピュータに行わせるための第１の組のコードであって、上記判断することがＢＳによって実行される、第１の組のコードと、ダウンリンク上で測定されたチャネル利得情報をアップリンクについてのチャネル利得情報に割り当てることをコンピュータに行わせるための第２の組のコードと、アップリンクについてのチャネル利得情報に基づいて１つまたは複数の干渉ＵＥからの干渉を判断することをコンピュータに行わせるための第３の組のコードと、１つまたは複数の干渉ＵＥからの干渉に基づいて公称干渉を計算することをコンピュータに行わせるための第４の組のコードとを含むことができる。
【０３４９】
ダウンリンクチャネルおよびアップリンクチャネルはワイヤレス通信システム中にあり、ワイヤレス通信システムは時分割複信システムであることがある。ＢＳは第１のセル中のＢＳであることがあり、１つまたは複数の干渉ＵＥは第２のセル中のＵＥであることがある。第１のセルは第２のセルとは異なることがある。上記干渉は、１つまたは複数の干渉ＵＥが送信するための送信電力レベルを示すことがある。
【０３５０】
本明細書で説明する他の態様は、コンピュータプログラム製品を介して実行され得る。本コンピュータプログラム製品はコンピュータ可読媒体を含むことができる。コンピュータ可読媒体は、アップリンク上の情報を受信することをコンピュータに行わせるための第１の組のコードであって、アップリンク上の上記情報がＵＥから受信される、第１の組のコードと、アップリンク上の上記情報を復号するための１つまたは複数のパラメータを受信することをコンピュータに行わせるための第２の組のコードと、アップリンク上の上記情報を復号することをコンピュータに行わせるための第３の組のコードと、ＵＥからの干渉を評価することをコンピュータに行わせるための第４の組のコードと、ＵＥの公称干渉を計算することをコンピュータに行わせるための第５の組のコードとを含むことができる。上記干渉を評価することは、アップリンク上の上記情報の信号強度を判断することを含むことができる。
【０３５１】
いくつかの実施形態では、上記情報は、サウンディング基準信号またはアップリンクリソース利用メッセージのうちの少なくとも１つとすることができる。いくつかの実施形態では、上記情報はサウンディング基準信号であり、アップリンク上の上記情報を復号するための１つまたは複数のパラメータは、通信システムのバックホールを介して受信される。
【０３５２】
本明細書で説明する他の態様は、コンピュータプログラム製品を介して実行され得る。本コンピュータプログラム製品はコンピュータ可読媒体を含むことができる。コンピュータ可読媒体は、１つまたは複数のアップリンクリソース利用メッセージを受信することをコンピュータに行わせるための第１の組のコードであって、１つまたは複数のアップリンク利用メッセージが、第１のセル以外の１つまたは複数のセル中の１つまたは複数のＵＥから第１のセル中のＢＳによって受信される、第１の組のコードと、アップリンクリソース利用メッセージの電力を測定することをコンピュータに行わせるための第２の組のコードと、第１のセル以外の１つまたは複数のセル中の１つまたは複数のＵＥのうちの１つのＵＥの識別情報が知られているかどうかを判断することをコンピュータに行わせるための第３の組のコードと、第１のセル以外の１つまたは複数のセル中の１つまたは複数のＵＥのうちの上記ＵＥの識別情報が知られていると判断することに応答して、第１のセル以外の１つまたは複数のセル中の１つまたは複数のＵＥのうちの上記ＵＥからの干渉を判断することをコンピュータに行わせるための第４の組のコードとを含むことができ、上記干渉は、第１のセル以外の１つまたは複数のセル中の１つまたは複数のＵＥのうちの上記ＵＥからのアップリンクリソース利用メッセージの電力に対応する。
【０３５３】
いくつかの実施形態では、コンピュータ可読媒体はまた、アップリンクリソース利用メッセージを周期的に受信することをコンピュータに行わせるための第５の組のコードと、アップリンクリソース利用メッセージの電力の測定値を記録することをコンピュータに行わせるための第６の組のコードと、選択された時間期間の間の総干渉を測定することをコンピュータに行わせるための第７の組のコードと、総干渉を１つまたは複数のＵＥのうちの選択されたＵＥに割り当てることをコンピュータに行わせるための第８の組のコードと、総干渉の比を１つまたは複数のＵＥのうちの選択されたＵＥに割り当てることをコンピュータに行わせるための第９の組のコードと、１つまたは複数のＵＥのうちの選択されたＵＥの公称干渉を計算することをコンピュータに行わせるための第１０の組のコードとを含むことができる。アップリンクリソース利用メッセージを周期的に受信すること、アップリンクリソース利用メッセージの電力の測定値を記録すること、選択された時間期間の間の総干渉を測定すること、総干渉を１つまたは複数のＵＥのうちの選択されたＵＥに割り当てること、および／または総干渉の比を１つまたは複数のＵＥのうちの選択されたＵＥに割り当てることは、第１のセル以外の１つまたは複数のセル中の１つまたは複数のＵＥのうちの上記ＵＥの識別情報が知られていないと判断することに応答する。
【０３５４】
本明細書で説明する他の態様は、コンピュータプログラム製品を介して実行され得る。本コンピュータプログラム製品はコンピュータ可読媒体を含むことができる。コンピュータ可読媒体は、チャネル利得情報を計算することをコンピュータに行わせるための第１の組のコードであって、チャネル利得情報が、ＢＳによって計算され、ＢＳと１つまたは複数の干渉ＵＥとの間のチャネルを示す、第１の組のコードと、ＢＳと１つまたは複数の干渉ＵＥのうちの少なくとも１つとの間の公称干渉を設定することをコンピュータに行わせるための第２の組のコードと、ＢＳによってサービスされる１つまたは複数のＵＥからＢＳによって受信されるべきトラフィックの優先順位を判断することをコンピュータに行わせるための第３の組のコードと、１つまたは複数の干渉ＵＥにリソース利用メッセージを送信することをコンピュータに行わせるための第４の組のコードであって、リソース利用メッセージが、ＢＳによってサービスされる１つまたは複数のＵＥからＢＳによって受信されるべきトラフィックの優先順位、およびＢＳと１つまたは複数の干渉ＵＥとの間の公称干渉を備える、第４の組のコードとを含むことができる。
【０３５５】
いくつかの実施形態では、コンピュータ可読媒体はまた、１つまたは複数の干渉ＵＥから意図されたスケジューリングを示す情報を受信することをコンピュータに行わせるための第５の組のコードであって、意図されたスケジューリングを示す情報が、リソース利用メッセージ中の公称干渉とトラフィックの優先順位とに基づく、第５の組のコードと、ＢＳによってサービスされるＵＥへの割当てを判断することをコンピュータに行わせるための第６の組のコードであって、上記割当てが、１つまたは複数の干渉ＵＥからの意図されたスケジューリングを示す情報に基づく、第６の組のコードと、上記割当てに従って送信された情報を受信することをコンピュータに行わせるための第７の組のコードとを含むことができる。
【０３５６】
チャネル利得情報を計算することは、アップリンクの周波数帯域に対応する周波数帯域にわたるダウンリンク上のチャネル状態を示す測定報告および電力情報に基づいてチャネル利得情報を計算すること、または１つまたは複数の干渉ＵＥからＢＳにおいて受信されたサウンディング基準信号の電力レベルを測定することのうちの少なくとも１つを含むことができる。
【０３５７】
上記割当ては、ＢＳによってサービスされるＵＥがアップリンク上でＢＳにデータを送信するデータレートまたは帯域幅割振りのうちの少なくとも１つを含むことができる。
【０３５８】
公称干渉を設定することは、１つまたは複数の干渉ＵＥのうちの選択された数の最も支配的な干渉ＵＥがバックオフするような値を公称干渉に割り当てることを含むことができる。
【０３５９】
本明細書で説明する他の態様は、コンピュータプログラム製品を介して実行され得る。本コンピュータプログラム製品はコンピュータ可読媒体を含むことができる。コンピュータ可読媒体は、ＢＳにおいてチャネル利得情報を判断するための情報を送信することをコンピュータに行わせるための第１の組のコードであって、ＢＳにおいてチャネル利得情報を判断するための情報を上記送信することがＵＥによって実行される、第１の組のコードと、リソース利用メッセージを受信することをコンピュータに行わせるための第２の組のコードであって、リソース利用メッセージが、ＢＳによってサービスされるＵＥからＢＳによって受信されるべきトラフィックの優先順位、およびチャネル利得情報に基づくＢＳとＵＥとの間の公称干渉の値を備える、第２の組のコードと、意図されたスケジューリングを示す情報を送信することをコンピュータに行わせるための第３の組のコードであって、意図されたスケジューリングを示す情報が、公称干渉の値と、ＢＳによってサービスされるＵＥからＢＳによって受信されるべきトラフィックの優先順位とに基づき、意図されたスケジューリングを示す情報が、ＢＳによってサービスされるＵＥへの割当てを判断するために採用される、第３の組のコードとを含むことができる。
【０３６０】
チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づくことができる。
【０３６１】
上記割当ては、ＢＳによってサービスされるＵＥがアップリンク上でＢＳにデータを送信することができるデータレートまたは帯域幅割振りのうちの少なくとも１つを含むことができる。
【０３６２】
本明細書で説明する他の態様は、コンピュータプログラム製品を介して実行され得る。本コンピュータプログラム製品はコンピュータ可読媒体を含むことができる。コンピュータ可読媒体は、１つまたは複数の干渉ＢＳについての干渉情報を受信することをコンピュータに行わせるための第１の組のコードであって、１つまたは複数の干渉ＢＳについての干渉情報がＵＥから受信される、第１の組のコードと、公称干渉と、ＵＥに関連するトラフィックについての優先順位情報とを受信することをコンピュータに行わせるための第２の組のコードであって、ＵＥに関連するトラフィックについての優先順位情報が、ＵＥに関連するバッファ状態を示す情報に対応する、第２の組のコードと、ＵＥにスケジューリング情報を送信することをコンピュータに行わせるための第３の組のコードであって、上記スケジューリング情報が、公称干渉と、ＵＥに関連するトラフィックについての優先順位情報とを受信することに応答して送信され、ＵＥへの上記スケジューリング情報が、サービング基地局からＵＥについてのスケジューリング情報を生成するために採用される、第３の組のコードとを含むことができ、１つまたは複数の干渉ＢＳのうちの少なくとも１つは上記コンピュータを備える。
【０３６３】
いくつかの実施形態では、ＵＥへの上記スケジューリング情報は、１つまたは複数の干渉ＢＳから送信されたスケジューリング情報に基づいて計算されたチャネル品質インジケータまたは信号対干渉雑音比を備える。
【０３６４】
いくつかの実施形態では、バッファ状態を示す情報は、サービングＢＳによってＵＥがサービスされる、トラフィックの優先順位を備える。
【０３６５】
いくつかの実施形態では、１つまたは複数の干渉ＢＳからのスケジューリング情報は、１つまたは複数の干渉ＢＳのうちの少なくとも１つがバックオフをスケジュールすることを示す。
【０３６６】
本明細書で説明する他の態様は、コンピュータプログラム製品を介して実行され得る。本コンピュータプログラム製品はコンピュータ可読媒体を含むことができる。コンピュータ可読媒体は、ＢＳにおいてチャネル利得情報を判断するための情報を送信することをコンピュータに行わせるための第１の組のコードであって、ＢＳにおいてチャネル利得情報を判断するための情報を上記送信することがＵＥによって実行される、第１の組のコードと、リソース利用メッセージを受信することをコンピュータに行わせるための第２の組のコードあって、リソース利用メッセージが、ＢＳによってサービスされるＵＥからＢＳによって受信されるべきトラフィックの優先順位、およびチャネル利得情報に基づくＢＳとＵＥとの間の公称干渉の値を備える、第２の組のコードと、意図されたスケジューリングを示す情報を送信することをコンピュータに行わせるための第３の組のコードであって、意図されたスケジューリングを示す情報が、ＢＳによってサービスされるＵＥの公称干渉の値、サービングリンク上で受信されるべきトラフィックの優先順位、サービングリンク上のチャネル利得情報、ＢＳによってサービスされないＵＥの公称干渉、干渉リンク上で受信されるべきトラフィックの優先順位、および干渉リンク上のチャネル利得情報に基づき、意図されたスケジューリングを示す情報が、ＢＳによってサービスされるＵＥへの割当てを判断するために採用される、第３の組のコードとを含むことができる。
【０３６７】
いくつかの実施形態では、チャネル利得情報は、アップリンクの周波数帯域に対応する周波数帯域にわたるダウンリンク上のチャネル状態を示す測定報告および電力情報、またはＵＥからＢＳにおいて受信されたサウンディング基準信号の電力レベル、のうちの少なくとも１つに基づく。
【０３６８】
いくつかの実施形態では、上記割当ては、ＢＳによってサービスされるＵＥがアップリンク上でＢＳにデータを送信することができるデータレートまたは帯域幅割振りのうちの少なくとも１つを含む。
【０３６９】
本明細書で説明する他の態様は、コンピュータプログラム製品を介して実行され得る。本コンピュータプログラム製品はコンピュータ可読媒体を含むことができる。コンピュータ可読媒体は、１つまたは複数のパイロット信号を送信することをコンピュータに行わせるための第１の組のコードであって、１つまたは複数のパイロット信号が１つまたは複数の干渉ＢＳから送信され、ＵＥが１つまたは複数のパイロット信号を受信し、１つまたは複数のパイロット信号が、１つまたは複数の干渉ＢＳの干渉を計算するために測定される、第１の組のコードを含むことができ、１つまたは複数の干渉ＢＳのうちの少なくとも１つは上記コンピュータを備える。いくつかの実施形態では、本コンピュータプログラム製品は、リソース利用メッセージを受信することをコンピュータに行わせるための第２の組のコードをも含むことができ、１つまたは複数のパイロット信号を送信することは、リソース利用メッセージを受信することに応答する。
【０３７０】
いくつかの実施形態では、１つまたは複数の干渉ＢＳの干渉を計算することは、１つまたは複数のパイロット信号の信号強度を判断することを備える。
【０３７１】
図２９は、干渉管理が行われ得る例示的なワイヤレス通信システム２９００の図である。本明細書の教示は、少なくとも１つの他のノードと通信するための様々な構成要素を採用するノード（たとえば、デバイス）に組み込まれ得る。図２９は、ノード間の通信を可能にするために採用され得るいくつかの例示的な構成要素を示す。詳細には、図２９は、ＭＩＭＯシステムのワイヤレスデバイス２９１０（たとえば、ＢＳ）とワイヤレスデバイス２９５０（たとえば、ＵＥ）とを示す。デバイス２９１０では、いくつかのデータストリームのトラフィックデータが、データソース２９１２から送信（ＴＸ）データプロセッサ２９１４に供給される。
【０３７２】
いくつかの態様では、各データストリームは、それぞれの送信アンテナを介して送信される。ＴＸデータプロセッサ２９１４は、符号化データを与えるために、各データストリームのトラフィックデータを、そのデータストリーム用に選択された特定の符号化方式に基づいてフォーマットし、符号化し、インターリーブする。
【０３７３】
各データストリームの符号化データは、ＯＦＤＭ技法を使用してパイロットデータで多重化され得る。パイロットデータは、典型的には、知られている方法で処理される知られているデータパターンであり、チャネル応答を推定するために受信ノードシステムにおいて使用され得る。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２９３０によって実行される命令によって判断され得る。データメモリ２９３２は、プロセッサ２９３０またはデバイス２９１０の他の構成要素によって使用されるプログラムコード、データ、および他の情報を記憶し得る。
【０３７４】
次いで、すべてのデータストリームの変調シンボルがＴＸ  ＭＩＭＯプロセッサ２９２０に供給され、ＴＸ  ＭＩＭＯプロセッサ２９２０はさらに（たとえば、ＯＦＤＭ用に）その変調シンボルを処理し得る。次いで、ＴＸ  ＭＩＭＯプロセッサ２９２０は、ＮT個の変調シンボルストリームをＮＴ個のトランシーバ（ＸＣＶＲ）２９２２Ａ〜２９２２Ｔに供給する。いくつかの態様では、ＴＸ  ＭＩＭＯプロセッサ２９２０は、データストリームのシンボルと、シンボルの送信元のアンテナとにビームフォーミング重みを付加する。
【０３７５】
各トランシーバ２９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ２９２２Ａ〜２９２２ＴからのＮT個の変調信号は、それぞれ、ＮT個のアンテナ２９２４Ａ〜２９２４Ｔから送信される。
【０３７６】
デバイス２９５０では、送信された変調信号はＮＲ個のアンテナ２９５２Ａ〜２９５２Ｒによって受信され、各アンテナ２９５２からの受信信号は、それぞれのトランシーバ（ＸＣＶＲ）２９５４Ａ〜２９５４Ｒに供給される。各トランシーバ２９５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０３７７】
次いで、受信（ＲＸ）データプロセッサ２９６０は、特定の受信ノード処理技法に基づいてＮＲ個のトランシーバ２９５４からＮＲ個の受信シンボルストリームを受信し、処理して、ＮＴ個の「検出」シンボルストリームを与える。次いで、ＲＸデータプロセッサ２９６０は、各検出シンボルストリームを復調し、デインターリーブし、復号して、データストリームのトラフィックデータを復元する。ＲＸデータプロセッサ２９６０による処理は、デバイス２９１０におけるＴＸ  ＭＩＭＯプロセッサ２９２０およびＴＸデータプロセッサ２９１４によって実行される処理を補足するものである。
【０３７８】
プロセッサ２９７０は、どのプリコーディング行列を使用すべきかを周期的に判断する（後述）。プロセッサ２９７０は、行列インデックス部分とランク値部分とを備える逆方向リンクメッセージを作成する。データメモリ２９７２は、プロセッサ２９７０またはデバイス２９５０の他の構成要素によって使用されるプログラムコード、データ、および他の情報を記憶し得る。
【０３７９】
逆方向リンクメッセージは、通信リンクおよび／または受信データストリームに関する様々なタイプの情報を備え得る。次いで、逆方向リンクメッセージは、データソース２９３６からいくつかのデータストリームのトラフィックデータをも受信するＴＸデータプロセッサ２９３８によって処理され、変調器２９８０によって変調され、トランシーバ２９５４Ａ〜２９５４Ｒによって調整され、デバイス２９１０に戻される。
【０３８０】
デバイス２９１０では、デバイス２９５０からの変調信号は、アンテナ２９２４によって受信され、トランシーバ２９２２によって調整され、復調器（ＤＥＭＯＤ）２９４０によって復調され、ＲＸデータプロセッサ２９４２によって処理されて、デバイス２９５０によって送信された逆方向リンクメッセージが抽出される。次いで、プロセッサ２９３０は、ビームフォーミング重みを判断するためにどのプリコーディング行列を使用すべきかを判断し、次いで、抽出されたメッセージを処理する。
【０３８１】
図２９はまた、通信構成要素が、本明細書で教示する干渉制御動作を実行する１つまたは複数の構成要素を含み得ることを示す。たとえば、干渉（「ＩＮＴＥＲ」）制御構成要素２９９０は、プロセッサ２９３０および／またはデバイス２９１０の他の構成要素と協働して、本明細書で教示する別のデバイス（たとえば、デバイス２９５０）との間で信号を送信／受信し得る。同様に、干渉制御構成要素２９９２は、プロセッサ２９７０および／またはデバイス２９５０の他の構成要素と協働して、別のデバイス（たとえば、デバイス２９１０）との間で信号を送信／受信し得る。各デバイス２９１０および２９５０について、説明する構成要素のうちの２つ以上の機能が単一の構成要素によって提供され得ることを諒解されたい。たとえば、単一の処理構成要素が干渉制御構成要素２９９０およびプロセッサ２９３０の機能を提供し得、また、単一の処理構成要素が干渉制御構成要素２９９２およびプロセッサ２９７０の機能を提供し得る。
【０３８２】
一態様では、論理チャネルは、制御チャネルとトラフィックチャネルとに分類され得る。論理制御チャネルは、システム制御情報をブロードキャストするためのＤＬチャネルであるブロードキャスト制御チャネル（Ｂｒｏａｄｃａｓｔ  Ｃｏｎｔｒｏｌ  Ｃｈａｎｎｅｌ：ＢＣＣＨ）を含むことができる。さらに、論理制御チャネルは、ページング情報を転送するＤＬチャネルであるページング制御チャネル（Ｐａｇｉｎｇ  Ｃｏｎｔｒｏｌ  Ｃｈａｎｎｅｌ：ＰＣＣＨ）を含むことができる。その上、論理制御チャネルはマルチキャスト制御チャネル（Ｍｕｌｔｉｃａｓｔ  Ｃｏｎｔｒｏｌ  Ｃｈａｎｎｅｌ：ＭＣＣＨ）を含むことができ、マルチキャスト制御チャネルは、１つまたは複数のマルチキャストトラフィックチャネル（Ｍｕｌｔｉｃａｓｔ  Ｔｒａｆｆｉｃ  Ｃｈａｎｎｅｌｓ：ＭＴＣＨ）についてのマルチメディアブロードキャストおよびマルチキャストサービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ：ＭＢＭＳ）のスケジューリングおよび制御情報を送信するために使用されるポイントツーマルチポイントＤＬチャネルである。概して、無線リソース制御（Ｒａｄｉｏ  Ｒｅｓｏｕｒｃｅ  Ｃｏｎｔｒｏｌ：ＲＲＣ）接続を確立した後、このチャネルは、ＭＢＭＳ（たとえば、古いＭＣＣＨ＋ＭＳＣＨ）を受信するＵＥによって使用されるだけである。さらに、論理制御チャネルは専用制御チャネル（Ｄｅｄｉｃａｔｅｄ  Ｃｏｎｔｒｏｌ  Ｃｈａｎｎｅｌ：ＤＣＣＨ）を含むことができ、専用制御チャネルは、専用制御情報を送信するポイントツーポイント双方向チャネルであり、ＲＲＣ接続を有するＵＥによって使用され得る。一態様では、論理トラフィックチャネルは、ユーザ情報を転送するための１つのＵＥに専用のポイントツーポイント双方向チャネルである専用トラフィックチャネル（ＤＴＣＨ）を備えることができる。また、論理トラフィックチャネルは、トラフィックデータを送信するためのポイントツーマルチポイントＤＬチャネルのためのＭＴＣＨを含むことができる。
【０３８３】
一態様では、トランスポートチャネルは、ＤＬとＵＬとに分類される。ＤＬトランスポートチャネルは、ブロードキャストチャネル（Ｂｒｏａｄｃａｓｔ  Ｃｈａｎｎｅｌ：ＢＣＨ）、ダウンリンク共有データチャネル（Ｄｏｗｎｌｉｎｋ  Ｓｈａｒｅｄ  Ｄａｔａ  Ｃｈａｎｎｅｌ：ＤＬ−ＳＤＣＨ）、およびページングチャネル（Ｐａｇｉｎｇ  Ｃｈａｎｎｅｌ：ＰＣＨ）を含むことができる。ＰＣＨは、セル全体にわたってブロードキャストされることと、他の制御／トラフィックチャネルのために使用され得る物理レイヤ（Ｐｈｙｓｉｃａｌ  ｌａｙｅｒ：ＰＨＹ）リソースにマッピングされることとによって、ＵＥ節電（たとえば、ネットワークが不連続受信（Ｄｉｓｃｏｎｔｉｎｕｏｕｓ  Ｒｅｃｅｐｔｉｏｎ：ＤＲＸ）サイクルをＵＥに示すことがある）をサポートすることができる。ＵＬトランスポートチャネルは、ランダムアクセスチャネル（Ｒａｎｄｏｍ  Ａｃｃｅｓｓ  Ｃｈａｎｎｅｌ：ＲＡＣＨ）、要求チャネル（Ｒｅｑｕｅｓｔ  Ｃｈａｎｎｅｌ：ＲＥＱＣＨ）、アップリンク共有データチャネル（Ｕｐｌｉｎｋ  Ｓｈａｒｅｄ  Ｄａｔａ  Ｃｈａｎｎｅｌ：ＵＬ−ＳＤＣＨ）、および複数のＰＨＹチャネルを備えることができる。
【０３８４】
ＰＨＹチャネルは、ＤＬチャネルとＵＬチャネルとのセットを含むことができる。たとえば、ＤＬ  ＰＨＹチャネルは、共通パイロットチャネル（Ｃｏｍｍｏｎ  Ｐｉｌｏｔ  Ｃｈａｎｎｅｌ：ＣＰＩＣＨ）、同期チャネル（Ｓｙｎｃｈｒｏｎｉｚａｔｉｏｎ  Ｃｈａｎｎｅｌ：ＳＣＨ）、共通制御チャネル（Ｃｏｍｍｏｎ  Ｃｏｎｔｒｏｌ  Ｃｈａｎｎｅｌ：ＣＣＣＨ）、共有ＤＬ制御チャネル（Ｓｈａｒｅｄ  ＤＬ  Ｃｏｎｔｒｏｌ  Ｃｈａｎｎｅｌ：ＳＤＣＣＨ）、マルチキャスト制御チャネル（Ｍｕｌｔｉｃａｓｔ  Ｃｏｎｔｒｏｌ  Ｃｈａｎｎｅｌ：ＭＣＣＨ）、共有ＵＬ割当てチャネル（Ｓｈａｒｅｄ  ＵＬ  Ａｓｓｉｇｎｍｅｎｔ  Ｃｈａｎｎｅｌ：ＳＵＡＣＨ）、肯定応答チャネル（Ａｃｋｎｏｗｌｅｄｇｅｍｅｎｔ  Ｃｈａｎｎｅｌ：ＡＣＫＣＨ）、ＤＬ物理共有データチャネル（ＤＬ  Ｐｈｙｓｉｃａｌ  Ｓｈａｒｅｄ  Ｄａｔａ  Ｃｈａｎｎｅｌ：ＤＬ−ＰＳＤＣＨ）、ＵＬ電力制御チャネル（ＵＬ  Ｐｏｗｅｒ  Ｃｏｎｔｒｏｌ  Ｃｈａｎｎｅｌ：ＵＰＣＣＨ）、ページングインジケータチャネル（Ｐａｇｉｎｇ  Ｉｎｄｉｃａｔｏｒ  Ｃｈａｎｎｅｌ：ＰＩＣＨ）、および／または負荷インジケータチャネル（Ｌｏａｄ  Ｉｎｄｉｃａｔｏｒ  Ｃｈａｎｎｅｌ：ＬＩＣＨ）を含むことができる。さらなる例として、ＵＬ  ＰＨＹチャネルは、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）、チャネル品質インジケータチャネル（Ｃｈａｎｎｅｌ  Ｑｕａｌｉｔｙ  Ｉｎｄｉｃａｔｏｒ  Ｃｈａｎｎｅｌ：ＣＱＩＣＨ）、肯定応答チャネル（ＡＣＫＣＨ）、アンテナサブセットインジケータチャネル（Ａｎｔｅｎｎａ  Ｓｕｂｓｅｔ  Ｉｎｄｉｃａｔｏｒ  Ｃｈａｎｎｅｌ：ＡＳＩＣＨ）、共有要求チャネル（Ｓｈａｒｅｄ  Ｒｅｑｕｅｓｔ  Ｃｈａｎｎｅｌ：ＳＲＥＱＣＨ）、ＵＬ物理共有データチャネル（ＵＬ  Ｐｈｙｓｉｃａｌ  Ｓｈａｒｅｄ  Ｄａｔａ  Ｃｈａｎｎｅｌ：ＵＬ−ＰＳＤＣＨ）、および／またはブロードバンドパイロットチャネル（Ｂｒｏａｄｂａｎｄ  Ｐｉｌｏｔ  Ｃｈａｎｎｅｌ：ＢＰＩＣＨ）を含むことができる。
【０３８５】
本明細書で説明する実施形態は、ハードウェア、ソフトウェア、ファームウェア、ミドルウェア、マイクロコード、またはそれらの任意の組合せで実装され得ることを理解されたい。ハードウェア実装の場合、処理ユニットは、１つまたは複数の特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、デジタル信号プロセッサ（ｄｉｇｉｔａｌ  ｓｉｇｎａｌ  ｐｒｏｃｅｓｓｏｒ：ＤＳＰ）、デジタル信号処理デバイス（ｄｉｇｉｔａｌ  ｓｉｇｎａｌ  ｐｒｏｃｅｓｓｉｎｇ  ｄｅｖｉｃｅ：ＤＳＰＤ）、プログラマブル論理デバイス（ｐｒｏｇｒａｍｍａｂｌｅ  ｌｏｇｉｃ  ｄｅｖｉｃｅ：ＰＬＤ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）、プロセッサ、コントローラ、マイクロコントローラ、マイクロプロセッサ、および／または本明細書で説明する機能を実行するように設計された他の電子ユニット、またはそれらの組合せ内で実装され得る。
【０３８６】
実施形態は、ソフトウェア、ファームウェア、ミドルウェアまたはマイクロコード、プログラムコードまたはコードセグメントで実装された場合、記憶構成要素などの機械可読媒体（またはコンピュータ可読媒体）に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信され得る。
【０３８７】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され得、その場合、当技術分野で知られているように様々な手段によってプロセッサに通信可能に結合され得る。
【０３８８】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（ｉｎｃｌｕｄｅ）」という用語は、発明を実施するための形態または特許請求の範囲のいずれかにおいて使用される限り、「備える（ｃｏｍｐｒｉｓｉｎｇ）」という用語を採用すると請求項における移行語と解釈されるように「備える（ｃｏｍｐｒｉｓｉｎｇ）」と同様に包括的なものとする。
【図１】
2013225882.tif 000005
【図２】
2013225882.tif 000006
【図３】
2013225882.tif 000007
【図４】
2013225882.tif 000008
【図５Ａ】
2013225882.tif 000009
【図５Ｂ】
2013225882.tif 000010
【図６Ａ】
2013225882.tif 000011
【図６Ｂ】
2013225882.tif 000012
【図７】
2013225882.tif 000013
【図８】
2013225882.tif 000014
【図９】
2013225882.tif 000015
【図１０】
2013225882.tif 000016
【図１１】
2013225882.tif 000017
【図１２Ａ】
2013225882.tif 000018
【図１２Ｂ】
2013225882.tif 000019
【図１３】
2013225882.tif 000020
【図１４】
2013225882.tif 000021
【図１５】
2013225882.tif 000022
【図１６Ａ】
2013225882.tif 000023
【図１６Ｂ】
2013225882.tif 000024
【図１７Ａ】
2013225882.tif 000025
【図１７Ｂ】
2013225882.tif 000026
【図１７Ｃ】
2013225882.tif 000027
【図１８】
2013225882.tif 000028
【図１９】
2013225882.tif 000029
【図２０】
2013225882.tif 000030
【図２１】
2013225882.tif 000031
【図２２】
2013225882.tif 000032
【図２３】
2013225882.tif 000033
【図２４】
2013225882.tif 000034
【図２５】
2013225882.tif 000035
【図２６】
2013225882.tif 000036
【図２７】
2013225882.tif 000037
【図２８】
2013225882.tif 000038
【図２９】
2013225882.tif 000039
【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
１つまたは複数の干渉基地局を備えるシステムの干渉管理を可能にする方法であって、
１つまたは複数のパイロット信号を受信することであって、１つまたは複数のパイロット信号は、ユーザ機器で前記１つまたは複数の干渉基地局から受信される、受信することと、
前記１つまたは複数の干渉基地局についての干渉を計算することであって、前記計算することは、前記ユーザ機器で実行される、計算することと、
測定報告を送信することであって、前記測定報告は、前記１つまたは複数の干渉基準局についての干渉を含み、前記測定報告は、前記ユーザ機器からサービング基地局に送信される、送信することと
を備える方法。
【請求項２】
アップリンク許可を受信するために前記サービング基地局にスケジューリング要求を送信することと、
前記サービング基地局から前記アップリンク許可を受信することであって、前記スケジューリング要求を送信することおよび前記アップリンク許可を受信することは前記測定報告を送信することに先立って前記ユーザ機器によって実行される、受信することと
を備える請求項１の方法。
【請求項３】
前記１つまたは複数の干渉基地局についての干渉を計算することは、前記１つまたは複数のパイロット信号の信号強度を決定することを備える請求項１の方法。
【請求項４】
リソース利用メッセージを前記１つまたは複数の干渉基地局に送信することをさらに備え、前記１つまたは複数のパイロット信号を受信することは、前記リソース利用メッセージを送信することに応答し、前記送信することは、前記ユーザ機器によって実行される、請求項１の方法。
【請求項５】
コンピュータに、１つまたは複数のパイロット信号を受信させるための第１の組のコードであって、前記１つまたは複数のパイロット信号が、１つまたは複数の干渉基地局から受信される、第１の組のコードと、
前記コンピュータに、１つまたは複数の干渉基地局についての干渉を計算させるための第２の組のコードと、
前記コンピュータに、測定報告を送信させるための第３の組のコードであって、前記測定報告は前記干渉を含み、ユーザ機器は前記コンピュータを備える、第３の組のコードと
を備えるコンピュータ可読媒体を備えるコンピュータプログラム製品。
【請求項６】
前記コンピュータに、アップリンク許可を受信するためにサービング基地局へスケジューリング要求を送信させるための第５の組のコードと、
前記コンピュータに、前記サービング基地局から前記アップリンク許可を受信させるための第６の組のコードと
をさらに備え、
前記スケジューリング要求を送信することおよび前記アップリンク許可を受信することは、前記測定報告を送信することに先立って実行される、請求項５のコンピュータプログラム製品。
【請求項７】
前記１つまたは複数の干渉基地局についての干渉を計算することは、前記１つまたは複数のパイロット信号の信号強度を決定することを備える請求項５のコンピュータプログラム製品。
【請求項８】
前記コンピュータに、前記１つまたは複数の干渉基地局へリソース利用メッセージを送信させるための第７の組のコードをさらに備え、前記１つまたは複数のパイロット信号を受信することは、前記リソース利用メッセージを送信することに応答する、請求項５のコンピュータプログラム製品。
【請求項９】
１つまたは複数のパイロット信号を受信するための手段であって、１つまたは複数のパイロット信号が、１つまたは複数の干渉基地局から受信され、ユーザ機器が前記１つまたは複数のパイロット信号を受信する、受信するための手段と、
前記１つまたは複数の干渉基地局についての干渉を計算するための手段と、
測定報告を送信するための手段であって、前記測定報告は干渉を含み、前記測定報告は前記ユーザ機器からサービング基地局へ送信される、送信するための手段と
を備える装置。
【請求項１０】
アップリンク許可を受信するために前記サービング基地局へスケジューリング要求を送信するための手段と、
前記サービング基地局からの前記アップリンク許可を受信するための手段と
をさらに備え、
前記スケジューリング要求を送信することおよび前記アップリンク許可を受信することは前記測定報告を送信することに先立って実行される、請求項９の装置。
【請求項１１】
前記１つまたは複数の干渉基地局に対する干渉を計算するための前記手段は、前記１つまたは複数のパイロット信号の信号強度を決定するための手段を備える請求項９の装置。
【請求項１２】
前記１つまたは複数の干渉基地局へリソース利用メッセージを送信するための手段をさらに備え、前記１つまたは複数のパイロット信号を受信するための手段は、前記リソース利用メッセージを送信する前記リソース利用メッセージを送信するための前記手段に応答して、前記１つまたは複数のパイロット信号を受信する、請求項９の装置。
【請求項１３】
１つまたは複数のパイロット信号を受信するように構成されたトランシーバであって、前記１つまたは複数のパイロット信号は１つまたは複数の干渉基地局から受信され、ユーザ機器は前記１つまたは複数のパイロット信号を受信するトランシーバと、
前記１つまたは複数の干渉基地局についての干渉を計算するように構成された干渉管理モジュールと
を備え、
前記トランシーバは、前記ユーザ機器からサービング基地局へ測定報告を送信するようにさらに構成され、また、前記測定報告は前記干渉を含む、装置。
【請求項１４】
前記トランシーバは、
アップリンク許可を受信するために前記サービング基地局にスケジューリング要求を送信するように、および
前記サービング基地局から前記アップリンク許可を受信するように
さらに構成され、
前記スケジューリング要求を送信することおよび前記アップリンク許可を受信することは前記測定報告を送信することに先立って実行される、請求項１３の装置。
【請求項１５】
前記１つまたは複数の干渉基地局についての前記干渉を計算することは、前記１つまたは複数のパイロット信号の信号強度を決定することを備える、請求項１３の装置。
【請求項１６】
前記トランシーバは、前記１つまたは複数の干渉基地局にリソース利用メッセージを送信するようにさらに構成され、前記１つまたは複数のパイロット信号を受信することは、前記リソース利用メッセージを送信することに応答する、請求項１３の装置。
【請求項１７】
ダウンリンク上の干渉管理を可能にするための方法であって、
ユーザ機器に関係するバッファ状態を示す情報を受信することであって、前記情報はユーザ機器で受信される、受信することと、
１つまたは複数の干渉基地局からの干渉情報を受信することと、
公称干渉をセットすることであって、前記公称干渉は、１つまたは複数の干渉基地局からの干渉情報に基づく、セットすることと、
前記ユーザ機器に関係するトラフィックについての優先順位情報および前記公称干渉を送信することであって、前記優先順位情報および前記公称干渉は前記１つまたは複数の干渉基地局に送信される、送信することと、
前記１つまたは複数の干渉基地局からスケジューリング情報を受信することであって、前記１つまたは複数の干渉基地局からの前記スケジューリング情報は、前記ユーザ機器と関係するトラフィックについての前記優先順位情報と前記公称干渉を送信することに応答して受信される、受信することと、
サービング基地局からスケジューリング情報を受信することであって、前記サービング基地局からの前記スケジューリング情報は、前記１つまたは複数の干渉基地局からの前記スケジューリング情報に基づく、受信することと
を備え、
前記ユーザ機器に関係するバッファ状態を示す情報を受信すること、前記１つまたは複数の干渉基地局からの干渉情報を受信すること、前記セットすること、前記送信すること、前記１つまたは複数の干渉基地局からスケジューリング情報を受信すること、および前記サービング基地局からスケジューリング情報を受信することは前記ユーザ機器によって実行される、方法。
【請求項１８】
前記１つのまたは複数の干渉基地局からの前記スケジューリング情報に基づいてチャネル品質インジケータまたは信号対干渉雑音比を計算することと、
前記チャネル品質インジケータまたは前記信号対干渉雑音比を前記サービング基地局へ送信することと
をさらに備え、
前記サービング基地局からの前記スケジュール情報を受信することは、前記チャネル品質インジケータまたは信号対干渉雑音比を計算すること、および、前記チャネル品質インジケータまたは前記信号対干渉雑音比を送信することに応答して実行される、請求項１７の方法。
【請求項１９】
バッファ状態を示す前記情報は、前記ユーザ機器が前記サービング基地局によってサービスされるというトラフィックの優先順位を含む、請求項１７の方法。
【請求項２０】
前記１つまたは複数の干渉基地局からの前記スケジューリング情報は、バックオフをスケジュールする前記１つまたは複数の干渉基地局の少なくとも１つを示す、請求項１７の方法。
【請求項２１】
コンピュータに、ユーザ機器と関連するバッファ状態を示す情報を受信させるための第１の組のコードと、
前記コンピュータに、１つまたは複数の干渉基地局からの干渉情報を受信させるための第２の組のコードと、
前記コンピュータに、公称干渉をセットさせるための第３の組のコードであって、前記公称干渉は、１つまたは複数の干渉基地局からの前記干渉情報に基づく、第３の組のコードと、
前記コンピュータに、前記ユーザ機器に関係するトラフィックの優先順位情報および前記公称干渉を送信させるための第４の組のコードであって、前記優先順位情報および前記公称干渉は前記１つまたは複数の干渉基地局へ送信される、第４の組のコードと、
前記コンピュータに、前記１つまたは複数の干渉基地局からのスケジューリング情報を受信させるための第５の組のコードであって、前記スケジューリング情報は、前記ユーザ機器と関係するトラフィックの優先順位情報および前記公称干渉を送信することに応答して受信される、第５の組のコードと、
前記コンピュータに、前記サービング基地局からの前記スケジューリング情報を受信させるための第６の組のコードであって、前記サービング基地局からの前記スケジューリング情報は、前記１つまたは複数の干渉基地局からの前記スケジューリング情報に基づき、前記ユーザ機器は前記コンピュータを備える、第６の組のコードと
を備えるコンピュータ可読記憶媒体を備えるコンピュータプログラム製品。
【請求項２２】
前記コンピュータに、前記１つまたは複数の干渉基地局からの前記スケジュール情報に基づいてチャネル品質インジケータ又は信号対干渉雑音比を計算させるための第７の組のコードと、
前記コンピュータに、前記サービング基地局へ前記チャネル品質インジケータまたは前記信号対干渉雑音比を送信させるための第８の組のコードと
をさらに備え、
前記サービング基地局からのスケジューリング情報を受信することは、前記チャネル品質インジケータ又は前記信号対干渉雑音比を計算することおよび前記チャネル品質インジケータ又は前記信号対干渉雑音比を送信することに応答して実行される、請求項２１のコンピュータプログラム製品。
【請求項２３】
バッファ状態を示す前記情報が、前記ユーザ機器が前記サービング基地局によってサービスされるというトラフィックの優先順位を備える、請求項２１のコンピュータプログラム製品。
【請求項２４】
前記１つまたは複数の干渉基地局からの前記スケジューリング情報は、バックオフをスケジュールする前記１つまたは複数の干渉基地局の少なくとも１つを示す、請求項２１のコンピュータプログラム製品。
【請求項２５】
ユーザ機器と関連するバッファ状態を示す情報を受信するための手段であって、前記情報はユーザ機器で受信される、受信するための手段と、
１つまたは複数の干渉基地局からの干渉情報を受信するための手段と、
公称干渉をセットするための手段であって、前記公称干渉が、１つまたは複数の干渉基地局からの前記干渉情報に基づく、セットするための手段と、
ユーザ機器と関連するトラフィックの優先順位情報および前記公称干渉を送信するための手段であって、前記優先順位情報および前記公称干渉は前記１つまたは複数の干渉基地局へ送信される、送信するための手段と、
前記１つまたは複数の干渉基地局からのスケジューリング情報を受信するための手段であって、前記１つまたは複数の干渉基地局からの前記スケジューリング情報は、前記ユーザ機器と関連するトラフィックの前記優先順位情報および前記公称干渉を送信することに応答して受信される、受信するための手段と、
サービング基地局からのスケジューリング情報を受信するための手段であって、前記サービング基地局からの前記スケジューリング情報は、前記１つまたは複数の干渉基地局からの前記スケジューリング情報に基づく、受信するための手段と
を備える装置。
【請求項２６】
前記１つまたは複数の干渉基地局からの前記スケジューリング情報に基づいてチャネル品質インジケータ又は信号対干渉雑音比を計算するための手段と、
前記チャネル品質インジケータ又は前記信号対干渉雑音比を前記サービング基地局に送信するための手段と
をさらに備え、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、請求項２５の装置。
【請求項２７】
バッファ状態を示す前記情報は、前記ユーザ機器が前記サービング基地局によってサービスされるだろうトラフィックの優先順位を備える、請求項２５の装置。
【請求項２８】
前記１つまたは複数の干渉基地局からの前記スケジューリング情報は、バックオフをスケジュールする前記１つまたは複数の干渉基地局の少なくとも１つを示す、請求項２５の装置。
【請求項２９】
ユーザ機器と関連するバッファ状態を示す情報を受信するようにであって、前記情報はユーザ機器で受信される、受信するように、
１つまたは複数の干渉基地局からの干渉情報を受信するように
構成されたトランシーバと、
公称干渉をセットするように構成された干渉管理モジュールであって、前記公称干渉は、１つまたは複数の干渉基地局からの前記干渉情報に基づく、干渉管理モジュールと
を備え、
前記トランシーバは、さらに、前記ユーザ機器と関連するトラフィックの優先順位情報および前記公称干渉を送信するようにであって、前記優先順位情報および前記公称干渉は、前記１つまたは複数の干渉基地局へ送信される、送信するように、
前記１つまたは複数の干渉基地局からのスケジューリング情報を受信するようにであって、前記１つまたは複数の干渉基地局からの前記スケジューリング情報は、前記ユーザ機器に関連するトラフィックの前記優先順位情報および前記公称干渉を送信することに応答して受信される、受信するように、および
サービング基地局からのスケジューリング情報を受信するようにであって、前記サービング基地局からの前記スケジューリング情報は、前記１つまたは複数の干渉基地局からの前記スケジューリング情報に基づく、受信するように
構成される、装置。
【請求項３０】
前記干渉管理モジュールは、さらに、前記１つまたは複数の干渉基地局からの前記スケジューリング情報に基づいてチャネル品質インジケータ又は信号対干渉雑音比を計算するように構成され、
前記トランシーバは、さらに、前記チャネル品質インジケータ又は前記信号対干渉雑音比を前記サービング基地局へ送信するように構成され、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、請求項２９の装置。
【請求項３１】
バッファ状態を示す前記情報は、前記ユーザ機器が前記サービング基地局によってサービスされるトラフィックの優先順位を備える、請求項２９の装置。
【請求項３２】
前記１つまたは複数の干渉基地局からの前記スケジューリング情報は、バックオフをスケジューリングする前記１つまたは複数の干渉基地局の少なくとも１つを示す、請求項２９の装置。
【請求項３３】
ダウンリンク上での干渉管理を可能にするための方法であって、
１つまたは複数のパイロット信号を送信することを備え、
１つまたは複数のパイロット信号は、１つまたは複数の干渉基地局から送信され、ユーザ機器は前記１つまたは複数のパイロット信号を受信し、
前記１つまたは複数のパイロット信号は、前記１つまたは複数の干渉基地局についての干渉を計算するために測定される、方法。
【請求項３４】
前記１つまたは複数の干渉基地局についての前記干渉を計算することは、前記１つまたは複数のパイロット信号の信号強度を決定することを備える、請求項３３の方法。
【請求項３５】
リソース利用メッセージを受信することをさらに備え、前記１つまたは複数のパイロット信号を送信することは、前記リソース利用メッセージを受信することに応答し、前記リソース利用メッセージを受信することおよび送信することは前記１つまたは複数の干渉基地局によって実行される、請求項３３の方法。
【請求項３６】
コンピュータに、１つまたは複数のパイロット信号を送信させるための第１の組のコードを備えるコンピュータ可読媒体を備えるコンピュータプログラム製品であって、前記１つまたは複数のパイロット信号は、１つまたは複数の干渉基地局から送信され、ユーザ機器は、前記１つまたは複数のパイロット信号を受信し、前記１つまたは複数のパイロット信号は、前記１つまたは複数の干渉基地局についての干渉を計算するために測定され、前記１つまたは複数の干渉基地局の少なくとも１つは前記コンピュータを備える、コンピュータプログラム製品。
【請求項３７】
前記１つまたは複数の干渉基地局についての前記干渉を計算することは、前記１つまたは複数のパイロット信号の信号強度を決定することを備える、請求項３６のコンピュータプログラム製品。
【請求項３８】
前記コンピュータに、リソース利用メッセージを受信させるための第２の組のコードをさらに備え、前記１つまたは複数のパイロット信号を送信することは、前記リソース利用メッセージを受信することに応答する、請求項３６のコンピュータプログラム製品。
【請求項３９】
１つまたは複数のパイロット信号を送信するための手段を備え、前記１つまたは複数のパイロット信号は、１つまたは複数の干渉基地局から送信され、ユーザ機器が前記１つまたは複数のパイロット信号を受信し、また、前記１つまたは複数のパイロット信号は、前記１つまたは複数の干渉基地局についての干渉を計算するために測定される、装置。
【請求項４０】
前記１つまたは複数の干渉基地局についての前記干渉を計算することは、前記１つまたは複数のパイロット信号の信号強度を決定することを備える、請求項３９の装置。
【請求項４１】
リソース利用メッセージを受信するための手段をさらに備え、前記１つまたは複数のパイロット信号を送信するための手段は、前記リソース利用メッセージを受信する、前記リソース利用メッセージを受信するための前記手段に応答して前記１つまたは複数のパイロット信号を送信する、請求項３９の装置。
【請求項４２】
１つまたは複数のパイロット信号を送信するように構成されたトランシーバを備える装置であって、前記１つまたは複数のパイロット信号は、１つまたは複数の干渉基地局から送信され、ユーザ機器は、前記１つまたは複数のパイロット信号を受信し、また、前記１つまたは複数のパイロット信号は、前記１つまたは複数の干渉基地局についての干渉を計算するために測定される、装置。
【請求項４３】
前記１つまたは複数の干渉基地局についての前記干渉を計算することは、前記１つまたは複数のパイロット信号の信号強度を決定することを備える、請求項４２の装置。
【請求項４４】
前記トランシーバは、さらに、リソース利用メッセージを受信するように構成され、前記１つまたは複数のパイロット信号を送信することは、前記リソース利用メッセージを受信することに応答して実行される、請求項４２の装置。
【請求項４５】
ダウンリンク上での干渉管理を可能にするための方法であって、
１つまたは複数の干渉基地局についての干渉情報を受信することであって、前記１つまたは複数の干渉基地局についての干渉情報を受信することは、ユーザ端末から受信される、受信することと、
前記ユーザ機器と関連するトラフィックの優先順位情報および公称干渉を受信することであって、前記ユーザ機器に関連するトラフィックについての前記優先順位情報は、前記ユーザ機器と関連するバッファ状態を示す情報に対応する、受信することと、
前記ユーザ機器にスケジューリング情報を送信することであって、前記スケジューリング情報は、前記ユーザ機器と関連するトラフィックの前記優先順位情報および前記公称干渉を受信することに応答して送信され、前記ユーザ機器に対するスケジューリング情報は、サービング基地局からの前記ユーザ機器についてのスケジューリング情報を生成するために用いられ、また、前記干渉情報を受信すること、前記ユーザ機器に関連するトラフィックについての前記優先順位情報および前記公称干渉を受信すること、および送信することは、前記ユーザ端末のためにサービング基地局によって実行される、送信することと
を備える方法。
【請求項４６】
前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、請求項４５の方法。
【請求項４７】
前記バッファ状態を示す前記情報は、前記ユーザ機器が前記サービング基地局によってサービスされるというトラフィックの優先順位を備える、請求項４５の方法。
【請求項４８】
前記１つまたは複数の干渉基地局からの前記スケジューリング情報は、バックオフをスケジュールする前記１つまたは複数の干渉基地局の少なくとも１つを示す、請求項４５の方法。
【請求項４９】
コンピュータに、１つまたは複数の干渉基地局についての干渉情報を受信させるための第１の組のコードであって、１つまたは複数の干渉基地局についての前記干渉情報は、ユーザ機器から受信される、第１の組のコードと、
前記コンピュータに、前記ユーザ機器と関連するトラフィックについての優先順位情報および公称干渉を受信させる第２の組のコードであって、前記ユーザ機器と関連するトラフィックについての前記優先順位情報は、前記ユーザ機器と関連するバッファ状態を示す情報に相当する、第２の組のコードと、
前記コンピュータに、前記ユーザ機器にスケジューリング情報を送信させるための第３の組のコードであって、前記スケジューリング情報は、前記ユーザ機器と関連するトラフィックの前記優先順位情報および前記公称干渉を受信することに応答して送信され、また、前記ユーザ機器に対するスケジューリング情報は、サービング基地局からの前記ユーザ機器についてのスケジューリング情報を生成するために用いられ、前記１つまたは複数の干渉基地局の少なくとも１つは前記コンピュータを備える、第３の組のコードと
を備える、コンピュータ可読媒体を備えるコンピュータプログラム製品。
【請求項５０】
前記ユーザ機器に対する前記スケジューリング情報は、前記１つまたは複数の干渉基地局から送信された前記スケジューリング情報に基づいて計算されたチャネル品質インジケータおよび信号対干渉雑音比を備える、請求項４９のコンピュータプログラム製品。
【請求項５１】
前記バッファ状態を示す前記情報は、前記ユーザ機器が前記サービング基地局によってサービスされるというトラフィックの優先順位を備える、請求項４９のコンピュータプログラム製品。
【請求項５２】
前記１つまたは複数の干渉基地局からの前記スケジューリング情報は、バックオフをスケジューリングする前記１つまたは複数の干渉基地局の少なくとも１つを示す、請求項４９のコンピュータプログラム製品。
【請求項５３】
１つまたは複数の干渉基地局についての干渉情報を受信するための手段であって、１つまたは複数の干渉基地局についての前記干渉情報はユーザ機器から受信される、受信するための手段、
前記ユーザ機器と関連するトラフィックについての優先順位情報および公称干渉を受信するための手段であって、前記ユーザ機器と関連するトラフィックの前記優先順位情報は前記ユーザ機器と関連するバッファ状態を示す情報に相当する、受信するための手段と、
前記ユーザ機器に対するスケジューリング情報を送信するための手段であって、前記ユーザ機器に対する前記スケジューリング情報は前記ユーザ機器と関連するトラフィックの前記優先順位情報および前記公称干渉を受信することに応答して送信され、前記ユーザ機器に対する前記スケジューリング情報はサービング基地局からの前記ユーザ機器についてのスケジューリング情報を生成するために用いられる、送信するための手段と
を備える装置。
【請求項５４】
前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、請求項５３の装置。
【請求項５５】
前記バッファ状態を示す前記情報は、前記ユーザ機器が前記サービング基地局によってサービスされるだろうというトラフィックの優先順位を備える、請求項５３の装置。
【請求項５６】
前記１つまたは複数の干渉基地局からの前記スケジュール情報は、バックオフをスケジュールする前記１つまたは複数の干渉基地局の少なくとも１つを示す、請求項５３の装置。
【請求項５７】
１つまたは複数の干渉基地局についての干渉情報を受信するようにであって、１つまたは複数の干渉基地局についての前記干渉情報は、ユーザ機器から受信される、干渉情報を受信するように、
前記ユーザ機器と関連するトラフィックについての優先順位情報および公称干渉を受信するようにであって、前記ユーザ機器と関連するトラフィックの前記優先順位情報は、前記ユーザ機器と関連するバッファ状態を示す情報に相当する、優先順位情報および公称干渉を受信するように、および
前記ユーザ機器にスケジューリング情報を送信するようにであって、前記スケジューリング情報は、ユーザ機器と関連するトラフィックについての前記優先順位情報および前記公称干渉を受信することに応答して送信され、前記ユーザ機器に対する前記スケジューリング情報はサービング基地局からの前記ユーザ機器についてのスケジューリング情報を生成するために用いられる、スケジューリング情報を送信するように
構成されるトランシーバを備える装置。
【請求項５８】
前記ユーザ機器に対する前記スケジューリング情報は、前記１つまたは複数の干渉基地局から送信された前記スケジュール情報に基づいて計算されたチャネル品質インジケータ又は信号対干渉雑音比を備える、請求項５７の装置。
【請求項５９】
前記バッファ状態を示す前記情報は、前記ユーザ機器が前記サービング基地局によってサービスされるだろうというトラフィックの優先順位を備える、請求項５７の装置。
【請求項６０】
前記１つまたは複数の干渉基地局からの前記スケジューリング情報は、バックオフをスケジュールする前記１つまたは複数の干渉基地局の少なくとも１つを示す、請求項５７の装置。
【手続補正２】
【補正対象書類名】明細書
【補正対象項目名】００４８
【補正方法】変更
【補正の内容】
【００４８】
【図１】図１は、本明細書に記載する様々な態様による、干渉管理を可能にするための例示的なワイヤレス通信システムの図である。
【図２】図２は、本明細書に記載する様々な態様による、何人かのユーザのための干渉管理を可能にするための例示的なワイヤレス通信システムの図である。
【図３】図３は、本明細書に記載する様々な態様による、干渉管理を可能にするために１つまたは複数のフェムトノードが展開される例示的なワイヤレス通信システムの図である。
【図４】図４は、本明細書に記載する様々な態様による、干渉管理を可能にするためのワイヤレス通信システムにおける例示的なカバレージマップの図である。
【図５Ａ】図５Ａは、ＤＬ上での干渉管理を可能にするためのワイヤレス通信システムの例示的なブロック図である。
【図５Ｂ】図５Ｂは、ＵＬ上での干渉管理を可能にするためのワイヤレス通信システムの例示的なブロック図である。
【図６Ａ】図６Ａは、本明細書に記載する様々な態様による、干渉管理を可能にするための方法の一例の図である。
【図６Ｂ】図６Ｂは、本明細書に記載する様々な態様による、干渉管理を可能にするためのスケジューリングの方法の一例の図である。
【図７】図７は、支配的干渉ＢＳの選択されたバックオフを取得するために公称干渉を計算する方法の一例の図である。
【図８】図８は、本明細書で説明する様々な態様による、システムのＤＬ上でのＢＳからの干渉を判断する方法の一例の図である。
【図９】図９は、本明細書で説明する様々な態様による、システムのＤＬ上でのＢＳからの干渉を判断する別の方法の一例の図である。
【図１０】図１０は、本明細書で説明する様々な態様による、システムのＤＬ上でのＢＳからの干渉を判断する別の方法の一例の図である。
【図１１】図１１は、本明細書で説明する様々な態様による、システムのＤＬ上でのＢＳからの干渉を判断する別の方法の一例の図である。
【図１２Ａ】図１２Ａは、本明細書で説明する様々な態様による、無線（ｏｖｅｒ  ｔｈｅ  ａｉｒ：ＯＴＡ）通信を採用するシステムのＤＬ上での干渉管理を可能にする方法の部分図である。
【図１２Ｂ】図１２Ｂは、本明細書で説明する様々な態様による、無線（ＯＴＡ）通信を採用するシステムのＤＬ上での干渉管理を可能にする方法の部分図である。
【図１３Ａ】図１３Ａは、本明細書で説明する様々な態様による、システムのＤＬ上でのスケジューリングの方法の例の図である。
【図１３Ｂ】図１３Ｂは、本明細書で説明する様々な態様による、システムのＤＬ上でのスケジューリングの方法の例の図である。
【図１３Ｃ】図１３Ｃは、本明細書で説明する様々な態様による、システムのＤＬ上でのスケジューリングの方法の例の図である。
【図１４】図１４は、本明細書で説明する様々な態様による、システムのＵＬ上でのユーザ機器からの公称干渉を判断する方法の一例の図である。
【図１５】図１５は、本明細書で説明する様々な態様による、システムのＵＬ上でのユーザ機器からの公称干渉を判断する別の方法の一例の図である。
【図１６Ａ】図１６Ａは、本明細書で説明する様々な態様による、システムのＵＬ上でのユーザ機器からの公称干渉を判断する別の方法の例の部分図である。
【図１６Ｂ】図１６Ｂは、本明細書で説明する様々な態様による、システムのＵＬ上でのユーザ機器からの公称干渉を判断する別の方法の例の部分図である。
【図１７Ａ】図１７Ａは、本明細書で説明する態様による、ＵＬ上での干渉管理を可能にするためのスケジューリングの方法の例の部分図である。
【図１７Ｂ】図１７Ｂは、本明細書で説明する態様による、ＵＬ上での干渉管理を可能にするためのスケジューリングの方法の例の部分図である。
【図１７Ｃ】図１７Ｃは、本明細書で説明する態様による、ＵＬ上での干渉管理を可能にするためのスケジューリングの別の方法の一例の図である。
【図１８】図１８は、本明細書に記載する様々な態様による、干渉管理を可能にするための例示的なシステムのブロック図である。
【図１９】図１９は、本明細書に記載する様々な態様による、干渉管理を可能にするための例示的なシステムのブロック図である。
【図２０】図２０は、本明細書に記載する様々な態様による、干渉管理を可能にするための例示的なシステムのブロック図である。
【図２１】図２１は、本明細書に記載する様々な態様による、干渉管理を可能にするための例示的なシステムのブロック図である。
【図２２】図２２は、本明細書に記載する様々な態様による、干渉管理を可能にするための例示的なシステムのブロック図である。
【図２３】図２３は、本明細書に記載する様々な態様による、干渉管理を可能にするための例示的なシステムのブロック図である。
【図２４】図２４は、本明細書に記載する様々な態様による、干渉管理を可能にするための例示的なシステムのブロック図である。
【図２５】図２５は、本明細書に記載する様々な態様による、干渉管理を可能にするための例示的なシステムのブロック図である。
【図２６】図２６は、本明細書に記載する様々な態様による、干渉管理を可能にするための例示的なシステムのブロック図である。
【図２７】図２７は、本明細書に記載する様々な態様による、干渉管理を可能にするための例示的なシステムのブロック図である。
【図２８】図２８は、本明細書に記載する様々な態様による、干渉管理を可能にするための例示的なシステムのブロック図である。
【図２９】図２９は、干渉管理が行われ得る例示的なワイヤレス通信システムの図である。
【手続補正３】
【補正対象書類名】明細書
【補正対象項目名】００８９
【補正方法】変更
【補正の内容】
【００８９】
ダウンリンク上での干渉関係を示す、図示の実施形態では、ＢＳ５０２、５０６、５０８はＢＳとすることができ、ＵＥ５０３はＵＥとすることができる。ＢＳ５０６、５０８は、ＵＥ５０３がその中にあるセル以外のセル中にある干渉ＢＳとすることができる。ＢＳ５０６、５０８による送信は、ＵＥ５０３における干渉を生じることがある。ＢＳ５０２は、ＵＥ５０３をもつセル中にあるサービングＢＳであって、ＵＥ５０３をサービスするサービングＢＳとすることができる。したがって、ＢＳ５０２による送信は、様々な実施形態では非干渉送信であることがある。
【手続補正４】
【補正対象書類名】明細書
【補正対象項目名】００９９
【補正方法】変更
【補正の内容】
【００９９】
ＵＬ上での干渉関係を示す、図示の実施形態では、ＵＥ５５２、５５６、５５８はＵＥとすることができ、ＢＳ５５３はＢＳとすることができる。いくつかの実施形態では、ＢＳ５５３は、ＵＥ５５２のためのサービングＢＳとすることができる。ＵＥ５５６、５５８は、ＢＳ５５３がその中にあるセル以外のセル中にある干渉ＵＥとすることができる。ＵＥ５５６、５５８による送信は、ＢＳ５５３における干渉を生じることがある。ＢＳ５５３は、ＵＥ５５２をもつセル中にあるサービングＢＳとすることができる。したがって、ＵＥ５５２による送信は、様々な実施形態では非干渉送信であることがある。
【手続補正５】
【補正対象書類名】明細書
【補正対象項目名】０１３２
【補正方法】変更
【補正の内容】
【０１３２】
８１０において、方法８００は、ＵＥが、パイロット信号を受信することを含むことができる。パイロット信号は、ＵＥがその中にあるセルの外のＢＳから受信され得る。８３０において、方法８００は、ＢＳの各々の干渉を計算することを含むことができる。計算される干渉は、パイロット信号からの測定信号強度に基づくことができる。
【手続補正６】
【補正対象書類名】明細書
【補正対象項目名】０１３３
【補正方法】変更
【補正の内容】
【０１３３】
８４０において、方法８００は、測定報告をサービング基地局に送信することを含むことができる。ＵＥは測定報告を送信することができる。測定報告は、パイロット信号が受信されたＢＳの計算された干渉を含むことができる。いくつかの実施形態では、測定報告は、ＵＥとＢＳとの間のチャネル利得情報を含むことができる。測定報告は、バックホールを介してまたは無線（ＯＴＡ）メッセージとして送信され得る。
【手続補正７】
【補正対象書類名】明細書
【補正対象項目名】０１５４
【補正方法】変更
【補正の内容】
【０１５４】
いくつかの実施形態では、１２７０において、方法１２００は、ＵＥが、スケジューリング情報に基づいてチャネル品質インジケータ（ｃｈａｎｎｅｌ  ｑｕａｌｉｔｙ  ｉｎｄｉｃａｔｏｒ：ＣＱＩ）またはＳＩＮＲを計算することを含むことができる。１２８０において、方法１２００は、ＵＥが、ＢＳから受信したスケジューリング情報に基づいて、および／またはＢＳから受信したパイロット信号に基づいて、チャネル利得情報および／またはＳＩＮＲをサービングＢＳに送信することを含むことができる。１２９０において、方法１２００は、サービング基地局が、チャネル利得情報または信号対干渉に基づいてユーザ機器のための送信をスケジュールすることを含むことができる。
【手続補正８】
【補正対象書類名】明細書
【補正対象項目名】０１６３
【補正方法】変更
【補正の内容】
【０１６３】
１４２０において、方法１４００は、ＢＳが、ダウンリンクＩＳ上のチャネル利得情報をアップリンク上のチャネル利得情報と関連づけることを含むことができる。１４３０において、方法１４００は、ＢＳが、チャネル利得情報に基づいて干渉ＵＥからの干渉を判断することを含むことができる。１４４０において、方法１４００は、ＢＳが、干渉ＵＥについて判断された干渉に基づいて公称干渉を計算することを含むことができる。いくつかの実施形態では、方法１４００は、ＢＳが、ＤＬ上で測定されたチャネル利得情報をＵＬに割り当てることをも含むことができる。
【手続補正９】
【補正対象書類名】明細書
【補正対象項目名】０１８１
【補正方法】変更
【補正の内容】
【０１８１】
１７５０において、方法１７００は、ＢＳが、１つまたは複数の干渉ＵＥから意図されたスケジューリングを示す情報を受信することを含むことができる。意図されたスケジューリングを示す情報は、ＲＵＭ中の公称干渉とトラフィックの優先順位とに基づくことができる。１７６０において、方法１７００は、ＢＳが、ＢＳによってサービスされる１つまたは複数のＵＥへの割当てを判断することを含むことができる。上記割当ては、１つまたは複数の干渉ＵＥからの意図されたスケジューリングを示す情報に基づくことができる。いくつかの実施形態では、上記割当ては、ＢＳによってサービスされる１つまたは複数のＵＥがＵＬ上でＢＳにデータを送信するデータレートまたは帯域幅割振りのうちの少なくとも１つを含む。
【手続補正１０】
【補正対象書類名】明細書
【補正対象項目名】０２２５
【補正方法】変更
【補正の内容】
【０２２５】
電気構成要素は、連携して働くことができる。たとえば、論理または物理グルーピング２３０２は、ダウンリンク上で測定されたチャネル利得情報を判断するための電気構成要素２３０４を含むことができる。いくつかの実施形態では、論理または物理グルーピング２３０２は、ダウンリンク上で測定されたチャネル利得情報をアップリンクについてのチャネル利得情報に割り当てるための電気構成要素２３０６をも含むことができる。論理または物理グルーピング２３０２は、アップリンクについてのチャネル利得情報に基づいて１つまたは複数の干渉ＵＥからの干渉を判断するための電気構成要素２３０８をも含むことができる。論理または物理グルーピング２３０２は、１つまたは複数の干渉ＵＥからの干渉に基づいて公称干渉を計算するための電気構成要素３２１０をも含むことができる。
【手続補正１１】
【補正対象書類名】明細書
【補正対象項目名】０２２６
【補正方法】変更
【補正の内容】
【０２２６】
論理または物理グルーピング２３０２は、記憶するための電気構成要素２３１２をも含むことができる。記憶するための電気構成要素２３１２は、公称干渉、干渉情報および／またはチャネル利得情報を記憶するように構成され得る。
【手続補正１２】
【補正対象書類名】明細書
【補正対象項目名】０２３０
【補正方法】変更
【補正の内容】
【０２３０】
論理または物理グルーピング２４０２は、記憶するための電気構成要素２４１４をも含むことができる。記憶するための電気構成要素２４１４は、アップリンク上の情報、アップリンク上の情報を復号するためのパラメータ、公称干渉、干渉情報および／またはチャネル利得情報を記憶するように構成され得る。
【手続補正１３】
【補正対象書類名】明細書
【補正対象項目名】０３８８
【補正方法】変更
【補正の内容】
【０３８８】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（ｉｎｃｌｕｄｅ）」という用語は、発明を実施するための形態または特許請求の範囲のいずれかにおいて使用される限り、「備える（ｃｏｍｐｒｉｓｉｎｇ）」という用語を採用すると請求項における移行語と解釈されるように「備える（ｃｏｍｐｒｉｓｉｎｇ）」と同様に包括的なものとする。
以下に本件出願当初の特許請求の範囲に記載された発明を付記する。
［１］１つまたは複数の干渉基地局を備えたシステムにおける干渉管理を可能にするための方法であって、
公称干渉を計算することと、
１つまたは複数の干渉基地局の少なくとも１つが、選択されたセルのユーザ機器が情報を受信する同じセットのリソースを通して送信する場合に選択されたセルのユーザ機器に対する送信レートにおける損失を計算するために前記１つまたは複数の干渉基地局の前記少なくとも１つについて１つまたは複数の干渉基地局に前記公称干渉を送信することとを含み、
前記計算することおよび前記送信することは、選択されたセルの前記ユーザ機器または前記選択されたセルの前記ユーザ機器についてのサービング基地局によって実行される、方法。
［２］前記公称の干渉は、前記１つまたは複数の干渉基地局から選択されたセルのユーザ機器までのチャネル利得情報、前記１つまたは複数の干渉基地局の平均トラフィック負荷、前記１つまたは複数の干渉基地局についての瞬時トラフィックトラフィック負荷、１つのセル中のトラフィック負荷又は優先順位、１つまたは複数のセル中のトラフィック負荷または優先順位を示すバッファ状態情報の内の１つ以上を使用して計算される、［１］の方法。
［３］前記公称干渉を計算することは、
前記１つまたは複数の干渉基地局からの干渉を決定することと、
前記１つまたは複数の干渉基地局に対する送信レートを計算することであって、前記１つまたは複数の干渉基地局に対する送信レートは、対応する基地局が送信しない場合の送信レートを示す、計算することと、
選択されたセルの前記ユーザ機器に対する前記平均送信レートを最大にするために静かにさせるべき前記１つまたは複数の干渉基地局の前記数に対応する公称干渉を計算することと
を備える、［１］の方法。
［４］コンピュータに、公称干渉を計算させるための第１の組のコードと、
前記コンピュータに、１つまたは複数の干渉基地局の少なくとも１つが、選択されたセルのユーザ機器が情報を受信する同じリソースのセットを介して送信する場合に、前記選択されたセルの前記ユーザ機器についての送信レートの損失を計算するために、前記１つまたは複数の干渉基地局の前記少なくとも１つへ前記１つまたは複数の基地局に対する前記公称干渉を送信させる第２の組のコードと
を備え、
選択されたセルの前記ユーザ機器又は前記選択されたセルの前記ユーザ機器に対するサービング基地局は、コンピュータを備える、コンピュータプログラム製品。
［５］前記公称干渉は、前記１つまたは複数の干渉基地局から選択されたセルのユーザ機器までのチャネル利得情報と、前記１つまたは複数の干渉基地局に対する平均のトラフィック負荷と、前記１つまたは複数の干渉基地局に対する瞬時トラッフィック負荷と、１つまたは複数のセルにおけるトラフィック負荷または優先順位と、１つまたは複数のセルにおけるトラフィック負荷又は優先順位を示すバッファ状態情報との内の１つ以上を使用して計算される、［４］のコンピュータプログラム製品。
［６］公称干渉を計算することは、
前記１つまたは複数の干渉基地局からの干渉を決定することと、
前記１つまたは複数の干渉基地局に対する送信レートを計算することであって、前記１つまたは複数の基地局に対する送信レートは、対応する基地局が送信しない時に送信レートを示す、計算することと、
選択されたセルの前記ユーザ機器の平均送信レートを最大にするために、静かにさせるべき前記１つまたは複数の干渉基地局の数を決定することと、
選択された前記ユーザ機器に対する前記平均送信レートを最大にするために静かにさせるべき１つまたは複数の干渉基地局の前記数に相当する公称干渉を計算することと
を備える、［４］のコンピュータプログラム製品。
［７］公称干渉を計算するための手段と、
１つまたは複数の干渉基地局の少なくとも１つが、選択されたセルのユーザ機器が情報を受信するのと同じリソースのセットを介して送信する場合に、選択されたセルの前記ユーザ機器にとっての送信レートの損失を計算するために前記１つまたは複数の干渉基地局の少なくとも１つについての前記公称干渉を前記１つまたは複数の干渉基地局に送信するための手段と
を備える装置。
［８］前記公称干渉は、前記１つまたは複数の干渉基地局から選択されたセルの前記ユーザ機器までのチャネル利得情報と、前記１つまたは複数の干渉基地局に対する平均トラフィック負荷と、前記１つまたは複数の干渉基地局に対する瞬間的なトラフィック負荷と、１つまたは複数のセルのトラフィック負荷および優先順位と、１つまたは複数のセルのトラフィック負荷および優先順位を示すバッファ状態情報との１つ以上を使用して計算される、［７］の装置。
［９］公称干渉を計算することは、
前記１つまたは複数の干渉基地局からの干渉を決定することと、
前記１つまたは複数の干渉基地局についての送信レートを計算することであって、前記１つまたは複数の干渉基地局に対する送信レートは、対応する基地局が送信しないときに送信レートを示す、計算することと、
選択された前記ユーザ機器にとっての平均送信レートを最大にするために静かにすべき前記１つまたは複数の干渉基地局の数を決定することと、
選択されたセルにおける前記ユーザ機器に対する平均送信レートを最大にするために静かにすべき前記１つまたは複数の干渉基地局の前記数に対応する公称干渉を計算することと
を備える、［７］の装置。
［１０］公称干渉を計算するように、および
１つまたは複数の干渉基地局は装置が情報を受信するのと同じ組のリソースを通して送信する場合に前記装置に対する送信レートにおける損失を計算するために、前記１つまたは複数の干渉基地局の少なくとも１つについての前記公称干渉を前記１つまたは複数の干渉基地局に送信するように
構成される干渉管理コンポーネントを備えた装置。
［１１］前記公称干渉は、前記１つまたは複数の干渉基地局から選択されたセルのユーザ機器までのチャネル利得情報と、前記１つまたは複数の干渉基地局に対する平均トラフィック負荷と、前記１つまたは複数の干渉基地局に対する瞬時なトラフィック負荷と、１つまたは複数のセルのトラフィック負荷または優先順位と、前記１つまたは複数のセルのトラフィック負荷または優先順位を示すバッファ状態情報との１つを使用して計算される、［１０］の装置。
［１２］公称干渉を計算することは、
前記１つまたは複数の干渉基地局からの干渉を決定することと、
前記１つまたは複数の干渉基地局についての送信レートを計算することであって、前記１つまたは複数の干渉基地局についての送信レートは、対応する基地局が送信しない時に送信レートを示す、計算することと、
選択されたセルのユーザ機器の平均送信レートを最大にするために静かにすべき前記１つまたは複数の干渉基地局の数を決定することと、
選択されたセルの前記ユーザ機器の平均送信レートを最大にするために静かにすべき前記１つまたは複数の干渉基地局の前記数に対応する公称干渉を計算することと
を備える［１０］の装置。
［１３］１つまたは複数の干渉基地局を備えるシステムの干渉管理を可能にする方法であって、
１つまたは複数のパイロット信号を受信することであって、１つまたは複数のパイロット信号は、ユーザ機器で前記１つまたは複数の干渉基地局から受信される、受信することと、
前記１つまたは複数の干渉基地局についての干渉を計算することであって、前記計算することは、前記ユーザ機器で実行される、計算することと、
測定報告を送信することであって、前記測定報告は、前記１つまたは複数の干渉基準局についての干渉を含み、前記測定報告は、前記ユーザ機器からサービング基地局に送信される、送信することと
を備える方法。
［１４］アップリンク許可を受信するために前記サービング基地局にスケジューリング要求を送信することと、
前記サービング基地局から前記アップリンク許可を受信することであって、前記スケジューリング要求を送信することおよび前記アップリンク許可を受信することは前記測定報告を送信することに先立って前記ユーザ機器によって実行される、受信することと
を備える［１３］の方法。
［１５］前記１つまたは複数の干渉基地局についての干渉を計算することは、前記１つまたは複数のパイロット信号の信号強度を決定することを備える［１３］の方法。
［１６］リソース利用メッセージを前記１つまたは複数の干渉基地局に送信することをさらに備え、前記１つまたは複数のパイロット信号を受信することは、前記リソース利用メッセージを送信することに応答し、前記送信することは、前記ユーザ機器によって実行される、［１３］の方法。
［１７］コンピュータに、１つまたは複数のパイロット信号を受信させるための第１の組のコードであって、前記１つまたは複数のパイロット信号が、１つまたは複数の干渉基地局から受信される、第１の組のコードと、
前記コンピュータに、１つまたは複数の干渉基地局についての干渉を計算させるための第２の組のコードと、
前記コンピュータに、測定報告を送信させるための第３の組のコードであって、前記測定報告は前記干渉を含み、ユーザ機器は前記コンピュータを備える、第３の組のコードと
を備えるコンピュータ可読媒体を備えるコンピュータプログラム製品。
［１８］前記コンピュータに、アップリンク許可を受信するためにサービング基地局へスケジューリング要求を送信させるための第５の組のコードと、
前記コンピュータに、前記サービング基地局から前記アップリンク許可を受信させるための第６の組のコードと
をさらに備え、
前記スケジューリング要求を送信することおよび前記アップリンク許可を受信することは、前記測定報告を送信することに先立って実行される、［１７］のコンピュータプログラム製品。
［１９］前記１つまたは複数の干渉基地局についての干渉を計算することは、前記１つまたは複数のパイロット信号の信号強度を決定することを備える［１７］のコンピュータプログラム製品。
［２０］前記コンピュータに、前記１つまたは複数の干渉基地局へリソース利用メッセージを送信させるための第７の組のコードをさらに備え、前記１つまたは複数のパイロット信号を受信することは、前記リソース利用メッセージを送信することに応答する、［１７］のコンピュータプログラム製品。
［２１］１つまたは複数のパイロット信号を受信するための手段であって、１つまたは複数のパイロット信号が、１つまたは複数の干渉基地局から受信され、ユーザ機器が前記１つまたは複数のパイロット信号を受信する、受信するための手段と、
前記１つまたは複数の干渉基地局についての干渉を計算するための手段と、
測定報告を送信するための手段であって、前記測定報告は干渉を含み、前記測定報告は前記ユーザ機器からサービング基地局へ送信される、送信するための手段と
を備える装置。
［２２］アップリンク許可を受信するために前記サービング基地局へスケジューリング要求を送信するための手段と、
前記サービング基地局からの前記アップリンク許可を受信するための手段と
をさらに備え、
前記スケジューリング要求を送信することおよび前記アップリンク許可を受信することは前記測定報告を送信することに先立って実行される、［２１］の装置。
［２３］前記１つまたは複数の干渉基地局に対する干渉を計算するための前記手段は、前記１つまたは複数のパイロット信号の信号強度を決定するための手段
を備える［２１］の装置。
［２４］前記１つまたは複数の干渉基地局へリソース利用メッセージを送信するための手段をさらに備え、前記１つまたは複数のパイロット信号を受信するための手段は、前記リソース利用メッセージを送信する前記リソース利用メッセージを送信するための前記手段に応答して、前記１つまたは複数のパイロット信号を受信する、［２１］の装置。
［２５］１つまたは複数のパイロット信号を受信するように構成されたトランシーバであって、前記１つまたは複数のパイロット信号は１つまたは複数の干渉基地局から受信され、ユーザ機器は前記１つまたは複数のパイロット信号を受信するトランシーバと、
前記１つまたは複数の干渉基地局についての干渉を計算するように構成された干渉管理モジュールと
を備え、
前記トランシーバは、前記ユーザ機器からサービング基地局へ測定報告を送信するようにさらに構成され、また、前記測定報告は前記干渉を含む、装置。
［２６］前記トランシーバは、
アップリンク許可を受信するために前記サービング基地局にスケジューリング要求を送信するように、および
前記サービング基地局から前記アップリンク許可を受信するように
さらに構成され、
前記スケジューリング要求を送信することおよび前記アップリンク許可を受信することは前記測定報告を送信することに先立って実行される、［２５］の装置。
［２７］前記１つまたは複数の干渉基地局についての前記干渉を計算することは、前記１つまたは複数のパイロット信号の信号強度を決定することを備える、［２５］の装置。
［２８］前記トランシーバは、前記１つまたは複数の干渉基地局にリソース利用メッセージを送信するようにさらに構成され、前記１つまたは複数のパイロット信号を受信することは、前記リソース利用メッセージを送信することに応答する、［２５］の装置。
［２９］ダウンリンク上の干渉管理を可能にするための方法であって、
ユーザ機器に関係するバッファ状態を示す情報を受信することであって、前記情報はユーザ機器で受信される、受信することと、
１つまたは複数の干渉基地局からの干渉情報を受信することと、
公称干渉をセットすることであって、前記公称干渉は、１つまたは複数の干渉基地局からの干渉情報に基づく、セットすることと、
前記ユーザ機器に関係するトラフィックについての優先順位情報および前記公称干渉を送信することであって、前記優先順位情報および前記公称干渉は前記１つまたは複数の干渉基地局に送信される、送信することと、
前記１つまたは複数の干渉基地局からスケジューリング情報を受信することであって、前記１つまたは複数の干渉基地局からの前記スケジューリング情報は、前記ユーザ機器と関係するトラフィックについての前記優先順位情報と前記公称干渉を送信することに応答して受信される、受信することと、
サービング基地局からスケジューリング情報を受信することであって、前記サービング基地局からの前記スケジューリング情報は、前記１つまたは複数の干渉基地局からの前記スケジューリング情報に基づく、受信することと
を備え、
前記ユーザ機器に関係するバッファ状態を示す情報を受信すること、前記１つまたは複数の干渉基地局からの干渉情報を受信すること、前記セットすること、前記送信すること、前記１つまたは複数の干渉基地局からスケジューリング情報を受信すること、および前記サービング基地局からスケジューリング情報を受信することは前記ユーザ機器によって実行される、方法。
［３０］前記１つのまたは複数の干渉基地局からの前記スケジューリング情報に基づいてチャネル品質インジケータまたは信号対干渉雑音比を計算することと、
前記チャネル品質インジケータまたは前記信号対干渉雑音比を前記サービング基地局へ送信することと
をさらに備え、
前記サービング基地局からの前記スケジュール情報を受信することは、前記チャネル品質インジケータまたは信号対干渉雑音比を計算すること、および、前記チャネル品質インジケータまたは前記信号対干渉雑音比を送信することに応答して実行される、［２９］の方法。
［３１］バッファ状態を示す前記情報は、前記ユーザ機器が前記サービング基地局によってサービスされるというトラフィックの優先順位を含む、［２９］の方法。
［３２］前記１つまたは複数の干渉基地局からの前記スケジューリング情報は、バックオフをスケジュールする前記１つまたは複数の干渉基地局の少なくとも１つを示す、［２９］の方法。
［３３］コンピュータに、ユーザ機器と関連するバッファ状態を示す情報を受信させるための第１の組のコードと、
前記コンピュータに、１つまたは複数の干渉基地局からの干渉情報を受信させるための第２の組のコードと、
前記コンピュータに、公称干渉をセットさせるための第３の組のコードであって、前記公称干渉は、１つまたは複数の干渉基地局からの前記干渉情報に基づく、第３の組のコードと、
前記コンピュータに、前記ユーザ機器に関係するトラフィックの優先順位情報および前記公称干渉を送信させるための第４の組のコードであって、前記優先順位情報および前記公称干渉は前記１つまたは複数の干渉基地局へ送信される、第４の組のコードと、
前記コンピュータに、前記１つまたは複数の干渉基地局からのスケジューリング情報を受信させるための第５の組のコードであって、前記スケジューリング情報は、前記ユーザ機器と関係するトラフィックの優先順位情報および前記公称干渉を送信することに応答して受信される、第５の組のコードと、
前記コンピュータに、前記サービング基地局からの前記スケジューリング情報を受信させるための第６の組のコードであって、前記サービング基地局からの前記スケジューリング情報は、前記１つまたは複数の干渉基地局からの前記スケジューリング情報に基づき、前記ユーザ機器は前記コンピュータを備える、第６の組のコードと
を備えるコンピュータ可読記憶媒体を備えるコンピュータプログラム製品。
［３４］前記コンピュータに、前記１つまたは複数の干渉基地局からの前記スケジュール情報に基づいてチャネル品質インジケータ又は信号対干渉雑音比を計算させるための第７の組のコードと、
前記コンピュータに、前記サービング基地局へ前記チャネル品質インジケータまたは前記信号対干渉雑音比を送信させるための第８の組のコードと
をさらに備え、
前記サービング基地局からのスケジューリング情報を受信することは、前記チャネル品質インジケータ又は前記信号対干渉雑音比を計算することおよび前記チャネル品質インジケータ又は前記信号対干渉雑音比を送信することに応答して実行される、［３３］のコンピュータプログラム製品。
［３５］バッファ状態を示す前記情報が、前記ユーザ機器が前記サービング基地局によってサービスされるというトラフィックの優先順位を備える、［３３］のコンピュータプログラム製品。
［３６］前記１つまたは複数の干渉基地局からの前記スケジューリング情報は、バックオフをスケジュールする前記１つまたは複数の干渉基地局の少なくとも１つを示す、［３３］のコンピュータプログラム製品。
［３７］ユーザ機器と関連するバッファ状態を示す情報を受信するための手段であって、前記情報はユーザ機器で受信される、受信するための手段と、
１つまたは複数の干渉基地局からの干渉情報を受信するための手段と、
公称干渉をセットするための手段であって、前記公称干渉が、１つまたは複数の干渉基地局からの前記干渉情報に基づく、セットするための手段と、
ユーザ機器と関連するトラフィックの優先順位情報および前記公称干渉を送信するための手段であって、前記優先順位情報および前記公称干渉は前記１つまたは複数の干渉基地局へ送信される、送信するための手段と、
前記１つまたは複数の干渉基地局からのスケジューリング情報を受信するための手段であって、前記１つまたは複数の干渉基地局からの前記スケジューリング情報は、前記ユーザ機器と関連するトラフィックの前記優先順位情報および前記公称干渉を送信することに応答して受信される、受信するための手段と、
サービング基地局からのスケジューリング情報を受信するための手段であって、前記サービング基地局からの前記スケジューリング情報は、前記１つまたは複数の干渉基地局からの前記スケジューリング情報に基づく、受信するための手段と
を備える装置。
［３８］前記１つまたは複数の干渉基地局からの前記スケジューリング情報に基づいてチャネル品質インジケータ又は信号対干渉雑音比を計算するための手段と、
前記チャネル品質インジケータ又は前記信号対干渉雑音比を前記サービング基地局に送信するための手段と
をさらに備え、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、［３７］の装置。
［３９］バッファ状態を示す前記情報は、前記ユーザ機器が前記サービング基地局によってサービスされるだろうトラフィックの優先順位を備える、［３７］の装置。
［４０］前記１つまたは複数の干渉基地局からの前記スケジューリング情報は、バックオフをスケジュールする前記１つまたは複数の干渉基地局の少なくとも１つを示す、［３７］の装置。
［４１］ユーザ機器と関連するバッファ状態を示す情報を受信するようにであって、前記情報はユーザ機器で受信される、受信するように、
１つまたは複数の干渉基地局からの干渉情報を受信するように
構成されたトランシーバと、
公称干渉をセットするように構成された干渉管理モジュールであって、前記公称干渉は、１つまたは複数の干渉基地局からの前記干渉情報に基づく、干渉管理モジュールと
を備え、
前記トランシーバは、さらに、前記ユーザ機器と関連するトラフィックの優先順位情報および前記公称干渉を送信するようにであって、前記優先順位情報および前記公称干渉は、前記１つまたは複数の干渉基地局へ送信される、送信するように、
前記１つまたは複数の干渉基地局からのスケジューリング情報を受信するようにであって、前記１つまたは複数の干渉基地局からの前記スケジューリング情報は、前記ユーザ機器に関連するトラフィックの前記優先順位情報および前記公称干渉を送信することに応答して受信される、受信するように、および
サービング基地局からのスケジューリング情報を受信するようにであって、前記サービング基地局からの前記スケジューリング情報は、前記１つまたは複数の干渉基地局からの前記スケジューリング情報に基づく、受信するように
構成される、装置。
［４２］前記干渉管理モジュールは、さらに、前記１つまたは複数の干渉基地局からの前記スケジューリング情報に基づいてチャネル品質インジケータ又は信号対干渉雑音比を計算するように構成され、
前記トランシーバは、さらに、前記チャネル品質インジケータ又は前記信号対干渉雑音比を前記サービング基地局へ送信するように構成され、
前記サービング基地局からのスケジューリング情報を受信することは、前記チャネル品質インジケータ又は前記信号対干渉雑音比を計算することおよび前記チャネル品質インジケータ又は信号対干渉雑音比を送信することに応答して実行される、［４１］の装置。
［４３］バッファ状態を示す前記情報は、前記ユーザ機器が前記サービング基地局によってサービスされるトラフィックの優先順位を備える、［４１］の装置。
［４４］前記１つまたは複数の干渉基地局からの前記スケジューリング情報は、バックオフをスケジューリングする前記１つまたは複数の干渉基地局の少なくとも１つを示す、［４１］の装置。
［４５］ダウンリンク上での干渉管理を可能にするための方法であって、
１つまたは複数のパイロット信号を送信することを備え、
１つまたは複数のパイロット信号は、１つまたは複数の干渉基地局から送信され、ユーザ機器は前記１つまたは複数のパイロット信号を受信し、
前記１つまたは複数のパイロット信号は、前記１つまたは複数の干渉基地局についての干渉を計算するために測定される、方法。
［４６］前記１つまたは複数の干渉基地局についての前記干渉を計算することは、前記１つまたは複数のパイロット信号の信号強度を決定することを備える、［４５］の方法。
［４７］リソース利用メッセージを受信することをさらに備え、前記１つまたは複数のパイロット信号を送信することは、前記リソース利用メッセージを受信することに応答し、前記リソース利用メッセージを受信することおよび送信することは前記１つまたは複数の干渉基地局によって実行される、［４５］の方法。
［４８］コンピュータに、１つまたは複数のパイロット信号を送信させるための第１の組のコードを備えるコンピュータ可読媒体を備えるコンピュータプログラム製品であって、前記１つまたは複数のパイロット信号は、１つまたは複数の干渉基地局から送信され、ユーザ機器は、前記１つまたは複数のパイロット信号を受信し、前記１つまたは複数のパイロット信号は、前記１つまたは複数の干渉基地局についての干渉を計算するために測定され、前記１つまたは複数の干渉基地局の少なくとも１つは前記コンピュータを備える、コンピュータプログラム製品。
［４９］前記１つまたは複数の干渉基地局についての前記干渉を計算することは、前記１つまたは複数のパイロット信号の信号強度を決定することを備える、［４８］のコンピュータプログラム製品。
［５０］前記コンピュータに、リソース利用メッセージを受信させるための第２の組のコードをさらに備え、前記１つまたは複数のパイロット信号を送信することは、前記リソース利用メッセージを受信することに応答する、［４８］のコンピュータプログラム製品。
［５１］１つまたは複数のパイロット信号を送信するための手段を備え、前記１つまたは複数のパイロット信号は、１つまたは複数の干渉基地局から送信され、ユーザ機器が前記１つまたは複数のパイロット信号を受信し、また、前記１つまたは複数のパイロット信号は、前記１つまたは複数の干渉基地局についての干渉を計算するために測定される、装置。
［５２］前記１つまたは複数の干渉基地局についての前記干渉を計算することは、前記１つまたは複数のパイロット信号の信号強度を決定することを備える、［５１］の装置。
［５３］リソース利用メッセージを受信するための手段をさらに備え、前記１つまたは複数のパイロット信号を送信するための手段は、前記リソース利用メッセージを受信する、前記リソース利用メッセージを受信するための前記手段に応答して前記１つまたは複数のパイロット信号を送信する、［５１］の装置。
［５４］１つまたは複数のパイロット信号を送信するように構成されたトランシーバを備える装置であって、前記１つまたは複数のパイロット信号は、１つまたは複数の干渉基地局から送信され、ユーザ機器は、前記１つまたは複数のパイロット信号を受信し、また、前記１つまたは複数のパイロット信号は、前記１つまたは複数の干渉基地局についての干渉を計算するために測定される、装置。
［５５］前記１つまたは複数の干渉基地局についての前記干渉を計算することは、前記１つまたは複数のパイロット信号の信号強度を決定することを備える、［５４］の装置。
［５６］前記トランシーバは、さらに、リソース利用メッセージを受信するように構成され、前記１つまたは複数のパイロット信号を送信することは、前記リソース利用メッセージを受信することに応答して実行される、［５４］の装置。
［５７］ダウンリンク上での干渉管理を可能にするための方法であって、
１つまたは複数の干渉基地局についての干渉情報を受信することであって、前記１つまたは複数の干渉基地局についての干渉情報を受信することは、ユーザ端末から受信される、受信することと、
前記ユーザ機器と関連するトラフィックの優先順位情報および公称干渉を受信することであって、前記ユーザ機器に関連するトラフィックについての前記優先順位情報は、前記ユーザ機器と関連するバッファ状態を示す情報に対応する、受信することと、
前記ユーザ機器にスケジューリング情報を送信することであって、前記スケジューリング情報は、前記ユーザ機器と関連するトラフィックの前記優先順位情報および前記公称干渉を受信することに応答して送信され、前記ユーザ機器に対するスケジューリング情報は、サービング基地局からの前記ユーザ機器についてのスケジューリング情報を生成するために用いられ、また、前記干渉情報を受信すること、前記ユーザ機器に関連するトラフィックについての前記優先順位情報および前記公称干渉を受信すること、および送信することは、前記ユーザ端末のためにサービング基地局によって実行される、送信することと
を備える方法。
［５８］前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、［５７］の方法。
［５９］前記バッファ状態を示す前記情報は、前記ユーザ機器が前記サービング基地局によってサービスされるというトラフィックの優先順位を備える、［５７］の方法。
［６０］前記１つまたは複数の干渉基地局からの前記スケジューリング情報は、バックオフをスケジュールする前記１つまたは複数の干渉基地局の少なくとも１つを示す、［５７］
の方法。
［６１］コンピュータに、１つまたは複数の干渉基地局についての干渉情報を受信させるための第１の組のコードであって、１つまたは複数の干渉基地局についての前記干渉情報は、ユーザ機器から受信される、第１の組のコードと、
前記コンピュータに、前記ユーザ機器と関連するトラフィックについての優先順位情報および公称干渉を受信させる第２の組のコードであって、前記ユーザ機器と関連するトラフィックについての前記優先順位情報は、前記ユーザ機器と関連するバッファ状態を示す情報に相当する、第２の組のコードと、
前記コンピュータに、前記ユーザ機器にスケジューリング情報を送信させるための第３の組のコードであって、前記スケジューリング情報は、前記ユーザ機器と関連するトラフィックの前記優先順位情報および前記公称干渉を受信することに応答して送信され、また、前記ユーザ機器に対するスケジューリング情報は、サービング基地局からの前記ユーザ機器についてのスケジューリング情報を生成するために用いられ、前記１つまたは複数の干渉基地局の少なくとも１つは前記コンピュータを備える、第３の組のコードと
を備える、コンピュータ可読媒体を備えるコンピュータプログラム製品。
［６２］前記ユーザ機器に対する前記スケジューリング情報は、前記１つまたは複数の干渉基地局から送信された前記スケジューリング情報に基づいて計算されたチャネル品質インジケータおよび信号対干渉雑音比を備える、［６１］のコンピュータプログラム製品。
［６３］前記バッファ状態を示す前記情報は、前記ユーザ機器が前記サービング基地局によってサービスされるというトラフィックの優先順位を備える、［６１］のコンピュータプログラム製品。
［６４］前記１つまたは複数の干渉基地局からの前記スケジューリング情報は、バックオフをスケジューリングする前記１つまたは複数の干渉基地局の少なくとも１つを示す、［６１］のコンピュータプログラム製品。
［６５］１つまたは複数の干渉基地局についての干渉情報を受信するための手段であって、１つまたは複数の干渉基地局についての前記干渉情報はユーザ機器から受信される、受信するための手段、
前記ユーザ機器と関連するトラフィックについての優先順位情報および公称干渉を受信するための手段であって、前記ユーザ機器と関連するトラフィックの前記優先順位情報は前記ユーザ機器と関連するバッファ状態を示す情報に相当する、受信するための手段と、
前記ユーザ機器に対するスケジューリング情報を送信するための手段であって、前記ユーザ機器に対する前記スケジューリング情報は前記ユーザ機器と関連するトラフィックの前記優先順位情報および前記公称干渉を受信することに応答して送信され、前記ユーザ機器に対する前記スケジューリング情報はサービング基地局からの前記ユーザ機器についてのスケジューリング情報を生成するために用いられる、送信するための手段と
を備える装置。
［６６］前記ユーザ機器に対する前記スケジューリング情報は、前記１つまたは複数の干渉基地局から送信された前記スケジューリング情報に基づいて計算されたチャネル品質インジケータまたは信号対干渉雑音比を備える、［６５］の装置。
［６７］前記バッファ状態を示す前記情報は、前記ユーザ機器が前記サービング基地局によってサービスされるだろうというトラフィックの優先順位を備える、［６５］の装置。
［６８］前記１つまたは複数の干渉基地局からの前記スケジュール情報は、バックオフをスケジュールする前記１つまたは複数の干渉基地局の少なくとも１つを示す、［６５］の装置。
［６９］１つまたは複数の干渉基地局についての干渉情報を受信するようにであって、１つまたは複数の干渉基地局についての前記干渉情報は、ユーザ機器から受信される、干渉情報を受信するように、
前記ユーザ機器と関連するトラフィックについての優先順位情報および公称干渉を受信するようにであって、前記ユーザ機器と関連するトラフィックの前記優先順位情報は、前記ユーザ機器と関連するバッファ状態を示す情報に相当する、優先順位情報および公称干渉を受信するように、および
前記ユーザ機器にスケジューリング情報を送信するようにであって、前記スケジューリング情報は、ユーザ機器と関連するトラフィックについての前記優先順位情報および前記公称干渉を受信することに応答して送信され、前記ユーザ機器に対する前記スケジューリング情報はサービング基地局からの前記ユーザ機器についてのスケジューリング情報を生成するために用いられる、スケジューリング情報を送信するように
構成されるトランシーバを備える装置。
［７０］前記ユーザ機器に対する前記スケジューリング情報は、前記１つまたは複数の干渉基地局から送信された前記スケジュール情報に基づいて計算されたチャネル品質インジケータ又は信号対干渉雑音比を備える、［６９］の装置。
［７１］前記バッファ状態を示す前記情報は、前記ユーザ機器が前記サービング基地局によってサービスされるだろうというトラフィックの優先順位を備える、［６９］の装置。
［７２］前記１つまたは複数の干渉基地局からの前記スケジューリング情報は、バックオフをスケジュールする前記１つまたは複数の干渉基地局の少なくとも１つを示す、［６９］の装置。
【手続補正１４】
【補正対象書類名】図面
【補正対象項目名】全図
【補正方法】変更
【補正の内容】
【図１】
2013225882.tif 000040
【図２】
2013225882.tif 000041
【図３】
2013225882.tif 000042
【図４】
2013225882.tif 000043
【図５Ａ】
2013225882.tif 000044
【図５Ｂ】
2013225882.tif 000045
【図６Ａ】
2013225882.tif 000046
【図６Ｂ】
2013225882.tif 000047
【図７】
2013225882.tif 000048
【図８】
2013225882.tif 000049
【図９】
2013225882.tif 000050
【図１０】
2013225882.tif 000051
【図１１】
2013225882.tif 000052
【図１２Ａ】
2013225882.tif 000053
【図１２Ｂ】
2013225882.tif 000054
【図１３Ａ】
2013225882.tif 000055
【図１３Ｂ】
2013225882.tif 000056
【図１３Ｃ】
2013225882.tif 000057
【図１４】
2013225882.tif 000058
【図１５】
2013225882.tif 000059
【図１６Ａ】
2013225882.tif 000060
【図１６Ｂ】
2013225882.tif 000061
【図１７Ａ】
2013225882.tif 000062
【図１７Ｂ】
2013225882.tif 000063
【図１７Ｃ】
2013225882.tif 000064
【図１８】
2013225882.tif 000065
【図１９】
2013225882.tif 000066
【図２０】
2013225882.tif 000067
【図２１】
2013225882.tif 000068
【図２２】
2013225882.tif 000069
【図２３】
2013225882.tif 000070
【図２４】
2013225882.tif 000071
【図２５】
2013225882.tif 000072
【図２６】
2013225882.tif 000073
【図２７】
2013225882.tif 000074
【図２８】
2013225882.tif 000075
【図２９】
2013225882.tif 000076
【外国語明細書】
2013225882000001.pdf